(57)【要約】  ＭＭＥはＰＤＮコネクションが有効でないことを検出し、最適でないゲートウェイから、より最適なゲートウェイを端点とするＰＤＮコネクションへ変更する。これにより、既に確立したＰＤＮコネクションを、より最適なゲートウェイを用いた新たなＰＤＮコネクションへ切り替えてＵＥの通信を継続するための最適な通信制御を実現することとなる。
2016076287.tif 000002
【特許請求の範囲】
【請求項１】
端末装置であって、
第１のゲートウェイ装置と第１のＰＤＮ(Packet Data Network)コネクションを確立し、
前記第１のＰＤＮコネクションは、前記第１のＰＤＮコネクションの通信路を第１のゲートウェイ装置に対する通信路から第２のゲートウェイ装置に対する通信路に変更可能なＰＤＮコネクションであり、
アイドル状態からアクティブ状態に遷移する為に、サービス要求メッセージを基地局装置に送信してサービス要求手続きを開始し、
前記サービス要求手続きに基づいて、前記第１のＰＤＮコネクションの通信路を、前記第１のゲートウェイ装置に対する通信路から前記第２のゲートウェイ装置に対する通信路に変更し、
前記第１のＰＤＮコネクションを用いて通信を行う
ことを特徴とする端末装置。
【請求項２】
第１のＡＰＮ(Access Point Name)をコアネットワークに送信して前記第１のＰＤＮコネクションを確立し、
前記第１のＡＰＮは、前記第１のＰＤＮコネクションの通信路を、前記第１のゲートウェイ装置に対する通信路から前記第２のゲートウェイ装置に対する通信路に変更することを許可する許可情報と対応づけられたＡＰＮである、
ことを特徴とする請求項１に記載の端末装置。
【請求項３】
第１のＩＰアドレスを用いて前記第１のＰＤＮコネクションでユーザデータを送受信し、
前記サービス要求手続きに基づいて、第２のＩＰアドレスを前記コアネットワークから受信し、
前記第１のＩＰアドレスを前記第２のＩＰアドレスに変更し、
前記第２のＩＰアドレスを用いて前記第１のＰＤＮコネクションでユーザデータの送受信する
ことを特徴とする請求項２に記載の端末装置。
【請求項４】
第２のＡＰＮをコアネットワークに送信して前記第１のゲートウェイ装置と第２のＰＤＮコネクションを確立し、
前記第２のＡＰＮは、前記第１のＡＰＮとは異なるＡＰＮであり、且つ前記第２のＰＤＮコネクションの通信路を、前記第１のゲートウェイ装置に対する通信路から前記第２のゲートウェイ装置に対する通信路に変更することを許可する許可情報と対応づけられていないＡＰＮであり、
アイドル状態からアクティブ状態に遷移する為に、サービス要求メッセージを基地局装置に送信してサービス要求手続きを開始し、
前記サービス要求メッセージの応答であり、前記サービス要求をリジェクトするサービスリジェクトメッセージを受信し、
前記サービスリジェクトメッセージの受信に基づいて、前記第２のＡＰＮをコアネットワークに送信して前記第２のゲートウェイ装置と第３のＰＤＮコネクションを確立する
ことを特徴とする請求項２に記載の端末装置。
【請求項５】
前記第１のゲートウェイ装置は、オフロード用に配置されたＬＧＷ（Local Gateway）であり、
前記第２のゲートウェイ装置は、コアネットワーク内に配置されたＰＧＷ（Packet Data Gateway）である
ことを特徴とする請求項１から４の何れか一項に記載の端末装置。
【請求項６】
ＭＭＥ(Mobility Management Entity)であって、
アイドル状態からアクティブ状態に遷移する為に、端末装置が送信するサービス要求メッセージを基地局装置から受信し、
前記端末装置が少なくとも第１のＰＤＮコネクションを確立している場合には、
前記サービス要求手続きに基づいて、前記第１のＰＤＮコネクションの通信路を、第１のゲートウェイ装置に対する通信路から第２のゲートウェイ装置に対する通信路に変更する制御手続きを開始し、
前記第１のＰＤＮコネクションは、前記第１のＰＤＮコネクションの通信路を前記第１のゲートウェイ装置に対する通信路から前記第２のゲートウェイ装置に対する通信路に変更可能なＰＤＮコネクションである、
ことを特徴とするＭＭＥ。
【請求項７】
前記第１のＰＤＮコネクションは、第１のＡＰＮ(Access Point Name)を用いて確立したＰＤＮコネクションであり、
前記第１のＡＰＮは、前記第１のＰＤＮコネクションの通信路を、前記第１のゲートウェイ装置に対する通信路から前記第２のゲートウェイ装置に対する通信路に変更することを許可する許可情報と対応づけられたＡＰＮである、
ことを特徴とする請求項６に記載のＭＭＥ。
【請求項８】
前記端末装置が少なくとも第２のＰＤＮコネクションを確立している場合には、前記サービス要求メッセージの受信に基づいて、前記サービス要求メッセージの応答であり、前記サービス要求をリジェクトするサービスリジェクトメッセージを送信し、
前記サービスリジェクトメッセージの送信により、前記端末装置にアタッチ手続きの開始を要求し、
前記第２のＰＤＮコネクションは、第２のＡＰＮを用いて確立したＰＤＮコネクションであり、
前記第２のＡＰＮは、前記第１のＡＰＮとは異なるＡＰＮであり、且つ前記第２のＰＤＮコネクションの通信路を、前記第１のゲートウェイ装置に対する通信路から前記第２のゲートウェイ装置に対する通信路に変更することを許可する許可情報と対応づけられていないＡＰＮである
ことを特徴とする請求項７に記載のＭＭＥ。
【請求項９】
前記第１のゲートウェイ装置は、オフロード用に配置されたＬＧＷ（Local Gateway）であり、
前記第２のゲートウェイ装置は、コアネットワーク内に配置されたＰＧＷ（Packet Data Gateway）である
ことを特徴とする請求項６から８の何れか一項に記載のＭＭＥ。
【請求項１０】
基地局装置であって、
アイドル状態からアクティブ状態に遷移する為に送信するサービス要求メッセージを端末装置から受信し、
前記サービス要求メッセージをコアネットワークに送信し、
前記コアネットワークから前記端末装置に割り当てるＩＰアドレスを受信し、
前記ＩＰアドレスを前記端末装置に通知する
ことを特徴とする基地局装置。
【請求項１１】
基地局装置であって、
アイドル状態からアクティブ状態に遷移する為に送信するサービス要求メッセージを端末装置から受信し、
前記サービス要求メッセージをコアネットワークに送信し、
前記コアネットワークから第１の識別情報を受信し、
前記第１の識別情報は、前記端末装置がＩＰアドレスの再取得が必要であることを示す識別情報であり、
前記第１の識別情報を前記端末装置に通知する
ことを特徴とする基地局装置。
【請求項１２】
端末装置の通信制御方法であって、
第１のゲートウェイ装置と第１のＰＤＮ(Packet Data Network)コネクションを確立するステップと、
前記第１のＰＤＮコネクションは、前記第１のＰＤＮコネクションの通信路を第１のゲートウェイ装置に対する通信路から第２のゲートウェイ装置に対する通信路に変更可能なＰＤＮコネクションであり、
アイドル状態からアクティブ状態に遷移する為に、サービス要求メッセージを基地局装置に送信してサービス要求手続きを開始するステップと、
前記サービス要求手続きに基づいて、前記第１のＰＤＮコネクションの通信路を、前記第１のゲートウェイ装置に対する通信路から前記第２のゲートウェイ装置に対する通信路に変更し、
前記第１のＰＤＮコネクションを用いて通信を行うステップと
を有すること特徴とする端末装置の通信制御方法。
【請求項１３】
第１のＰＤＮコネクションを確立するために第１のＡＰＮ(Access Point Name)をコアネットワークに送信するステップと、
前記第１のＡＰＮは、前記第１のＰＤＮコネクションの通信路を、前記第１のゲートウェイ装置から前記第２のゲートウェイ装置に変更することを許可する許可情報と対応づけられたＡＰＮであること、
を更に有することを特徴とする請求項１２に記載の端末装置の通信制御方法。
【請求項１４】
第１のＩＰアドレスを用いて前記第１のＰＤＮコネクションでユーザデータの送受信するステップと、
前記サービス要求手続きに基づいて、第２のＩＰアドレスを前記コアネットワークから受信するステップと、
第１のＩＰアドレスを前記第２のＩＰアドレスに変更するステップと、
前記第２のＩＰアドレスを用いて前記第１のＰＤＮコネクションでユーザデータの送受信するステップと
を更に有することを特徴とする請求項１３に記載の端末装置の通信制御方法。
【請求項１５】
第２のＡＰＮをコアネットワークに送信して前記第１のゲートウェイ装置と第２のＰＤＮコネクションを確立するステップと、
前記第２のＡＰＮは、前記第１のＡＰＮとは異なるＡＰＮであり、且つ前記第２のＰＤＮコネクションの通信路を、前記第１のゲートウェイ装置に対する通信路から前記第２のゲートウェイ装置に対する通信路に変更することを許可する許可情報と対応づけられていないＡＰＮであり、
アイドル状態からアクティブ状態に遷移する為に、サービス要求メッセージを基地局装置に送信してサービス要求手続きを開始するステップと、
前記サービス要求メッセージの応答であり、前記サービス要求をリジェクトするサービスリジェクトメッセージを受信するステップと、
前記サービスリジェクトメッセージの受信に基づいて、前記第２のＡＰＮをコアネットワーク送信して前記第２のゲートウェイ装置と第３のＰＤＮコネクションを確立するステップと
をさらに有することを特徴とする請求項１３に記載の端末装置の通信制御方法。
【請求項１６】
前記第１のゲートウェイ装置は、オフロード用に配置されたＬＧＷ（Local Gateway）であり、
前記第２のゲートウェイ装置は、コアネットワーク内に配置されたＰＧＷ（Packet Data Gateway）である
ことを特徴とする請求項１２から１５の何れか一項に記載の端末装置の通信制御方法。
【請求項１７】
ＭＭＥ(Mobility Management Entity)の通信制御方法であって、
アイドル状態からアクティブ状態に遷移する為に、端末装置が送信するサービス要求メッセージを基地局装置から受信するステップと、
前記端末装置が少なくとも第１のＰＤＮコネクションを確立している場合には、
前記サービス要求手続きに基づいて、前記第１のＰＤＮコネクションの通信路を、第１のゲートウェイ装置に対する通信路から第２のゲートウェイ装置に対する通信路に変更する制御手続きを開始するステップを有し、
前記第１のＰＤＮコネクションは、前記第１のＰＤＮコネクションの通信路を前記第１のゲートウェイ装置に対する通信路から前記第２のゲートウェイ装置に対する通信路に変更可能なＰＤＮコネクションであること、
を特徴とするＭＭＥの通信制御方法。
【請求項１８】
前記第１のＰＤＮコネクションは、第１のＡＰＮ(Access Point Name)を用いて確立したＰＤＮコネクションであり、
前記第１のＡＰＮは、前記第１のＰＤＮコネクションの通信路を、前記第１のゲートウェイ装置に対する通信路から前記第２のゲートウェイ装置に対する通信路に変更することを許可する許可情報と対応づけられたＡＰＮである
ことを特徴とする請求項１７に記載のＭＭＥの通信制御方法。
【請求項１９】
前記端末装置が少なくとも第２のＰＤＮコネクションを確立している場合には、前記サービス要求メッセージの受信に基づいて、前記サービス要求メッセージの応答であり、前記サービス要求をリジェクトするサービスリジェクトメッセージを送信するステップと、
前記サービスリジェクトメッセージの送信により、前記端末装置にアタッチ手続きの開始を要求するステップと、
前記第２のＰＤＮコネクションは、第２のＡＰＮを用いて確立したＰＤＮコネクションであり、
前記第２のＡＰＮは、前記第１のＡＰＮとは異なるＡＰＮであり、且つ前記第２のＰＤＮコネクションの通信路を、前記第１のゲートウェイ装置から前記第２のゲートウェイ装置に変更することを許可する許可情報と対応づけられていないＡＰＮであること
を更に有することを特徴とする請求項１８に記載のＭＭＥの通信制御方法。
【請求項２０】
前記第１のゲートウェイ装置は、オフロード用に配置されたＬＧＷ（Local Gateway）であり、
前記第２のゲートウェイ装置は、コアネットワーク内に配置されたＰＧＷ（Packet Data Gateway）である
ことを特徴とする請求項１７から１９の何れか一項に記載のＭＭＥの通信制御方法。
【請求項２１】
基地局装置の通信制御方法であって、
アイドル状態からアクティブ状態に遷移する為に送信するサービス要求メッセージを端末装置から受信するステップと、
前記サービス要求メッセージをコアネットワークに送信するステップと、
前記コアネットワークから前記端末装置に割り当てるＩＰアドレスを受信し、
前記ＩＰアドレスを前記端末装置に通知するステップと
を有することを特徴とする基地局装置の通信制御方法。
【請求項２２】
基地局装置の通信制御方法であって、
アイドル状態からアクティブ状態に遷移する為に送信するサービス要求メッセージを端末装置から受信するステップと、
前記サービス要求メッセージをコアネットワークに送信するステップと、
前記コアネットワークから第１の識別情報を受信するステップと、
前記第１の識別情報は、前記端末装置がＩＰアドレスの再取得が必要であることを示す識別情報であり、
前記第１の識別情報を前記端末装置に通知するステップと
を有することを特徴とする基地局装置の通信制御方法。
【発明の詳細な説明】
【技術分野】
【０００１】
本発明は、端末装置、基地局装置、ＭＭＥおよび通信制御方法に関する。
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めている。【０００３】
また、以下の非特許文献２には、ＳＩＰＴＯ（Selected IP Traffic Offload）を実現するための方法が開示されている。ＳＩＰＴＯは、ＵＥ（端末装置：Ｕｓｅｒ  Ｅｑｕｉｐｍｅｎｔ）がｅＮＢ（基地局装置：ｅＮｏｄｅＢ）に接続しつつ、移動通信システムのコアネットワークを介さないオフロード通信路を提供する機能である。この際、ＵＥは、ＵＥの位置に近いゲートウェイ装置を用いてＳＩＰＴＯのためのオフロード通信路を確立する。【０００４】
３ＧＰＰでは、ＳＩＰＴＯのためのオフロード通信路を確立する際のゲートウェイ装置としてＬＧＷ（Ｌｏｃａｌ  ＧＷ）を定義し、ｅＮＢに接続するＵＥはＬＧＷとの間にＳＩＰＴＯ用のＰＤＮコネクションを確立し、ＳＩＰＴＯ用のＰＤＮコネクションを用いてブロードバンドネットワークを経由してネットワーク上の装置とデータの送受信を行うことが検討されている。なお、ＵＥは、ＳＩＰＴＯ用のＰＤＮコネクション確立時においては、ＵＥの位置に近いＬＧＷとの間で通信路を確立することができ、最適なオフロード通信路を用いて通信をすることができる。【０００５】
また、ＵＥは、移動に伴いｅＮＢを変更しながら通信を継続することができる。その場合、ＵＥはＬＧＷとの間で確立したＳＩＰＴＯ用のＰＤＮコネクションを維持し、それを用いてオフロード通信を継続することができる。【０００６】
しかしながら、ＬＧＷは通信システムに複数配置されることが想定されている。そのため、ＵＥの移動に伴って、ＳＩＰＴＯ用のＰＤＮコネクション確立時に選択されたＬＧＷより、ＵＥの位置に近いＬＧＷが存在する可能性がある。【０００７】
オフロード通信路は、ＵＥの位置に近いゲートウェイからオフロードするほどオフロード効果が高い。そのため、ＵＥが確立したＳＩＰＴＯ用のＰＤＮコネクションは、ＵＥが移動することにより、必ずしも最適でない通信路となってしまう可能性がある。【０００８】
こうした事情を鑑みて、非特許文献３にあるように、移動通信システムを規格化する３ＧＰＰでは、既に確立されたＰＤＮコネクションを、より最適なゲートウェイ装置を用いた新たなＰＤＮコネクションに切り替えて通信を継続することが、要求条件として規定した。
【先行技術文献】
【非特許文献】
【０００９】
【非特許文献１】3GPP TS23.401 General Packet Radio Service (GPRS) enhancements for Evolved Universal Terrestrial Radio Access Network (E-UTRAN) access
【非特許文献２】3GPP TR 23.829 Local IP Access and Selected IP Traffic Offload
【非特許文献３】3GPP TR 22.828 Study on Co-ordinated P-GW change for SIPTO
【発明の概要】
【発明が解決しようとする課題】
【００１０】
しかしながら、現在、既に確立したＰＤＮコネクションを、より最適なゲートウェイ装置を用いた新たなＰＤＮコネクションに切り替えて通信を継続するための具体的な手段は明らかになっていない。【００１１】
また、通信路の切り替えにおいては、通信が切断を極力少なくするなどのシームレス性の高い方法が望まれる。【００１２】
本発明はこのような事情を鑑みてなされたもので、既に確立したＰＤＮコネクションを、より最適なゲートウェイを用いた新たなＰＤＮコネクションへ切り替えてＵＥの通信を継続するための最適な通信制御を実現することを目的とした通信システム等を提供することである。
【課題を解決するための手段】
【００１３】
上記の目的を達成するために、本発明は、以下のような手段を講じた。【００１４】
端末装置であって、第１のゲートウェイ装置と第１のＰＤＮ(Packet Data Network)コネクションを確立し、第１のＰＤＮコネクションは、第１のＰＤＮコネクションの通信路を第１のゲートウェイ装置に対する通信路から第２のゲートウェイ装置に対する通信路に変更可能なＰＤＮコネクションであり、アイドル状態からアクティブ状態に遷移する為に、サービス要求メッセージを基地局装置に送信してサービス要求手続きを開始し、サービス要求手続きに基づいて、第１のＰＤＮコネクションの通信路を、第１のゲートウェイ装置から第２のゲートウェイ装置に変更し、第１のＰＤＮコネクションを用いて通信を行うことを特徴とする。【００１５】
第１のＡＰＮ(Access Point Name)をコアネットワークに送信して第１のＰＤＮコネクションを確立し、第１のＡＰＮは、第１のＰＤＮコネクションの通信路を、第１のゲートウェイ装置から第２のゲートウェイ装置に変更することを許可する許可情報と対応づけられたＡＰＮであることを特徴とする。【００１６】
第１のＩＰアドレスを用いて第１のＰＤＮコネクションでユーザデータを送受信し、サービス手続きに基づいて、第２のＩＰアドレスをコアネットワークから受信し、第１のＩＰアドレスを第２のＩＰアドレスに変更し、第２のＩＰアドレスを用いて第１のＰＤＮコネクションでユーザデータの送受信することを特徴とする。【００１７】
第２のＡＰＮをコアネットワークに送信して第１のゲートウェイ装置と第２のＰＤＮコネクションを確立し、第２のＡＰＮは、第１のＡＰＮとは異なるＡＰＮであり、且つＰＤＮコネクションの通信路を、第１のゲートウェイ装置から第２のゲートウェイ装置に変更することを許可する許可情報と対応づけられていないＡＰＮであり、アイドル状態からアクティブ状態に遷移する為に、サービス要求メッセージを基地局装置に送信してサービス要求手続きを開始し、サービス要求メッセージの応答であり、サービス要求をリジェクトするサービスリジェクトメッセージを受信し、サービスリジェクトメッセージの受信に基づいて、第２のＡＰＮをコアネットワークに送信して第２のゲートウェイ装置と第３のＰＤＮコネクションを確立することを特徴とする。【００１８】
第１のゲートウェイ装置は、オフロード用に配置されたＬＧＷ（Local Gateway）であり、第２のゲートウェイ装置は、コアネットワーク内に配置されたＰＧＷ（Packet Data Gateway）であることを特徴とする。【００１９】
ＭＭＥ(Mobility Management Entity)であって、アイドル状態からアクティブ状態に遷移する為に、端末装置が送信するサービス要求メッセージを基地局装置から受信し、端末装置が少なくとも第１のＰＤＮコネクションを確立している場合には、第１のＰＤＮコネクションをサービス要求手続きに基づいて、第１のＰＤＮコネクションの通信路を、第１のゲートウェイ装置から第２のゲートウェイ装置に変更する制御手続きを開始し、第１のＰＤＮコネクションは、第１のＰＤＮコネクションの通信路を第１のゲートウェイ装置に対する通信路から第２のゲートウェイ装置に対する通信路に変更可能なＰＤＮコネクションであることを特徴とする。【００２０】
第１のＰＤＮコネクションは、第１のＡＰＮ(Access Point Name)を用いて確立したＰＤＮコネクションであり、第１のＡＰＮは、第１のＰＤＮコネクションの通信路を、第１のゲートウェイ装置から第２のゲートウェイ装置に変更することを許可する許可情報と対応づけられたＡＰＮであることを特徴とする。【００２１】
端末装置が少なくとも第２のＰＤＮコネクションを確立している場合には、サービス要求メッセージの受信に基づいて、サービス要求メッセージの応答であり、サービス要求をリジェクトするサービスリジェクトメッセージを送信し、サービスリジェクトメッセージの送信により、端末装置にアタッチ手続きの開始を要求し、第２のＰＤＮコネクションは、第２のＡＰＮを用いて確立したＰＤＮコネクションであり、第２のＡＰＮは、第１のＡＰＮとは異なるＡＰＮであり、且つＰＤＮコネクションの通信路を、第１のゲートウェイ装置から第２のゲートウェイ装置に変更することを許可する許可情報と対応づけられていないＡＰＮであることを特徴とする。【００２２】
第１のゲートウェイ装置は、オフロード用に配置されたＬＧＷ（Local Gateway）であり、第２のゲートウェイ装置は、コアネットワーク内に配置されたＰＧＷ（Packet Data Gateway）であることを特徴とする。【００２３】
基地局装置であって、アイドル状態からアクティブ状態に遷移する為に送信するサービス要求メッセージを端末装置から受信し、サービス要求メッセージをコアネットワークに送信し、コアネットワークから端末装置に割り当てるＩＰアドレスを受信し、ＩＰアドレスを端末装置に通知することを特徴とする。【００２４】
基地局装置であって、アイドル状態からアクティブ状態に遷移する為に送信するサービス要求メッセージを端末装置から受信し、サービス要求メッセージをコアネットワークに送信し、コアネットワークから第１の識別情報を受信し、第１の識別情報は、端末装置がＩＰアドレスの再取得が必要であることを示す識別情報であり、第１の識別情報を端末装置に通知することを特徴とする。【００２５】
端末装置の通信制御方法であって、第１のゲートウェイ装置と第１のＰＤＮ(Packet Data Network)コネクションを確立するステップと、第１のＰＤＮコネクションは、第１のＰＤＮコネクションの通信路を第１のゲートウェイ装置に対する通信路から第２のゲートウェイ装置に対する通信路に変更可能なＰＤＮコネクションであり、アイドル状態からアクティブ状態に遷移する為に、サービス要求メッセージを基地局装置に送信してサービス要求手続きを開始するステップと、サービス要求手続きに基づいて、第１のＰＤＮコネクションの通信路を、第１のゲートウェイ装置から第２のゲートウェイ装置に変更し、第１のＰＤＮコネクションを用いて通信を行うステップと、を有すること特徴とする。【００２６】
第１のＰＤＮコネクションを確立するために第１のＡＰＮ(Access Point Name)をコアネットワークに送信するステップと、第１のＡＰＮは、第１のＰＤＮコネクションの通信路を、第１のゲートウェイ装置から第２のゲートウェイ装置に変更することを許可する許可情報と対応づけられたＡＰＮであることを更に有することを特徴とする。【００２７】
第１のＩＰアドレスを用いて第１のＰＤＮコネクションでユーザデータの送受信するステップと、サービス手続きに基づいて、第２のＩＰアドレスをコアネットワークから受信するステップと、第１のＩＰアドレスを第２のＩＰアドレスに変更するステップと、第２のＩＰアドレスを用いて第１のＰＤＮコネクションでユーザデータの送受信するステップと、を更に有することを特徴とする。【００２８】
第２のＡＰＮをコアネットワークに送信して第１のゲートウェイ装置と第２のＰＤＮコネクションを確立するステップと、第２のＡＰＮは、第１のＡＰＮとは異なるＡＰＮであり、且つＰＤＮコネクションの通信路を、第１のゲートウェイ装置から第２のゲートウェイ装置に変更することを許可する許可情報と対応づけられていないＡＰＮであり、アイドル状態からアクティブ状態に遷移する為に、サービス要求メッセージを基地局装置に送信してサービス要求手続きを開始するステップと、サービス要求メッセージの応答であり、サービス要求をリジェクトするサービスリジェクトメッセージを受信するステップと、サービスリジェクトメッセージの受信に基づいて、第２のＡＰＮをコアネットワーク送信して第２のゲートウェイ装置と第３のＰＤＮコネクションを確立するステップと、をさらに有することを特徴とする。【００２９】
第１のゲートウェイ装置は、オフロード用に配置されたＬＧＷ（Local Gateway）であり、第２のゲートウェイ装置は、コアネットワーク内に配置されたＰＧＷ（Packet Data Gateway）であることを特徴とする。【００３０】
ＭＭＥ(Mobility Management Entity)の通信制御方法であって、アイドル状態からアクティブ状態に遷移する為に、端末装置が送信するサービス要求メッセージを基地局装置から受信するステップと、端末装置が少なくとも第１のＰＤＮコネクションを確立している場合には、第１のＰＤＮコネクションをサービス要求手続きに基づいて、第１のＰＤＮコネクションの通信路を、第１のゲートウェイ装置から第２のゲートウェイ装置に変更する制御手続きを開始するステップを有し、第１のＰＤＮコネクションは、第１のＰＤＮコネクションの通信路を第１のゲートウェイ装置に対する通信路から第２のゲートウェイ装置に対する通信路に変更可能なＰＤＮコネクションであることを特徴とする。【００３１】
第１のＰＤＮコネクションは、第１のＡＰＮ(Access Point Name)を用いて確立したＰＤＮコネクションであり、第１のＡＰＮは、第１のＰＤＮコネクションの通信路を、第１のゲートウェイ装置から第２のゲートウェイ装置に変更することを許可する許可情報と対応づけられたＡＰＮであることを特徴とする。【００３２】
端末装置が少なくとも第２のＰＤＮコネクションを確立している場合には、サービス要求メッセージの受信に基づいて、サービス要求メッセージの応答であり、サービス要求をリジェクトするサービスリジェクトメッセージを送信するステップと、サービスリジェクトメッセージの送信により、端末装置にアタッチ手続きの開始を要求するステップと、第２のＰＤＮコネクションは、第２のＡＰＮを用いて確立したＰＤＮコネクションであり、第２のＡＰＮは、第１のＡＰＮとは異なるＡＰＮであり、且つＰＤＮコネクションの通信路を、第１のゲートウェイ装置から第２のゲートウェイ装置に変更することを許可する許可情報と対応づけられていないＡＰＮであることを更に有することを特徴とする。【００３３】
第１のゲートウェイ装置は、オフロード用に配置されたＬＧＷ（Local Gateway）であり、第２のゲートウェイ装置は、コアネットワーク内に配置されたＰＧＷ（Packet Data Gateway）であることを特徴とする。【００３４】
基地局装置の通信制御方法であって、アイドル状態からアクティブ状態に遷移する為に送信するサービス要求メッセージを端末装置から受信するステップと、サービス要求メッセージをコアネットワークに送信するステップと、コアネットワークから端末装置に割り当てるＩＰアドレスを受信し、ＩＰアドレスを端末装置に通知するステップとを有することを特徴とする。【００３５】
基地局装置の通信制御方法であって、アイドル状態からアクティブ状態に遷移する為に送信するサービス要求メッセージを端末装置から受信するステップと、サービス要求メッセージをコアネットワークに送信するステップと、コアネットワークから第１の識別情報を受信するステップと、第１の識別情報は、端末装置がＩＰアドレスの再取得が必要であることを示す識別情報であり、第１の識別情報を端末装置に通知するステップとを有することを特徴とする。
【発明の効果】
【００３６】
本発明によれば、ＵＥは、既に確立したゲートウェイとの間のＰＤＮコネクションを、より最適なゲートウェイを用いた新たなＰＤＮコネクションへ切り替えてＵＥの通信を継続することができる。
【図面の簡単な説明】
【００３７】
【図１】第１実施形態における移動通信システム１の概要を説明するための図である。
【図２】実施形態におけるＵＥの機能構成を説明するための図である。
【図３】実施形態におけるＵＥの記憶部を説明するための図である。
【図４】実施形態におけるｅＮＢの機能構成を説明するための図である。
【図５】実施形態におけるｅＮＢの記憶部を説明するための図である。
【図６】実施形態におけるＭＭＥの機能構成を説明するための図である。
【図７】実施形態におけるＭＭＥの記憶部を説明するための図である。
【図８】データの流れを説明するための図である。
【図９】実施形態におけるアタッチ手続きを説明するための図である。
【図１０】実施形態におけるサービス要求手続きを説明するための図である。
【図１１】実施形態におけるサービス要求手続きの続きを説明するための図である。
【図１２】実施形態におけるトラッキングエリア更新手続きの続きを説明するための図である。
【図１３】実施形態におけるデアクティベーション手続きを説明するための図である。
【図１４】実施形態におけるＰＤＮ接続手続きを説明するための図である。
【図１５】実施形態におけるＬＧＷ−ＳＧＷ間のセッション削除手続きを説明するための図である。
【図１６】実施形態におけるセッション生成手続き１を説明するための図である。
【図１７】実施形態におけるセッション生成手続き２を説明するための図である。
【図１８】移動通信システム２の概要を説明するための図である。
【発明を実施するための形態】
【００３８】
以下、図面を参照して本発明を実施するための形態について説明する。なお、本実施形態では、一例として、本発明を適用した場合の移動通信システムの実施形態について、図を用いて詳細に説明する。
【００３９】
［１．第１実施形態］
まず、本発明を適用した第１実施形態について、図面を参照して説明する。
【００４０】
［１．１  移動通信システムの概要］
図１は、本実施形態における移動通信システム１の概略を説明するための図である。図１（ａ）に示すように、移動通信システム１は、ＵＥ（端末装置）１０と、ＰＤＮ（Ｐａｃｋｅｔ  Ｄａｔａ  Ｎｅｔｗｏｒｋ）９０とがＩＰ移動通信ネットワーク５を介して接続されて構成されている。ＵＥ１０はＩＰ移動通信ネットワーク５に接続し、ＩＰ移動通信ネットワーク５はＰＤＮ９０と接続される。
【００４１】
ＩＰ移動通信ネットワーク５は、例えば、移動通信事業者が運用する無線アクセスネットワークとコアネットワークによって構成されるネットワークでもよいし、固定通信事業者が運用するブロードバンドネットワークであって良い。ここで、ブロードバンドネットワークは、ＡＤＳＬ（Asymmetric Digital Subscriber Line）等により接続し、光ファイバー等のデジタル回線による高速通信を提供する、通信事業者が運用するＩＰ通信ネットワークであってよい。さらに、これらに限らずＷｉＭＡＸ（Worldwide Interoperability for Microwave Access）等で無線アクセスするネットワークであって良い。
【００４２】
ＵＥ１０は、ＬＴＥやＷＬＡＮ等のアクセスシステムを用いて接続する通信端末であり、３ＧＰＰ  ＬＴＥの通信インタフェースやＷＬＡＮの通信インタフェース等を搭載して接続することにより、ＩＰアクセスネットワークへ接続することが可能である。
【００４３】
具体的な例としては、携帯電話端末やスマートフォンであり、その他通信機能を備えたタブレット型コンピュータやパソコン、家電などである。
【００４４】
ＰＤＮ９０は、パケットでデータのやり取りを行うネットワークサービスを提供するネットワークのことであり、例えば、インターネットやＩＭＳなどである。さらに、グループ通話などのグループ通信サービスを提供するネットワークであって良い。
【００４５】
ＵＥ１０はＩＰ移動通信ネットワークに接続して通信路を確立し、ＰＤＮ９０との接続性を確立する。これによりＵＥ１０はＰＤＮ９０とのデータ送受信を実現する。
【００４６】
ＰＤＮ９０は、ＩＰアクセスネットワークへ有線回線等を利用して接続される。例えば、ＡＤＳＬ（Asymmetric Digital Subscriber Line）や光ファイバー等によって構築される。ただし、これに限らずＬＴＥ（Long Term Evolution）や、ＷＬＡＮ（Wireless LAN）、ＷｉＭＡＸ（Worldwide Interoperability for Microwave Access）等の無線アクセスネットワークであって良い。
【００４７】
[１．１．１  ＩＰ移動通信ネットワークの構成例]
図１に示すように、移動通信システム１は、ＵＥ１０と、ＩＰ移動通信ネットワーク５と、ＰＤＮ９０（Packet Data Network）とから構成される。
【００４８】
ＩＰ移動通信ネットワーク５はコアネットワーク７と無線アクセスネットワークで構成される。
【００４９】
コアネットワーク７は、ＭＭＥ３０(Mobile Management Entity)と、ＬＧＷ４０（Local GateWay）とＳＧＷ５０(Serving Gateway)と、ＰＧＷ（アクセス制御装置）６０（Packet Data Network Gateway）と、ＨＳＳ７０(Home Subscriber Server)と、ＰＣＲＦ８０(Policy and charging rules function)と、を含んで構成される。
【００５０】
なお、コアネットワーク７には、ＭＭＥ３０ＡやＭＭＥ３０Ｂなど、複数のＭＭＥ３０が配置されてもよい。
【００５１】
また、コアネットワーク７には、ＳＧＷ５０ＡやＳＧＷ５０Ｂなど、複数のＳＧＷ５０が配置されてもよい。
【００５２】
また、コアネットワーク７には、ＰＧＷ６０ＡやＰＧＷ６０Ｂなど、複数のＰＧＷ６０が配置されてもよい。
【００５３】
また、コアネットワーク７には、ＬＧＷ４０ＡやＬＧＷ４０Ｂなど、複数のＬＧＷ４０が配置されてもよい。さらに、ＬＧＷ４０は、コアネットワークに含まれて配置されてもよいし、無線アクセスネットワーク９に含まれて配置されてもよい。
【００５４】
なお、図１８に示すように、ＬＧＷ４０は、ＬＴＥ＿ＡＮ９の近傍に配置される、インターネットやブロードバンドネットワークとＬＴＥ＿ＡＮ９を接続するゲートウェイ装置であってよい。ＭＭＥ３０は、ＵＥ１０の接続する基地局装置に応じて、基地局装置の近傍に配置されるＬＧＷ４０を、ＵＥ１０が確立するＰＤＮコネクションの端点として選択してもよい。
【００５５】
ここで、図１８（ｃ）に示すように、ＬＧＷ４０は、ｅＮＢ２０と同じ装置で構成されてよい。また、図１８（ｂ）に示すように、ＬＧＷ４０は、ｅＮＢ２０と異なる装置で構成されてよい。
【００５６】
なお、ＭＭＥ３０は、基地局装置の近傍に配置されるＬＧＷが存在しない場合、ＵＥ１０が確立するＰＤＮコネクションの端点となるゲートウェイ装置にＰＧＷ６０を選択してもよい。
【００５７】
なお、こうしたＭＭＥ３０によるゲートウェイ選択は、ＵＥ１０がＰＤＮコネクションを確立するために送信するＡＰＮの許可情報に基づいて実行されてよい。
【００５８】
ここで、ＡＰＮとは、ＵＥ１０が接続するＰＤＮを選択するための識別情報である。なお、ＰＤＮは複数構成されてよい。例えば、インターネットや音声通話サービス網（ＩＭＳ網）など、サービス毎に複数のＰＤＮが構成されてよい。  さらに、ＵＥ１０は複数のＡＰＮを記憶してよい。ＵＥ１０は、ＡＰＮをコアネットワークに通知することにより、ＭＭＥ３０は、ＡＰＮに対応するＰＤＮの選択、およびＰＤＮに接続するためのゲートウェイ装置を選択する。
【００５９】
このように、ＡＰＮは、ＵＥ１０が接続するＰＤＮを選択するための識別情報であり、ＰＤＮへ接続するためのゲートウェイ装置を選択するための識別情報であってよい。
【００６０】
さらに、ＭＭＥ３０は、ＵＥ１０に送信するＡＰＮに応じてＰＤＮへの接続、およびＰＤＮコネクションの確立を承認する。そのため、ＡＰＮは、ＵＥ１０がＰＤＮへの接続、またはＰＤＮコネクションを確立するための認証情報としての意味も有する識別情報である。
【００６１】
無線アクセスネットワーク９は、コアネットワーク７に接続されている。さらに、ＵＥ１０は無線アクセスネットワークに無線接続することができる。
【００６２】
無線アクセスネットワークには、ＬＴＥアクセスシステムで接続できるＬＴＥアクセスネットワーク９（LTE AN）を構成することができる。ＬＴＥ  ＡＮ９は、ＬＴＥアクセスシステムを用いた基地局装置を含んだネットワークであり、公衆網のアクセスネットワークであってもよいし、家庭に構成されるホームネットワークであっても良い。
【００６３】
なお、各装置はＥＰＳを利用した移動通信システムにおける従来の装置と同様に構成されるため、詳細な説明は省略するが、簡単に機能を説明すると、ＰＧＷ６０はＰＤＮ９０と、ＳＧＷ５０と、ＰＣＲＦ８０とに接続されており、ＰＤＮ９０とコアネットワーク７のゲートウェイ装置としてユーザデータ配送を行う。
【００６４】
ＳＧＷ５０は、ＰＧＷ６０と、ＭＭＥ３０とＬＴＥ  ＡＮ９とに接続されており、コアネットワーク７とＬＴＥ  ＡＮ９とのゲートウェイ装置としてユーザデータの配送を行う。
【００６５】
ＰＧＷ６０は、コアネットワーク７とＰＤＮ９０を接続するゲートウェイ装置であり、ユーザデータの配送を行う。なお、ＰＧＷ６０はＵＥ１０との間にＰＤＮコネクションを確立し、ＰＤＮコネクションを用いてＵＥ１０とＰＤＮ６０に配置される通信装置との間のデータ送受信を実現することができる。
【００６６】
ＬＧＷ４０は、ＳＧＷ５０とＬＴＥ  ＡＮ９とＰＤＮ９０とに接続されており、ＰＤＮ９０とのゲートウェイ装置としてユーザデータ配送を行う。また、ＬＧＷ４０は、ブロードバンドネットワークと接続され、ブロードバンドネットワークを経由してＰＤＮ９０に接続されてもよい。このようにＬＧＷ４０は、ＵＥ１０との間にオフロードのための通信路を確立するゲートウェイ装置である。つまり、ＬＧＷ４０は、ＵＥ１０が確立するＳＩＰＴＯ用ＰＤＮコネクションの端点であり、ブロードバンドネットワークやＰＤＮ９０へのオフロードを実行する装置である。
【００６７】
ＭＭＥ３０は、ＳＧＷ５０とＬＴＥ  ＡＮ９とＬＧＷ４０とに接続されており、ＬＴＥ  ＡＮ９を経由したＵＥ１０の位置管理、アクセス制御を行う制御装置である。
【００６８】
ＨＳＳ７０は、ＳＧＷ５０とＡＡＡ５５とに接続されており、加入者情報の管理を行う。
【００６９】
ＰＣＲＦ８０は、ＰＧＷ６０に接続されており、データ配送に対するＱｏＳ管理を行う。
【００７０】
また、図１（ｂ）に示すように、無線アクセスネットワークには、ＵＥ１０が実際に接続する装置（例えば、基地局装置）等が含まれている。接続に用いられる装置は、無線アクセスネットワークに適応した種々の装置が考えられるが、本実施形態においては、ＬＴＥ  ＡＮ９はｅＮＢ２０を含んで構成される。ｅＮＢ２０はＬＴＥアクセスシステムでＵＥ１０が接続する無線基地局であり、ＬＴＥ  ＡＮ９には１又は複数の無線基地局が含まれて構成されてよい。
【００７１】
なお、本明細書において、ＵＥ１０が無線アクセスネットワークに接続されるとは、無線アクセスネットワークに含まれる基地局装置に接続されることをいい、送受信されるデータや信号等も、基地局装置を経由している。
【００７２】
例えば、ＬＴＥ  ＡＮ９にＵＥ１０が接続されるとは、ＵＥ１０がｅＮＢ２０を介して接続されることを言う。
【００７３】
［１．２  装置構成］
続いて、各装置構成について図を用いて簡単に説明する。
【００７４】
[１．２．１  ＵＥの構成]
図２を基に本実施形態におけるＵＥ１０の機能構成を示す。ＵＥ１０は、制御部１００に、第１インターフェース部１１０と、記憶部１４０とがバスを介して接続されている。
【００７５】
制御部１００は、ＵＥ１０を制御するための機能部である。制御部１００は、記憶部１４０に記憶されている各種情報、各種プログラムを読みだして実行することにより各種処理を実現する。
【００７６】
第１インターフェース部１１０は、ＬＴＥアクセス方式によりＬＴＥ  ＡＮ９と接続し、無線通信によるデータの送受信を実行する機能部である。第１インターフェース部１１０には、ＬＴＥアクセス方式によりデータの送受信を行うための外部アンテナ１１２が接続されている。
【００７７】
記憶部１４０は、ＵＥ１０の各種動作に必要なプログラム、データ等を記憶する機能部である。記憶部１４０は、例えば、半導体メモリや、ＨＤＤ（Hard Disk Drive）等により構成されている。さらに、記憶部１４０には、ＵＥ通信路コンテキスト１４２が記憶されている。
【００７８】
ＵＥ通信路コンテキスト１４２は、ＵＥが確立する通信路に対応づけられて記憶される情報群である。図３にＵＥ通信路コンテキスト１４２の具体例を示す。図３は、ＡＰＮ１でＰＤＮコネクションを確立した場合（パターン１）における、ＵＥ１０が管理する情報要素と、ＡＰＮ２でＰＤＮコネクションを確立した場合（パターン２）における、ＵＥ１０が管理する情報要素を示している。
【００７９】
図３に示すように、ＵＥ１０は、ＰＤＮコネクションを確立した場合、有効なＰＤＮコネクション毎に管理される情報要素として、ＡＰＮ、割り当てられたＰＤＮタイプ、ＩＰアドレス、デフォルトベアラを管理する。また、ＵＥ１０は、ＰＤＮコネクションを確立した場合、ＰＤＮコネクション内でＥＰＳベアラ毎に管理される情報要素として、ＥＰＳベアラＩＤ、ＥＰＳベアラＱｏＳを管理する。
【００８０】
ＡＰＮ（アクセスポイントネーム）は、ＩＰ移動通信ネットワーク５においてＵＥ１０が確立するＰＤＮコネクションの端点となるゲートウェイ装置を選択するために使用される識別情報である。また、ＡＰＮは、ＰＤＮ９０に対応づけた識別情報であってよい。ＩＭＳや映像配信など、サービスごとに異なるＰＤＮ９０が構成されている場合には、サービスを識別する識別情報としても使用することができる。なお、ＳＩＰＴＯ可能なＰＤＮコネクションを確立可能なオフロード通信用のＡＰＮと、オフロード通信を行わないＡＰＮとを、異なるＡＰＮとして管理してもよい。この場合、オフロード用のＡＰＮで選択されるゲートウェイは、ＬＧＷ４０であり、オフロード通信を行わないＡＰＮで選択されるゲートウェイは、コアネットワーク７に構成されるＰＧＷ６０であって良い。
【００８１】
また、ＡＰＮは、異なるゲートウェイを端点としたＰＤＮコネクションへの切り替えを許可する許可情報と対応づけられていても良い。
【００８２】
例えば、ＡＰＮ１は、ＳＩＰＴＯ用のＰＤＮコネクションが確立可能なＡＰＮであり、異なるゲートウェイを端点としたＰＤＮコネクションへの切り替えは許可されないＡＰＮであり、ＡＰＮ２は、ＳＩＰＴＯ用のＰＤＮコネクションが確立可能であり、且つ異なるゲートウェイを端点としたＰＤＮコネクションへの切り替えを許可するＡＰＮであり、ＡＰＮ３は、ＳＩＰＴＯ用のＰＤＮコネクションを確立することができず、且つ異なるゲートウェイを端点としたＰＤＮコネクションへの切り替えは許可されないＡＰＮであり、ＡＰＮ４は、ＳＩＰＴＯ用のＰＤＮコネクションを確立することができず、且つ異なるゲートウェイを端点としたＰＤＮコネクションへの切り替えは許可されているＡＰＮなどであってよい。
【００８３】
なお、ＵＥ１０は、このようなＡＰＮを複数保持し、各ＡＰＮに対応するＰＤＮコネクションを確立してもよい。このように、ＵＥ１０は、複数のＰＤＮコネクションを確立することができる。例えば、ＡＰＮ１を用いて確立するオフロード用のＰＤＮコネクションと、ＡＰＮ２を用いて確立するオフロードでき、かつ異なるゲートウェイへの切り替えを行うことができるＰＤＮコネクションと、ＡＰＮ３を用いて確立するコアネットワーク７を介した通信用のＰＤＮコネクションを確立してもよい。なお、ＡＰＮ３は、ＬＧＷ４０をＰＤＮコネクションの端点として選択することは許されない、オフロード通信路の確立を許可されないＡＰＮであってよい。この場合、ＵＥ１０はＰＧＷ６０との間にＰＤＮコネクションを確立し、ＰＤＮと接続する。
【００８４】
ここで、異なるゲートウェイへの切り替えを行うことができるＰＤＮコネクションは、第１のゲートウェイ装置に対する通信路から第２のゲートウェイ装置に対する通信路に変更可能なＰＤＮコネクションであってよい。
【００８５】
なお、ＡＰＮを用いてＰＤＮコネクションを確立するとは、ＵＥ１０が少なくともＡＰＮをＭＭＥ３０に送信し、送信したアタッチ要求に基づいてＰＤＮコネクションを確立することであってよい。なお、ＵＥ１０は、アタッチ手続きを開始するためのアタッチ要求メッセージにＡＰＮを含めてＭＭＥ３０に送信してもよいし、その他のアタッチ手続き内の制御メッセージに含めてＡＰＮをＭＭＥに送信してもよい。
【００８６】
また、割り当てられたＰＤＮタイプとは、ＵＥ１０に割り当てられるＩＰアドレスのバージョンを示す情報である。ＩＰアドレスのバージョンとして、ＩＰｖ４とＩＰｖ６がある。ここで、割り当てられるＰＤＮタイプはアタッチ受託にＩＰアドレスとともにＵＥ１０に通知され、ＵＥ１０は通知されたＰＤＮタイプを割り当てられるＰＤＮタイプとして管理する。
【００８７】
ここで、ＵＥ１０はアタッチ要求に、ＩＰアドレスのバージョンを示す情報であるＰＤＮタイプを含めることで、割り当てられるＩＰアドレスのバージョンを要求することができる。
【００８８】
ＩＰアドレスは、ＵＥ１０に割り当てられたＩＰアドレスである。ＵＥ１０は割り当てられたＩＰアドレスを利用して、上りリンクデータの送信や下りリンクデータの受信を行う。
【００８９】
デフォルトベアラは、ＵＥ１０がＬＴＥ  ＡＮ９内のｅＮＢ２０と接続する際に確立するＵＥ１０とｅＮＢ２０の間の無線通信路である無線ベアラを識別する情報である。
【００９０】
デフォルトベアラはＥＰＳベアラＩＤであっても良く、無線ベアラＩＤであっても良く、ＬＢＩ（Ｌｉｎｋｅｄ  Ｂｅａｒｅｒ  ＩＤ）であって良い。なお、ＬＢＩは、ベアラＩＤと関連付けられる情報である。
【００９１】
ＵＥ１０は、ＡＰＮと割り当てられるＰＤＮタイプとＩＰアドレスとデフォルトベアラと、を有効なＰＤＮコネクション毎に管理される情報要素として、関連付けて管理して良い。
【００９２】
ＥＰＳベアラＩＤはＵＥ１０がＬＴＥ  ＡＮ９内のｅＮＢ２０と接続する際に確立するＵＥ１０とｅＮＢ２０の間の無線通信路である無線ベアラを識別する情報である。
【００９３】
ＥＰＳベアラＩＤは無線ベアラＩＤであっても良く、ＬＢＩ（Ｌｉｎｋｅｄ  Ｂｅａｒｅｒ  ＩＤ）であって良い。なお、ＬＢＩは、ベアラＩＤと関連付けられる情報である。
【００９４】
また、ＵＥ１０は、最初にＰＤＮへ接続した場合に割り当てられるベアラに対するベアラＩＤをデフォルトベアラとして管理し、同じＰＤＮコネクションにおいて別のベアラが割り当てられた場合には、ＥＰＳベアラＩＤとして管理して良い。
【００９５】
ＥＰＳベアラＱｏＳは、ＥＰＳベアラＩＤとともに関連付けられるＱｏＳ（Ｑｕａｌｉｔｙ  ｏｆ  Ｓｅｒｖｉｃｅ）を示す情報である。ＥＰＳベアラＱｏＳはデフォルトベアラとは関連付けられず、ＰＤＮコネクション内においてデフォルトベアラとは別のＥＰＳベアラが割り当てられた場合におけるＱｏＳを示す情報である。
【００９６】
ＵＥ１０は、ＥＰＳベアラＩＤとＥＰＳベアラＱｏＳと、をＰＤＮコネクション内でＥＰＳベアラ毎に管理される情報要素として、関連付けて管理して良い。
【００９７】
また、ＵＥ１０は、有効なＰＤＮコネクション毎に管理される情報要素と、ＰＤＮコネクション内でＥＰＳベアラ毎に管理される情報要素を関連付けて管理して良い。つまり、ＵＥ１０は、ＡＰＮと割り当てられるＰＤＮタイプとＩＰアドレスとデフォルトベアラとＥＰＳベアラＩＤとＥＰＳベアラＱｏＳを関連付けて管理して良い。
【００９８】
なお、ＵＥ１０は、複数の通信路を確立してもよい。つまり、確立したＰＤＮコネクション毎にＵＥ通信路コンテキスト１４２を作成し、管理しても良い。
【００９９】
また、ＵＥ１０は、上記で示した情報以外に基地局識別情報やサービス識別情報を管理しても良い。
【０１００】
基地局識別情報は、ｅＮＢ２０を識別する情報であって良い。また、基地局識別情報は、通信サービスを提供する移動通信事業者を識別する事業者識別コードと、基地局識別コードを組み合わせて構成して良い。これにより、複数の移動通信事業者が提供する複数の移動通信ネットワークにおいて一意な識別情報とすることができる。
【０１０１】
サービス識別情報は、移動通信事業者がＩＰ通信ネットワーク５で提供するサービスを識別する情報である。サービス識別情報は、ＡＰＮであって良いし、ＦＱＤＮ（Ｆｕｌｌｙ  Ｑｕａｌｉｆｉｅｄ  Ｄｏｍａｉｎ  Ｎａｍｅ）などのサービスドメイン識別情報であって良い。これに限らずサービスと対応づけられた識別情報であって良い。さらに、サービスとはＩＭＳに基づいた音声通話サービスや、ビデオ配信サービスなどであって良いし、グループ通信を提供するサービスであって良い。サービス識別情報は、こうしたサービスを識別する識別情報である。
【０１０２】
[１．２．２  ｅＮＢの構成]
図５をもとに本実施形態におけるｅＮＢ２０の機能構成を示す。ｅＮＢ２０は、制御部２００に、第１インターフェース部２１０と第２インターフェース部２２０と、データ転送部２３０と、記憶部２４０とがバスを介して接続されている。
【０１０３】
制御部２００は、ｅＮＢ２０を制御するための機能部である。制御部２００は、記憶部２４０に記憶されている各種情報、各種プログラムを読みだして実行することにより各種処理を実現する。
【０１０４】
第１インターフェース部２１０は、ＬＴＥアクセス方式によりＵＥ１０と無線通信路を確立し、無線通信によるデータの送受信を実行する機能部である。第１インターフェース部２１０には、外部アンテナ２１２が接続されている。
【０１０５】
第２インターフェース部２２０は、有線接続によりコアネットワークにコアネットワーク７に接続している。コアネットワーク７への接続は、イーサネット（登録商標）や光ファイバケーブルなどにより接続して良い。
【０１０６】
記憶部２４０は、ｅＮＢ２０の各種動作に必要なプログラム、データ等を記憶する機能部である。記憶部２４０は、例えば、半導体メモリや、ＨＤＤ（Hard Disk Drive）等により構成されている。さらに、記憶部２４０には、ｅＮＢ通信路コンテキスト２４２が記憶されている。
【０１０７】
ｅＮＢ通信路コンテキスト２４２は、ｅＮＢ２０が確立する通信路に対応づけられて記憶される情報群である。図５にｅＮＢ通信路コンテキスト２４２の具体例を示す。図５は、ＡＰＮ１でＰＤＮコネクションを確立した場合（パターン１）における、ｅＮＢ２０が管理する情報要素を示している。なお、ＡＰＮ２でＰＤＮコネクションを確立した場合（パターン２）における、ｅＮＢ２０が管理する情報要素も図５で示す情報要素と同様の構成である。
【０１０８】
図５に示すように、ｅＮＢ２０は、有効なＰＤＮコネクション毎に管理される情報要素として、ＭＭＥ  ＵＥ  Ｓ１  ＡＰ  ＩＤと、ＧＵＭＭＥＩと、グローバルｅＮＢ  ＩＤと、トラッキングエリアＩＤと、Ｅ−ＲＡＢ  ＩＤと、ＵＥ  ＩＤと、トランスポートアドレスと、を管理する。
【０１０９】
ＭＭＥ  ＵＥ  Ｓ１  ＡＰ  ＩＤは、Ｓ１インタフェース上でＵＥを識別するために割り当てられる識別情報である。なお、ｅＮＢ２０は、ＭＭＥ３０からＭＭＥ  ＵＥ  Ｓ１  ＡＰ  ＩＤを受信し、ＭＭＥ  ＵＥ  Ｓ１  ＡＰ  ＩＤを管理して良い。ｅＮＢ２０はＭＭＥ３０からＳ１−ＡＰシグナリングで、ＭＭＥ  ＵＥ  Ｓ１  ＡＰ  ＩＤを受信して良い。
【０１１０】
ＧＵＭＭＥＩは、ＭＭＥ３０の識別番号である。ｅＮＢ２０は、ＧＵＭＭＥＩを利用して、ＵＥ１０からＭＭＥ３０へのメッセージを転送することができる。
【０１１１】
グローバルｅＮＢ  ＩＤは、ｅＮＢ２０を識別する識別情報である。また、グローバルｅＮＢ  ＩＤは、通信サービスを提供する移動通信事業者を識別する事業者識別コードと、基地局識別コードを組み合わせて構成して良い。これにより、複数の移動通信事業者が提供する複数の移動通信ネットワークにおいて一意な識別情報とすることができる。
【０１１２】
トラッキングエリアＩＤは、ｅＮＢ２０が属すトラッキングエリアを識別する識別情報である。トラッキングエリアは、ｅＮＢ２０の位置を示す情報である。
【０１１３】
Ｅ−ＲＡＢ  ＩＤ（Ｅ−ＵＴＲＡＮ  Ｒａｄｉｏ  Ａｃｃｅｓｓ  Ｂｅａｒｅｒ  ＩＤ）は、Ｅ−ＵＴＲＡＮにおける無線アクセスベアラを識別する識別情報である。ｅＮＢ２０は、ＵＥ１０と無線接続を確立する場合、ＵＥ１０にＥ−ＲＡＢ  ＩＤを割り当てる。なお、Ｅ−ＲＡＢ  ＩＤは、無線ベアラＩＤであって良く、ＥＰＳベアラＩＤであってよく、デフォルトベアラであって良い。
【０１１４】
ＵＥ  ＩＤはＵＥを識別する識別情報である。ｅＮＢ２０は、ＵＥ１０と無線接続を確立したＵＥ１０の識別情報を管理する。
【０１１５】
トランスポートアドレスは、ＵＥ１０からの上りリンクデータの転送先を示す情報である。ｅＮＢ２０は、ＵＥ１０と無線接続を確立した場合、上りリンクデータの転送先を管理する。トランスポートアドレスは、ＳＧＷ５０のＩＰアドレスやＳＧＷ５０とのＴＥＩＤ、ＬＧＷ４０のＩＰアドレスやＬＧＷ４０のＣｏｒｒｅｌａｔｉｏｎ  ＩＤやＬＨＮ  ＩＤであって良い。ＴＥＩＤ（Ｔｕｎｎｅｌ  Ｅｎｄｐｏｉｎｔ  ＩＤ）は、ＰＤＮコネクションを構成するユーザデータ配送のためのトンネル通信路の識別情報であり、ＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【０１１６】
Ｃｏｒｒｅｌａｔｉｏｎ  ＩＤは、ＳＧＷ５０におけるＴＥＩＤに対応するＬＧＷ４０におけるトンネル通信路の識別情報である。なお、Ｃｏｒｒｅｌａｔｉｏｎ  ＩＤはＳＩＰＴＯを提供することを明示した、ＳＩＰＴＯ  Ｃｏｒｒｅｌａｔｉｏｎ  ＩＤであっても良い。なお、本発明では、ＳＩＰＴＯを対象とした発明であるため、特に断らない限り、Ｃｏｒｒｅｌａｔｉｏｎ  ＩＤは、ＳＩＰＴＯを提供するＣｏｒｒｅｌａｔｉｏｎ  ＩＤである。
【０１１７】
ＬＨＮ  ＩＤ（Ｌｏｃａｌ  ＨｅＮＢ  Ｎｅｔｗｏｒｋ  ＩＤ）は、ＬＧＷ４０が属すネットワークを識別する識別情報である。
【０１１８】
ｅＮＢ２０は、ＬＧＷ４０を管理している場合、アタッチ手続きにおいて、ＬＧＷ４０の識別情報をＭＭＥ３０へ通知して良い。ｅＮＢ２０は、ＬＧＷ４０を管理している場合、サービス要求手続きにおいて、ＬＧＷ４０の識別情報をＭＭＥ３０へ通知して良い。ｅＮＢ２０は、ＬＧＷ４０を管理している場合、ＰＤＮ接続手続きにおいて、ＬＧＷ４０の識別情報をＭＭＥ３０へ通知して良い。
【０１１９】
ｅＮＢ通信路コンテキスト２４２は通信路毎に保持して良い。例えば、ＵＥ１０と確立する通信路が複数存在する場合、それぞれの通信路に対してそれぞれ保持して良い。
【０１２０】
ここでｅＮＢ通信路コンテキストの基地局情報は、ＵＥ１０を識別する情報と、ｅＮＢ２０を識別する情報とをそれぞれ記憶して良い。
【０１２１】
データ転送部２３０は、第１インターフェース部２１０を介して受信したＵＥ１０から受信データを、第２インターフェース部２２０を介してＩＰ移動通信ネットワークへ転送し、さらに、第２インターフェース部２２０を介して受信したＵＥ１０宛ての受信データを、第１インターフェース部２１０を用いてＵＥ１０へ転送する機能部である。
【０１２２】
[１．２．３  ＭＭＥの構成]
ＭＭＥ３０は、ＵＥ１０の通信路確立やサービス提供に関して、許可または不許可を決定する制御装置である。
【０１２３】
図６にＭＭＥ３０の機能構成を示す。ＭＭＥ３０は、制御部４００に、ＩＰ移動通信ネットワークインタフェース部４１０と、記憶部４４０とがバスを介して接続されている。
【０１２４】
制御部４００は、ＵＥ１０を制御するための機能部である。制御部４００は、記憶部４４０に記憶されている各種プログラムを読みだして実行することにより各種処理を実現する。
【０１２５】
ＩＰ移動通信ネットワークインタフェース部４１０は、ＭＭＥ３０がＩＰ移動通信ネットワーク５に接続するための機能部である。
【０１２６】
記憶部４４０は、ＵＥ１０の各種動作に必要なプログラム、データ等を記録する機能部である。記憶部４４０は、例えば、半導体メモリや、ＨＤＤ（Ｈａｒｄ  Ｄｉｓｋ  Ｄｒｉｖｅ）等により構成される。さらに、記憶部４４０には、ＭＭＥ通信路コンテキスト４４２が記憶されている。
【０１２７】
ＭＭＥ通信路コンテキスト４４２は、ＵＥ１０とｅＮＢ２０の間に確立される直接通信路に対応づけられて記憶される情報群である。図７にＭＭＥ通信路コンテキスト４４２の具体例を示す。図７は、ＡＰＮ１でＰＤＮコネクションを確立した場合（パターン１）における、ＭＭＥ３０が管理する情報要素と、ＡＰＮ２でＰＤＮコネクションを確立した場合（パターン２）における、ＭＭＥ３０が管理する情報要素を示している。
【０１２８】
図７に示すように、ＵＥ１０は、ＰＤＮコネクションを確立した場合、有効なＰＤＮコネクション毎に管理される情報要素として、ＡＰＮ、ＰＤＮタイプ、ＩＰアドレス、ＳＩＩＰＴＯの許可情報、ＬＨＮ  ＩＤ、ＰＤＮ  ＧＷアドレス（Ｃ−ｐｌａｎｅ）、ＰＧＷ  ＴＥＩＤ（Ｃ−ｐｌａｎｅ）、デフォルトベアラなどを管理して良い。
【０１２９】
また、ＭＭＥ３０は、ＰＤＮコネクションを確立した場合、ＰＤＮコネクション内でＥＰＳベアラ毎に管理される情報要素として、ＥＰＳベアラＩＤ、ＳＧＷ  ＩＰアドレス（Ｓ１−ｕ）、ＳＧＷ  ＴＥＩＤ（Ｓ１−ｕ）、ＰＧＷ  ＩＰアドレス（ｕ−ｐｌａｎｅ）、ＰＧＷ  ＴＥＩＤ（ｕ−ｐｌａｎｅ）、ＥＰＳベアラＱｏＳ、ＴＦＴ（Ｔｒａｆｆｉｃ  Ｆｌｏｗ  Ｔｅｍｐｌａｔｅ）などを管理して良い。
【０１３０】
ＡＰＮ（アクセスポイントネーム）は、ＩＰ移動通信ネットワーク５においてＵＥ１０が確立するＰＤＮコネクションの端点となるゲートウェイ装置を選択するために使用される識別情報である。また、ＡＰＮは、ＰＤＮ９０に対応づけた識別情報であったよい。ＩＭＳや映像配信など、サービスごとに異なるＰＤＮ９０が構成されている場合には、サービスを識別する識別情報としても使用することができる。なお、ＳＩＰＴＯ可能なＰＤＮコネクションを確立可能なオフロード通信用のＡＰＮと、オフロード通信を行わないＡＰＮとを、異なるＡＰＮとして管理してもよい。この場合、オフロード用のＡＰＮで選択されるゲートウェイは、ＬＧＷ４０であり、オフロード通信を行わないＡＰＮで選択されるゲートウェイは、コアネットワーク７に構成されるＰＧＷ６０であって良い。
【０１３１】
また、ＡＰＮは、異なるゲートウェイを端点としたＰＤＮコネクションへの切り替えを許可する許可情報と対応づけられていても良い。
【０１３２】
例えば、ＡＰＮ１は、ＳＩＰＴＯ用のＰＤＮコネクションが確立可能なＡＰＮであり、異なるゲートウェイを端点としたＰＤＮコネクションへの切り替えは許可されないＡＰＮであり、ＡＰＮ２は、ＳＩＰＴＯ用のＰＤＮコネクションが確立可能であり、且つ異なるゲートウェイを端点としたＰＤＮコネクションへの切り替えを許可するＡＰＮであり、ＡＰＮ３は、ＳＩＰＴＯ用のＰＤＮコネクションを確立することができず、且つ異なるゲートウェイを端点としたＰＤＮコネクションへの切り替えは許可されないＡＰＮであり、ＡＰＮ４は、ＳＩＰＴＯ用のＰＤＮコネクションを確立することができず、且つ異なるゲートウェイを端点としたＰＤＮコネクションへの切り替えは許可されているＡＰＮなどであってよい。
【０１３３】
つまり、ＡＰＮ１は、ＳＩＰＴＯ用のＰＤＮコネクションが確立可能なＡＰＮであり、異なるゲートウェイを端点としたＰＤＮコネクションへの切り替えは許可されない許可情報と対応付けられたＡＰＮであってよい。
【０１３４】
さらに、ＡＰＮ１は、ＳＩＰＴＯ用のＰＤＮコネクションが確立可能なＡＰＮであり、異なるゲートウェイを端点としたＰＤＮコネクションへの切り替えは許可された許可情報と対応付けられていないＡＰＮであってよい。
【０１３５】
また、ＡＰＮ２は、第一のＰＤＮコネクションの通信路をあるゲートウェイ装置（またはあるゲートウェイ装置に対する通信路）から異なるゲートウェイ装置（または異なるゲートウェイ装置に対する通信路）に変更することを許可する許可情報と対応付けられたＡＰＮであってよい。
【０１３６】
さらに、ＡＰＮ３は、ＳＩＰＴＯ用のＰＤＮコネクションを確立することができず、且つ異なるゲートウェイを端点としたＰＤＮコネクションへの切り替えは許可されない許可情報と関連付けられるＡＰＮであってよい。
【０１３７】
また、ＡＰＮ４は、ＳＩＰＴＯ用のＰＤＮコネクションを確立することができず、且つ異なるゲートウェイを端点としたＰＤＮコネクションへの切り替えは許可される許可情報と関連付けられるＡＰＮなどであってよい。
【０１３８】
ＭＭＥ３０は、ＵＥ毎に、ＵＥが使用可能なＡＰＮを管理する。ＵＥが使用可能なＡＰＮは複数あってよい。例えば、ＭＭＥ３０は、ＵＥ１０はＡＰＮ１とＡＰＮ２とＡＰＮ３とＡＰＮ４とを用いた接続を許可すると管理してよい。
【０１３９】
ＰＤＮタイプは、ＵＥ１０に割り当てられるＩＰアドレスのバージョンを示す情報である。ＩＰアドレスのバージョンとして、ＩＰｖ４とＩＰｖ６がある。ここで、ＭＭＥ３０は、アタッチ受託にＰＤＮタイプをＩＰアドレスとともにＵＥ１０に通知し、通知したＰＤＮタイプを管理する。
【０１４０】
ＩＰアドレスは、ＵＥ１０に割り当てられたＩＰアドレスである。ＵＥ１０は割り当てられたＩＰアドレスを利用して、上りリンクデータの送信や下りリンクデータの受信を行うことができる。
【０１４１】
ＭＭＥ３０はあらかじめＵＥ１０のＩＰアドレスを管理しておいて良い。また、ＭＭＥ３０は、ＰＧＷ３０から通知されたＩＰアドレスを管理して良い。さらに、ＭＭＥ３０は、ＬＧＷ４０から通知されたＩＰアドレスを管理して良い。
【０１４２】
ＳＩＰＴＯの許可は、対応付けられるＡＰＮがＳＩＰＴＯを許可していることを示す情報が含まれる。ここで、ＳＩＰＴＯの許可情報は、ＳＩＰＴＯのＰＤＮコネクションの確立が禁止されていることを示す許可情報または、ＳＩＰＴＯ＠ＬＮを除くＳＩＰＴＯのＰＤＮコネクションの確立が許可されていることを示す許可情報または、ＳＩＰＴＯ＠ＬＮを含むＳＩＰＴＯのＰＤＮコネクションの確立が許可されていることを示す許可情報または、ＳＩＰＴＯ＠ＬＮのみのＰＤＮコネクションの確立が許可されていることを示す許可情報が含まれてよい。なお、本実施形態では、上記、ＳＩＰＴＯ＠ＬＮを含むＳＩＰＴＯのＰＤＮコネクションの確立が許可されていることを示す許可情報を、ＳＩＰＴＯとＳＩＰＴＯ＠ＬＮを許可と示す。
【０１４３】
また、ＳＩＰＯＴＯの許可は、上記の許可情報に加え、ＳＩＰＴＯ＠ＬＮおよびＳＩＰＴＯのＰＤＮコネクションの確立可能であり、かつ、異なるゲートウェイを端点としたＰＤＮコネクションへの切り替えを許可する許可情報が含まれてよい。なお、本実施形態では、上記、ＳＩＰＴＯ＠ＬＮおよびＳＩＰＴＯのＰＤＮコネクションの確立可能であり、かつ、異なるゲートウェイを端点としたＰＤＮコネクションへの切り替えを許可する許可情報を、ＣＳＩＰＴＯの許可と示す。
【０１４４】
ＬＨＮ  ＩＤは、ｅＮＢ２０が管理するＬＧＷ４０が属すネットワークを識別する識別情報である。ＭＭＥ３０は、ＵＥ１０が確立するＰＤＮコネクションにおいて、ゲートウェイの端点がＬＧＷ４０である場合に、ＬＨＮ  ＩＤを管理して良い。
【０１４５】
ＰＤＮ  ＧＷアドレス（Ｃ−ｐｌａｎｅ）は、ＰＧＷ６０における制御情報を送受信するＩＰアドレスである。ＭＭＥ３０は、ＰＤＮ  ＧＷアドレス（Ｃ−ｐｌａｎｅ）において、ＬＧＷ４０のＩＰアドレスやＰＧＷ６０のＩＰアドレスを管理する。ここで、Ｃ−ｐｌａｎｅとは、制御情報を示している。ＰＤＮ  ＧＷアドレス（Ｃ−ｐｌａｎｅ）は、制御情報を送受信するための、ＰＧＷ６０のＩＰアドレスである。また、つまり、ＰＧＷ６０は、制御情報を送受信するＰＧＷとユーザデータを送受信するＰＧＷは、同じ装置で構成されてよいし、別々の装置で構成されてよい。
【０１４６】
ＰＤＮ  ＧＷ  ＴＥＩＤ（Ｃ−ｐｌａｎｅ）は、ＰＧＷ６０におけるトンネル通信路の識別情報のことである。ＰＤＮ  ＧＷ  ＴＥＩＤはＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【０１４７】
また、ＰＤＮ  ＧＷ  ＴＥＩＤ（Ｃ−ｐｌａｎｅ）は、制御情報を送受信するための、ＰＧＷ６０のＴＥＩＤであってよい。つまり、ＰＧＷ６０は、制御情報を送受信するＰＧＷのＴＥＩＤとユーザデータを送受信するＰＧＷのＴＥＩＤが異なっていてよい。
【０１４８】
また、ＰＤＮ  ＧＷ  ＴＥＩＤ（Ｃ−ｐｌａｎｅ）には、Ｃｏｒｒｅｌａｔｉｏｎ  ＩＤが含まれてよい。Ｃｏｒｒｅｌａｔｉｏｎ  ＩＤは、ＬＧＷ４０におけるトンネル通信路の識別情報である。なお、Ｃｏｒｒｅｌａｔｉｏｎ  ＩＤはＳＩＰＴＯを提供することを明示した、ＳＩＰＴＯ  Ｃｏｒｒｅｌａｔｉｏｎ  ＩＤであっても良い。
【０１４９】
デフォルトベアラは、ＵＥ１０がＬＴＥ  ＡＮ９内のｅＮＢ２０と接続する際に確立するＵＥ１０とｅＮＢ２０の間の無線通信路である無線ベアラを識別する情報である。
【０１５０】
デフォルトベアラはＥＰＳベアラＩＤであっても良く、無線ベアラＩＤであっても良く、ＬＢＩ（Ｌｉｎｋｅｄ  Ｂｅａｒｅｒ  ＩＤ）であって良い。なお、ＬＢＩは、ベアラＩＤと関連付けられる情報である。
【０１５１】
ＭＭＥ３０は、ＡＰＮとＰＤＮタイプとＩＰアドレスとＳＩＰＴＯの許可情報と、ＬＨＮ  ＩＤと、ＰＤＮ  ＧＷアドレス（Ｃ−ｐｌａｎｅ）とＰＤＮ  ＧＷ  ＴＥＩＤ（Ｃ−ｐｌａｎｅ）とデフォルトベアラと、を有効なＰＤＮコネクション毎に管理される情報要素として、関連付けて管理して良い。
【０１５２】
ＥＰＳベアラＩＤはＵＥ１０がＬＴＥ  ＡＮ９内のｅＮＢ２０と接続する際に確立するＵＥ１０とｅＮＢ２０の間の無線通信路である無線ベアラを識別する情報である。
【０１５３】
ＥＰＳベアラＩＤは無線ベアラＩＤであっても良く、ＬＢＩ（Ｌｉｎｋｅｄ  Ｂｅａｒｅｒ  ＩＤ）であって良い。なお、ＬＢＩは、ベアラＩＤと関連付けられる情報である。
【０１５４】
また、ＭＭＥ３０は、最初にＰＤＮへ接続した場合に割り当てられるベアラに対するベアラＩＤをデフォルトベアラとして管理し、同じＰＤＮコネクションにおいて別のベアラが割り当てられる場合には、ＥＰＳベアラＩＤとして管理して良い。
【０１５５】
ＳＧＷ  ＩＰアドレス（Ｓ１−ｕ）は、ユーザデータを送受信するＳＧＷ５０のＩＰアドレスである。Ｓ１−ｕは、ＳＧＷ５０とｅＮＢ２０間のユーザデータを送受信するインタフェースを示している。なお、ＳＧＷ５０はｅＮＢ２０とユーザデータを送受信するが、ｅＮＢ２０と制御情報を送受信しない。
【０１５６】
なお、確立したＰＤＮコネクションにおいてＳＧＷ５０が含まれない場合、ＳＧＷ５０のＩＰアドレスを管理しなくてよい。
【０１５７】
ＳＧＷ  ＴＥＩＤ（Ｓ１−ｕ）は、ユーザデータを送受信するｅＮＢ２０とＳＧＷ５０間におけるトンネル通信路の識別情報のことである。なお、ＳＧＷ５０はｅＮＢ２０とユーザデータを送受信するが、ｅＮＢ２０と制御情報を送受信しない。
【０１５８】
ＳＧＷ  ＴＥＩＤ（Ｓ１−ｕ）はＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。なお、確立したＰＤＮコネクションにおいてＳＧＷ５０が含まれない場合、ＳＧＷ５０のＴＥＩＤを管理しなくてよい。
【０１５９】
ＰＧＷ  ＩＰアドレス（Ｕ−ｐｌａｎｅ）は、ユーザデータを送受信するＰＧＷ６０のＩＰアドレスである。ＭＭＥ３０は、ＰＧＷ  ＩＰアドレス（Ｕ−ｐｌａｎｅ）において、ＬＧＷ４０のＩＰアドレスやＰＧＷ６０のＩＰアドレスを管理する。なお、ＰＧＷ６０は、ユーザデータを送受信するＰＧＷと制御情報を送受信するＰＧＷは同じ装置で構成されてよいし、別々の装置で構成されてよい。
【０１６０】
ＰＧＷ  ＴＥＩＤ（Ｕ−ｐｌａｎｅ）は、ユーザデータを送受信するＰＧＷ６０におけるトンネル通信路の識別情報のことである。ＰＧＷ  ＴＥＩＤ（Ｕ−ｐｌａｎｅ）はＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。なお、ＰＧＷ６０は、ユーザデータを送受信するＰＧＷと制御情報を送受信するＰＧＷは同じ装置で構成されてよいし、別々の装置で構成されてよい。
【０１６１】
なお、ＰＤＮ  ＧＷ  ＴＥＩＤ（Ｃ−ｐｌａｎｅ）には、ＰＧＷ  ＴＥＩＤやＣｏｒｒｅｌａｔｉｏｎ  ＩＤが含まれてよい。Ｃｏｒｒｅｌａｔｉｏｎ  ＩＤは、ＬＧＷ４０におけるトンネル通信路の識別情報である。なお、Ｃｏｒｒｅｌａｔｉｏｎ  ＩＤはＳＩＰＴＯを提供することを明示した、ＳＩＰＴＯ  Ｃｏｒｒｅｌａｔｉｏｎ  ＩＤであっても良い。
【０１６２】
ＥＰＳベアラＱｏＳは、ＥＰＳベアラＩＤとともに関連付けられるＱｏＳ（Ｑｕａｌｉｔｙ  ｏｆ  Ｓｅｒｖｉｃｅ）を示す情報である。ＥＰＳベアラＱｏＳはデフォルトベアラとは関連付けられず、ＰＤＮコネクション内においてデフォルトベアラとは別のＥＰＳベアラが割り当てられた場合におけるＱｏＳを示す情報である。
【０１６３】
ＭＭＥ３０は、ＥＰＳベアラＩＤと、ＳＧＷ  ＩＰアドレス（Ｓ１−ｕ）と、ＳＧＷ  ＴＥＩＤ（Ｓ１−ｕ）と、ＰＧＷ  ＩＰアドレス（Ｕ−ｐｌａｎｅ）と、ＰＧＷ  ＴＥＩＤ（Ｕ−ｐｌａｎｅ）と、ＥＰＳベアラＱｏＳと、をＰＤＮコネクション内でＥＰＳベアラ毎に管理される情報要素として、関連付けて管理して良い。
【０１６４】
また、ＭＭＥ３０は、有効なＰＤＮコネクション毎に管理される情報要素と、ＰＤＮコネクション内でＥＰＳベアラ毎に管理される情報要素を関連付けて管理して良い。つまり、ＭＭＥ３０は、ＡＰＮとＰＤＮタイプとＩＰアドレスとＳＩＰＴＯの許可と、ＬＨＮ  ＩＤと、ＰＤＮ  ＧＷアドレス（Ｃ−ｐｌａｎｅ）と、ＰＤＮ  ＧＷ  ＴＥＩＤ（Ｃ−ｐｌａｎｅ）と、デフォルトベアラと、ＥＰＳベアラＩＤと、ＳＧＷ  ＩＰアドレス（Ｓ１−ｕ）と、ＳＧＷ  ＴＥＩＤ（Ｓ１−ｕ）と、ＰＧＷ  ＩＰアドレス（Ｕ−ｐｌａｎｅ）と、ＰＧＷ  ＴＥＩＤ（Ｕ−ｐｌａｎｅ）と、ＥＰＳベアラＱｏＳを関連付けて管理して良い。
【０１６５】
なお、ＭＭＥ３０は、複数の通信路を確立してもよい。つまり、確立したＰＤＮコネクション毎にＭＭＥ通信路コンテキスト３４２を作成し、管理しても良い。
【０１６６】
また、ＭＭＥ３０は、上記で示した情報以外に基地局識別情報やサービス識別情報を管理しても良い。
【０１６７】
基地局識別情報は、ｅＮＢ２０を識別する情報であって良い。また、基地局識別情報は、通信サービスを提供する移動通信事業者を識別する事業者識別コードと、基地局識別コードを組み合わせて構成して良い。これにより、複数の移動通信事業者が提供する複数の移動通信ネットワークにおいて一意な識別情報とすることができる。
【０１６８】
サービス識別情報は、移動通信事業者がＩＰ通信ネットワーク５で提供するサービスを識別する情報である。サービス識別情報は、ＡＰＮであって良いし、ＦＱＤＮ（Ｆｕｌｌｙ  Ｑｕａｌｉｆｉｅｄ  Ｄｏｍａｉｎ  Ｎａｍｅ）などのサービスドメイン識別情報であって良い。これに限らずサービスと対応づけられた識別情報であって良い。さらに、サービスとはＩＭＳに基づいた音声通話サービスや、ビデオ配信サービスなどであって良いし、グループ通信を提供するサービスであって良い。サービス識別情報は、こうしたサービスを識別する識別情報である。
【０１６９】
ＭＭＥ通信路コンテキスト３４２は通信路毎に保持して良い。例えば、ＵＥ１０がｅＮＢ２０と複数の通信路を確立する場合、それぞれの通信路に対してそれぞれ保持して良い。
【０１７０】
［１．３  処理の説明］
続いて、上述した移動通信システムにおける具体的な通信路の切り替え方法を説明する。図８を用いて本実施形態におけるデータの流れを説明する。
【０１７１】
図８では、まずＵＥ１０は第一のＰＤＮコネクションを確立し、第一のＰＤＮコネクションを用いてネットワーク上の通信相手となる端末とデータ通信を行う。
【０１７２】
ここで、第一のＰＤＮコネクションは、オフロード通信用のＰＤＮコネクションであってよい。つまり、第一のＰＤＮコネクションは、ｅＮＢ２０Ａを介して、ＵＥ１０とＬＧＷ４０が確立するＳＩＰＴＯ用のＰＤＮコネクションであってよい。
【０１７３】
なお、ＵＥ１０は少なくともｅＮＢ２０Ａに在圏する場合、第一のＰＤＮコネクションは最適なゲートウェイが選択されたＰＤＮコネクションを維持することができる。
【０１７４】
次に、ＵＥ１０は移動に伴い、在圏する基地局をｅＮＢ２０ＡからｅＮＢ２０Ｂに変更する。
【０１７５】
ＵＥ１０は、移動に伴い、在圏する基地局がｅＮＢ２０ＡからｅＮＢ２０Ｂに変更される。従来では、ＵＥ１０は、在圏する基地局がｅＮＢ２０ＡからｅＮＢ２０Ｂに変更されても、いったん第一のＰＤＮコネクションを削除して第二のＰＤＮコネクションを再確立しない限り、ＬＧＷ４０を選択された第一のＰＤＮコネクションを維持していた。つまり、ＵＥ１０は、ｅＮＢ２０Ｂを経由してＬＧＷ４０への第一のＰＤＮコネクションを維持する。ここで、ＵＥ１０がｅＮＢ２０Ｂに在圏する場合、ＬＧＷ４０は必ずしもオフロードするための最適なゲートウェイではない可能性があるため、ＬＧＷ４０への第一のＰＤＮコネクションは、最適なゲートウェイが選択されたＰＤＮコネクションではない場合がある。
【０１７６】
本実施形態では、ＵＥ１０がｅＮＢ２０Ｂへ移動した場合であっても、コアネットワーク７において、既に確立した第一のＰＤＮコネクションを、最適なゲートウェイを用いた新たな第二のＰＤＮコネクションへ切り替えてＵＥの通信を行うための最適な通信制御を行う。
【０１７７】
なお、従来では、ＭＭＥ３０が既に確立した第一のＰＤＮコネクションにおいて、最適な通信路ではないことを検出した場合、ＵＥ１０へ第一のＰＤＮコネクションに対するＰＤＮコネクションの再確立要求を送信する。ＵＥ１０は、ＭＭＥ３０からＰＤＮコネクションの再確立要求を受信した場合、ＰＤＮコネクションの再確立手続きを行う。
【０１７８】
ＵＥ１０におけるＰＤＮコネクションの再確立手続きは、既に確立している第一のＰＤＮコネクションを切断するＰＤＮ切断手続き（ＰＤＮ  ｄｉｓｃｏｎｎｅｃｔｉｏｎ  ｐｒｏｃｅｄｕｒｅ）と、新たに第二のＰＤＮコネクションを確立するＰＤＮ接続手続き（ＰＤＮ  ｃｏｎｅｃｔｉｖｉｔｙ  ｐｒｏｃｅｄｕｒｅ）により行う。なお、ＵＥ１０は、ＰＤＮコネクションの再確立手続き中、再確立しているＰＤＮコネクションと関連付けられるユーザデータを送受信することができない。
【０１７９】
本実施形態では、ＭＭＥ３０が既に確立した第一のＰＤＮコネクションにおいて、最適な通信路ではないことを検出した場合、ＵＥ１０にＰＤＮコネクションの再確立を要求するのではなく、コアネットワーク７内でＰＤＮコネクションの再確立を行う。ＭＭＥ３０は、確立した第一のＰＤＮコネクションにおいて、最適な通信路ではないことを検出した場合、ＵＥ１０の第一のＰＤＮコネクションにおいて、最適なゲートウェイとして、ＰＧＷ６０を選択し、第一のＰＤＮコネクションにおけるゲートウェイを変更する手続きを行う。
【０１８０】
ＭＭＥ３０は、第一のＰＤＮコネクションに対して、選択した最適なゲートウェイ（ＰＧＷ６０）に対して、セッション確立を要求する。ここで、ＭＭＥ３０は、選択した最適なゲートウェイ（ＰＧＷ６０）にＩＰアドレスの割り当てを要求する。
【０１８１】
また、ＭＭＥ３０は、第一のＰＤＮコネクションにおける最適でないゲートウェイ（ＬＧＷ４０）に対して、セッション削除を要求する。
【０１８２】
また、ＭＭＥ３０は、第一のＰＤＮコネクションで管理していた、最適なゲートウェイ（ＰＧＷ６０）を識別する情報と、最適なゲートウェイ（ＰＧＷ６０）から受信したＩＰアドレスを更新する。
【０１８３】
また、ＭＭＥ３０は、ＵＥ１０に最適なゲートウェイ（ＰＧＷ６０）から受信したＩＰアドレスを通知する。ＵＥ１０は、ＭＭＥ３０からＩＰアドレスを受信し、第一のＰＤＮコネクションで管理していた、ＩＰアドレスを更新する。
【０１８４】
以上の手続きにより、ＵＥ１０と、最適でないゲートウェイであるＬＧＷ４０における第一のＰＤＮコネクションから、ＵＥ１０と、最適なゲートウェイであるＰＧＷ６０における第一のＰＤＮコネクションへ変更することができる。
【０１８５】
なお、ＵＥ１０は、コアネットワーク７内でＰＤＮコネクションの再確立中であっても、ＰＤＮコネクションを再確立しているＰＤＮコネクションに気付くことなく、通信路の切り替えによるパケットロス等やディレイを少なくすることができ、シームレス性が向上する。
【０１８６】
[１．３．１  アタッチ手続き]
まず、図９を用いて、ＵＥ１０におけるアタッチ手続きを説明する。なお、ＵＥ１０はアタッチ手続きにより、ＡＰＮ２を利用して、第二のＰＤＮコネクションを確立することができる。ＵＥ１０は、第二のＰＤＮコネクションを用いてＰＤＮ９０に含まれる通信装置（Ｃｏｒｒｅｓｐｏｎｄｉｎｇ  Ｎｏｄｅ）とデータ送受信を行うことができる。
【０１８７】
まず、ＵＥ１０はｅＮＢ２０Ａにアタッチ要求を送信し、アタッチ要求手続きを開始する（Ｓ９０２）。ＵＥ１０は、アタッチ要求に、ＡＰＮを含めて送信する。また、ＵＥ１０は、ＵＥ１０に割り当てられるＩＰアドレスのバージョンを規定するために、アタッチ要求に、ＰＤＮタイプを含めて送信しても良い。
【０１８８】
例えば、ＵＥ１０は、ＡＰＮ１を用いて第二のＰＤＮコネクションの確立を要求し、ＳＩＰＴＯ用のＰＤＮコネクションであり、且つ、異なるゲートウェイを端点としたＰＤＮコネクションへの切り替えは許可されないＰＤＮコネクションを確立してもよい。
【０１８９】
また、ＵＥ１０はアタッチ手続きにより、ＡＰＮ１を利用して、第一のＰＤＮコネクションを確立してよい。ＵＥ１０は、第一のＰＤＮコネクションを用いてＰＤＮ９０に含まれる通信装置（Ｃｏｒｒｅｓｐｏｎｄｉｎｇ  Ｎｏｄｅ）とデータ送受信を行うことができる。
【０１９０】
なお、ＡＰＮ１を利用して確立される第一のＰＤＮコネクションは、第一のＰＤＮコネクションの通信路をあるゲートウェイ装置に対する通信路から異なるゲートウェイ装置に対する通信路に変更できないＰＤＮコネクションであってよい。
【０１９１】
また、ＡＰＮ１はＳＩＰＴＯ用のＰＤＮコネクションが確立可能であり、且つ異なるゲートウェイを端点としたＰＤＮコネクションへの切り替えを許可する許可情報と対応付けられていないＡＰＮであってよい。
【０１９２】
また、ＵＥ１０は、ＡＰＮ２を用いて第二のＰＤＮコネクションの確立を要求し、ＳＩＰＴＯ用のＰＤＮコネクションであり、且つ、異なるゲートウェイを端点としたＰＤＮコネクションへの切り替えが許可されるＰＤＮコネクションを確立してもよい。
【０１９３】
なお、第二のＰＤＮコネクションは、第二のＰＤＮコネクションの通信路をあるゲートウェイ装置に対する通信路から異なるゲートウェイ装置に対する通信路に変更可能なＰＤＮコネクションであってよい。
【０１９４】
また、ＡＰＮ２はＳＩＰＴＯ用のＰＤＮコネクションが確立可能であり、且つ異なるゲートウェイを端点としたＰＤＮコネクションへの切り替えを許可するＡＰＮであってよい。
【０１９５】
次に、ｅＮＢ２０Ａは、ＭＭＥ３０へＵＥ１０が送信したアタッチ要求を送信する（Ｓ９０４）。ここで、ｅＮＢ２０Ａは、ＭＭＥ３０へ送信するアタッチ要求に、ＬＧＷ４０など、ｅＮＢ２０Ａが管理する近隣ゲートウェイの識別情報を含めて良い。また、ｅＮＢ２０ＡはＭＭＥ３０へ送信するアタッチ要求に、ＬＧＷ４０のネットワークを示すＬＨＮ  ＩＤを含めて良い。
【０１９６】
また、ｅＮＢ２０Ａは、アタッチ要求を用いるのではなく、予めこうした情報をＭＭＥ３０へ通知しておいてもよい。
【０１９７】
例えば、ｅＮＢ２０ＡはＭＭＥ３０へアタッチ要求とは別に、初期ＵＥメッセージや上りリンクＮＡＳトランスポートメッセージに含めて、ＬＨＮ  ＩＤを通知しても良い。また、ｅＮＢ２０ＡはＭＭＥ３０へアタッチ要求とは別に、初期ＵＥメッセージや上りリンクＮＡＳトランスポートメッセージに含めて、ＬＧＷ４０のＬＧＷアドレスなど、近隣ゲートウェイを識別する情報を通知してもよい。
【０１９８】
ＭＭＥ３０はＵＥ１０またはｅＮＢ２０Ａからアタッチ要求を受信する。ＭＭＥ３０はアタッチ要求を受信し、ＵＥ１０がＰＤＮコネクションを確立することを検知する。
【０１９９】
ここで、ＵＥ１０がＰＤＮコネクションを確立することを示す情報は、アタッチ要求に含まれるＡＰＮであってよい。つまり、ＭＭＥ３０は、アタッチ要求に含まれるＡＰＮをもとに行ってよい。また、ＭＭＥ３０は、ＵＥ１０の許可情報や能力情報をもとに、ＰＤＮコネクションを確立することを検出して良い。
【０２００】
さらに、ＭＭＥ３０は、ＰＤＮ接続要求に含まれるＡＰＮにより、ＰＤＮコネクションを確立するためのＧＷ選択をしてもよい。ここで、ＧＷ選択とは、ＵＥ１０が確立する第一のＰＤＮコネクションの端点となるゲートウェイ装置を選択することである。
【０２０１】
ＭＭＥ３０は、ＬＧＷ４０など、ｅＮＢ２０Ａの近傍のゲートウェイ装置を選択する。さらに、ＭＭＥ３０は、ＡＰＮ１もしくはＡＰＮ２など、ＳＩＰＴＯ用のＰＤＮコネクションの確立を許可するＡＰＮを受信した場合には、アクセスネットワーク９に含まれるゲートウェイを選択してよい。
【０２０２】
なお、ＭＭＥ３０は、ｅＮＢ２０Ａの近隣のゲートウェイを選択し、ＰＤＮコネクションを確立してもよい。ＭＭＥ３０は、ｅＮＢ２０Ａから通知されたＬＧＷ４０のＬＧＷアドレスにより、ｅＮＢ２０Ａの近隣ゲートウェイを選択して良い。ＭＭＥ３０は、ｅＮＢ２０Ａから通知されたＬＧＷ４０のＬＨＮ  ＩＤにより、ｅＮＢ２０Ａの近隣ゲートウェイを選択して良い。
【０２０３】
また、ＭＭＥ３０はＨＳＳ７０に問い合わせを行うことにより、ゲートウェイを選択してもよい。ＭＭＥ３０は、ＡＰＮと位置情報をＨＳＳ７０に送信し、ＬＧＷ４０などの識別情報を受け取ってよい。
【０２０４】
また、ＡＰＮは、第一のＰＤＮコネクションの通信路をあるゲートウェイ装置（またはあるゲートウェイ装置に対する通信路）から異なるゲートウェイ装置（または異なるゲートウェイ装置に対する通信路）に変更することを許可する許可情報と対応付けられたＡＰＮであってよい。
【０２０５】
次に、ＭＭＥ３０はＳＧＷ４０へセッション生成要求を送信する（Ｓ９０６）。ここで、ＭＭＥ３０はセッション生成要求を送信するＳＧＷ４０をＳＧＷ選択機能により、あらかじめ選択しておいて良い。ＳＧＷ選択機能では、ＵＥの位置情報を利用して、ＳＧＷ５０を選択して良い。また、ＳＧＷ５０の選択するために、移動通信事業者が規定するオペレータポリシーを利用しても良い。
【０２０６】
また、ＭＭＥ３０は、セッション生成要求に、ＰＧＷアドレス、ＡＰＮ、ＰＤＮタイプ、ＥＰＳベアラＩＤを含めて良い。
【０２０７】
ここで、ＰＤＮ  ＧＷアドレスはＭＭＥ３０がＧＷ選択で選択したゲートウェイの識別情報であって良い。具体的には、ＬＧＷ４０を識別する識別情報やＰＧＷ６０を識別する識別情報が含まれてよい。ここでは、ＬＧＷ４０を選択し、ＬＧＷ４０を識別する識別情報を含める。
【０２０８】
ＭＭＥ３０は、ＡＰＮとしてＡＰＮ２を含めることとして説明する。なお、ＡＰＮ２は、ＳＩＰＴＯのＰＤＮコネクションであって、より最適なゲートウェイを用いた新たなＰＤＮコネクションを確立することを示していてよい。
【０２０９】
ＰＤＮタイプは、ＭＭＥ３０がＵＥ１０のユーザとの契約情報などにより、決定されて良い。また、ＭＭＥ３０は、ＵＥ１０から送信されたアタッチ要求に含まれたＰＤＮタイプを認証することにより、ＰＤＮタイプを決定して良い。
【０２１０】
ＥＰＳベアラＩＤは、ＭＭＥ３０がＵＥ１０に割り当てるベアラ識別情報であってよい。なお、ＥＰＳベアラＩＤはデフォルトベアラを識別する識別情報であってよい。
【０２１１】
ＳＧＷ５０はＬＧＷ４０へセッション生成要求を送信する（Ｓ９０８）。ここで、ＳＧＷ５０は、セッション生成要求を送信するＬＧＷ４０を、ＭＭＥ３０からＳＧＷ５０に送信されたセッション生成要求に含まれるＰＤＮ  ＧＷアドレスの識別情報により決定して良い。また、ＳＧＷ５０は、セッション生成要求に、ＡＰＮ、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＰＤＮタイプ、ＥＰＳベアラＩＤを含めて良い。
【０２１２】
ＡＰＮ、ＰＤＮタイプ、ＥＰＳベアラＩＤは、それぞれＭＭＥ３０から送信されたセッション生成要求に含まれるＡＰＮ、ＰＤＮタイプ、ＰＤＮアドレス、ＥＰＳベアラＩＤを利用して良い。
【０２１３】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＳＧＷ５０において、あらかじめ管理されている情報であって良い。
【０２１４】
セッション生成要求を受信したＬＧＷ４０はＩＰアドレス割り当て処理を行う（Ｓ９０９）。ここで、ＬＧＷ４０は、第３のサーバ装置（ＤＨＣＰやステートレスアドレス設定など）により、ＩＰアドレスの割り当てを委託している場合、第３のサーバ装置から割り当てを示す情報を示してよい。
【０２１５】
また、ＬＧＷ４０はセッション確立手続きを行って良い。ここで、ＬＧＷ４０は、セッション確立手続きにおいて、デフォルトのＱｏＳで通信路を確立しても良いし、デフォルトＱｏＳとは異なるＥＰＳベアラＱｏＳで通信路を確立しても良い。
【０２１６】
ＬＧＷ４０はＳＧＷ５０へセッション生成応答を送信する（Ｓ９１０）。ＬＧＷ４０は、セッション生成応答に、ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）、ＰＤＮタイプ、ＰＤＮアドレス、ＥＰＳベアラＩＤ、ＥＰＳベアラＱｏＳを含めて良い。
【０２１７】
ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）は、ＬＧＷ４０があらかじめ管理している情報であってよい。ここで、ＰＧＷアドレス（Ｕ−ｐｌａｎｅ）は、ＬＧＷ４０を識別する識別情報であって良い。また、ＰＧＷ  ＴＥＩＤ（Ｕ−ｐｌａｎｅ）、ＰＧＷ  ＴＥＩＤ（Ｃ−ｐｌａｎｅ）は、それぞれＣｏｒｒｅｌａｔｉｏｎ  ＩＤであってよい。Ｃｏｒｒｅｌａｔｉｏｎ  ＩＤは、ＬＧＷ４０におけるトンネル通信路の識別情報である。なお、Ｃｏｒｒｅｌａｔｉｏｎ  ＩＤはＳＩＰＴＯを提供することを明示した、ＳＩＰＴＯ  Ｃｏｒｒｅｌａｔｉｏｎ  ＩＤであっても良い。
【０２１８】
ＰＤＮタイプはＳＧＷ５０から送信されたセッション生成要求（Ｓ９０８）に含まれるＰＤＮタイプであってよい。
【０２１９】
ＰＤＮアドレスは、ＬＧＷ４０がＵＥ１０に割り当てたＩＰアドレスであって良い。ここで、第３のサーバ装置により、ＩＰアドレスの割り当てを委託する場合、第３のサーバ装置から割り当てを示す情報を含めて良い。
【０２２０】
ＥＰＳベアラＩＤ、ＥＰＳベアラＱｏＳは、デフォルトベアラとは異なるＱｏＳが確立される場合に関する情報要素であって良い。
【０２２１】
さらに、ＳＧＷ５０はＭＭＥ３０へセッション生成応答を送信する（Ｓ９１２）。ここで、ＳＧＷ５０は、セッション生成応答に、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを含めて良い。
【０２２２】
ここで、ＰＤＮタイプ、ＰＤＮアドレス、ＥＰＳベアラＩＤ、ＥＰＳベアラＱｏＳ、ＰＧＷアドレス（Ｕ−ｐｌａｎｅ）、ＰＧＷ  ＴＥＩＤは、ＬＧＷ４０から送信されたセッション生成要求（Ｓ９１０）に含まれる情報要素であってよい。
【０２２３】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＳＧＷ５０で管理される情報要素であって良い。
【０２２４】
ＭＭＥ３０は、セッション生成応答を受信する。ＭＭＥ３０はセッション生成応答に含まれる、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを、ＡＰＮ、ＳＩＰＴＯの許可情報、ＬＨＮ  ＩＤとともに管理して良い。
【０２２５】
ＭＭＥ３０は図７で示すＭＭＥ通信路コンテキスト３４２におけるＵＥの移動前の有効なＰＤＮコネクション毎に管理される情報要素と、ＰＤＮコネクション内でＥＰＳベアラ毎に管理される情報要素を管理することができる。
【０２２６】
以上により、ＭＭＥ３０は、第一のＰＤＮコネクションに関する情報を管理することができる。
【０２２７】
次に、ＭＭＥ３０は、ｅＮＢ２０Ａへ初期コンテキスト設定要求/アタッチ受託を送信する（Ｓ９１４）。
【０２２８】
なお、ＭＭＥ３０は初期コンテキスト設定要求またはアタッチ受託に、新しく確立する第一のＰＤＮコネクションに関する情報を含めて通知する。
【０２２９】
アタッチ受託には、ＡＰＮ、ＰＤＮタイプ、ＰＤＮアドレス、ＥＰＳベアラＩＤ、ＥＰＳベアラＱｏＳが含まれてよい。
【０２３０】
また、初期コンテキスト設定要求には、ＥＰＳベアラＱｏＳ、ＥＰＳベアラＩＤ、ＳＧＷ  ＴＥＩＤ（Ｕ−ｐｌａｎｅ）、ＳＧＷアドレス（Ｕ−ｐｌａｎｅ）が含まれてよい。また、ＬＧＷを端点とするＰＤＮコネクション（ＳＩＰＴＯ＠ＬＮにおけるＰＤＮコネクション）が確立される場合、初期コンテキスト要求には、ＳＩＰＴＯ  Ｃｏｒｒｅｌａｔｉｏｎ  ＩＤが含まれてよい。
【０２３１】
ｅＮＢ２０Ｂは初期コンテキスト設定要求/アタッチ受託を受信する。ｅＮＢ２０Ａはベアラ変更要求に含まれる、ＥＰＳベアラＩＤ、ＥＰＳベアラＱｏＳに基づいて、ＵＥ１０との無線ベアラを確立することを決定する。ここで、ｅＮＢ２０Ａは、ＥＰＳベアラＩＤ、ＥＰＳベアラＱｏＳに基づいて、Ｅ−ＲＡＢ  ＩＤを決定して良い。
【０２３２】
また、ｅＮＢ２０Ｂはベアラ変更要求に含まれる、ＳＧＷ  ＴＥＩＤ（Ｕ−ｐｌａｎｅ）、ＳＧＷアドレス（Ｕ−ｐｌａｎｅ）、ＳＩＰＴＯ  Ｃｏｒｒｅｌａｔｉｏｎ  ＩＤを管理して良い。
【０２３３】
以上により、ｅＮＢ２０Ａは、図５（ａ）移動前で示す、ｅＮＢ通信路コンテキスト２４２における情報要素を管理することができる。
【０２３４】
次に、ｅＮＢ２０Ａは、ＵＥ１０へＲＲＣ接続再設定を送信する（Ｓ９１６）。なお、ｅＮＢ２０ＡはＵＥ１０へＲＲＣ接続再設定通知にアタッチ受託を含める。ここで、ｅＮＢ２０はＵＥ１０へＲＲＣ接続再設定通知とは別にアタッチ受託を含めて良い。つまり、ｅＮＢ２０はアタッチ受託を転送することにより、新しく確立した第一のＰＤＮコネクションに関する情報を通知する。
【０２３５】
ＵＥ１０はｅＮＢ２０ＡからＲＲＣ接続再設定とアタッチ受託を受信する。ここで、ＵＥ１０はｅＮＢ２０Ａからアタッチ受託に含まれる新しく確立した第一のＰＤＮコネクションに関する情報を検知し、ＵＥ１０において管理する。
【０２３６】
なお、第一のＰＤＮコネクションに関する情報は、ＡＰＮ、ＰＤＮタイプ、ＰＤＮアドレス、ＥＰＳベアラＩＤ、ＥＰＳベアラＱｏＳであって良い。
【０２３７】
次に、ＵＥ１０はＩＰアドレスの取得処理を行う（Ｓ９１７）。ここで、ＵＥ１０は、アタッチ受託に含まれるＰＤＮアドレスをＩＰアドレスとして取得して良い。
【０２３８】
また、ＵＥ１０は、アタッチ受託に含まれるＰＤＮアドレスにＤＨＣＰによるＩＰアドレスを取得することを示す情報が含まれている場合には、ＤＨＣＰサーバから、ＩＰアドレスを取得して良い。ここで、ＤＨＣＰサーバは、コアネットワーク７とは異なる外部サーバであっても良いし、ＬＧＷ４０であっても良い。
【０２３９】
また、ＵＥ１０は、アタッチ受託に含まれるＰＤＮアドレスにステートレスアドレス自動設定によりＩＰアドレスを取得することを示す情報が含まれている場合には、ＵＥ１０は、ルータ装置から、ルータ広告（ＲＡ）を受信して、ルータ広告に基づいてＩＰアドレスを取得しても良い。ここで、ルータ装置はコアネットワーク７とは異なる外部サーバであっても良いし、ＬＧＷ４０であっても良い。
【０２４０】
ＵＥ１０は、上記の方法により、ＩＰアドレスを取得し、ＵＥ１０において第一のＰＤＮコネクションとして管理する。ＵＥ１０は、図３（ａ）移動前で示す、ＵＥ通信路コンテキスト１４２において、第一のＰＤＮコネクションに関する情報を管理することができ、第一のＰＤＮコネクションにおいて上りリンクデータを送信することができる。
【０２４１】
また、ＵＥ１０は、ＲＲＣ接続再設定完了を送信する（Ｓ９１８）。ｅＮＢ２０Ａは、ＲＲＣ接続再設定（Ｓ９１６）に対する応答としてＲＲＣ接続再設定完了を受信し、初期コンテキスト設定応答をＭＭＥ３０へ送信する（Ｓ９２０）。
【０２４２】
また、ＵＥ１０はｅＮＢ２０Ａへ直接転送を送信する（Ｓ９２２）。ここで、直接転送には、アタッチ完了を含めて良い。アタッチ完了には、ＥＰＳベアラＩＤを含めて良い。
【０２４３】
ｅＮＢ２０ＡはＵＥ１０から直接転送を受信し、直接転送に含まれるアタッチ完了をＭＭＥ３０へ転送する（Ｓ９２４）。初期コンテキスト設定応答と、アタッチ完了を受信したＭＭＥ３０は、ＳＧＷ５０へベアラ変更要求を送信する（Ｓ９２６）。ＳＧＷ５０は、ＭＭＥ３０からベアラ変更要求を受信し、ＭＭＥ３０へベアラ変更応答を送信する（Ｓ９２８）。
【０２４４】
以上の手続きにより、ＵＥ１０とＬＧＷ４０間における第一のＰＤＮコネクションを確立することができる。つまり、ＵＥ１０は、ＡＰＮをコアネットワーク７に送信して、第一のＰＤＮコネクションを確立することができる。
【０２４５】
また、ＵＥ１０は、第一のＰＤＮコネクションに関する情報として、図３（ａ）移動前で示すＵＥ通信路コンテキスト１４２において、ＡＰＮ、割り当てられるＰＤＮタイプ、ＩＰアドレス、デフォルトベアラ、ＥＰＳベアラＩＤ、ＥＰＳベアラＱｏＳを管理することができる。
【０２４６】
また、ｅＮＢ２０Ａは、第一のＰＤＮコネクションに関する情報として、図５で示すｅＮＢ通信路コンテキスト２４２においてＭＭＥ  ＵＥ  Ｓ１  ＡＰ  ＩＤ、ＧＵＭＭＥＩ、グローバルｅＮＢ  ＩＤ、トラッキングエリアＩＤ、Ｅ−ＲＡＢ  ＩＤ、ＵＥ  ＩＤ、トランスポートアドレスを管理することができる。
【０２４７】
さらに、ＭＭＥ３０は、第一のＰＤＮコネクションに関する情報として、図７で示すＭＭＥ通信路コンテキスト３４２において、ＡＰＮ、ＰＤＮタイプ、ＩＰアドレス、ＳＩＰＴＯの許可（情報）、ＬＨＮ  ＩＤ、ＰＤＮ  ＧＷアドレス（Ｃ−ｐｌａｎｅ）、ＰＤＮ  ＧＷ  ＴＥＩＤ（Ｃ−ｐｌａｎｅ）、デフォルトベアラ、ＥＰＳベアラＩＤ、ＳＧＷ  ＩＰアドレス（Ｓ１−ｕ）、ＳＧＷ  ＴＥＩＤ（Ｓ１−ｕ）、ＰＧＷ  ＩＰアドレス（Ｕ−ｐｌａｎｅ）、ＰＧＷ  ＴＥＩＤ（Ｕ−ｐｌａｎｅ）、ＥＰＳベアラＱｏＳを管理することができる。
【０２４８】
以上により、ＵＥ１０は、第一のＰＤＮコネクションを用いてＬＧＷ４０経由のデータの送受信を行うことができる。なお、第一のＰＤＮコネクションは、第一のＰＤＮコネクションの通信路をあるゲートウェイ装置に対する通信路から異なるゲートウェイ装置に対する通信路に変更可能なＰＤＮコネクションである。
【０２４９】
なお、ＵＥ１０は、アタッチ要求（Ｓ９０２）にＡＰＮとして、ＡＰＮ２を含めて、アタッチ手続きを完了し、第一のＰＤＮコネクションを確立した場合、図３におけるパターン２（ａ）移動前におけるＵＥ通信路コンテキスト１４２で示すように、ＡＰＮとしてＡＰＮ２、割り当てられるＰＤＮタイプとしてＰＤＮタイプ２、ＩＰアドレスとしてＩＰアドレス２、デフォルトベアラとしてＥＰＳベアラＩＤ２、ＥＰＳベアラＩＤとしてＥＰＳベアラＩＤ６、ＥＰＳベアラＱｏＳとしてＥＰＳベアラＱｏＳ２を管理する。
【０２５０】
このとき、ｅＮＢ２０は、図５におけるｅＮＢ通信路コンテキスト２４２で示すように、ＭＭＥ  ＵＥ  Ｓ１  ＡＰ  ＩＤとして、ＭＭＥ  ＵＥ  Ｓ１  ＡＰ  ＩＤ１、ＧＵＭＭＥＩとしてＧＵＭＭＥＩ１、グローバルｅＮＢ  ＩＤ１、トラッキングエリアＩＤとしてトラッキングエリアＩＤ１、Ｅ−ＲＡＢ  ＩＤとしてＥ−ＲＡＢ  ＩＤ１、ＵＥ  ＩＤとしてＵＥ  ＩＤ１、トランスポートアドレスとして、Ｃｏｒｒｅｌａｔｉｏｎ  ＩＤ１とＬＧＷ  ＩＰアドレス１を管理する。
【０２５１】
また、ＭＭＥ３０は、図７におけるＭＭＥ通信路コンテキスト３４２で示すように、ＡＰＮとしてＡＰＮ２、ＰＤＮタイプとしてＰＤＮタイプ２、ＩＰアドレスとしてＩＰアドレス２、ＳＩＰＴＯの許可として、ＣＳＩＰＴＯを許可、ＬＨＮ  ＩＤとしてＬＨＮ  ＩＤ１、ＰＤＮ  ＧＷアドレス（Ｃ−ｐｌａｎｅ）としてＬＧＷアドレス１、ＰＤＮ  ＧＷ  ＴＥＩＤ（Ｃ−ｐｌａｎｅ）としてＣｏｒｒｅｌａｔｉｏｎ  ＩＤ１、デフォルトベアラとしてＥＰＳベアラＩＤ２、ＥＰＳベアラＩＤとしてＥＰＳベアラＩＤ６、ＰＧＷ  ＩＰアドレス（Ｕ−ｐｌａｎｅ）としてＬＧＷ  ＩＰアドレス１、ＰＧＷ  ＴＥＩＤ（Ｕ−ｐｌａｎｅ）としてＣｏｒｒｅｌａｔｉｏｎ  ＩＤ１、ＥＰＳベアラＱｏＳとしてＥＰＳベアラＱｏＳ２を管理する。
【０２５２】
また、ＵＥ１０は、アタッチ要求（Ｓ９０２）にＡＰＮとして、ＡＰＮ１を含めて、アタッチ手続きを完了し、第一のＰＤＮコネクションを確立した場合、図３におけるパターン１（ａ）移動前におけるＵＥ通信路コンテキスト１４２で示すように、ＡＰＮとしてＡＰＮ１、割り当てられるＰＤＮタイプとしてＰＤＮタイプ１、ＩＰアドレスとしてＩＰアドレス１、デフォルトベアラとしてＥＰＳベアラＩＤ１、ＥＰＳベアラＩＤとしてＥＰＳベアラＩＤ５、ＥＰＳベアラＱｏＳとしてＥＰＳベアラＱｏＳ１を管理する。
【０２５３】
このとき、ｅＮＢ２０は、図５におけるｅＮＢ通信路コンテキスト２４２で示すように、ＭＭＥ  ＵＥ  Ｓ１  ＡＰ  ＩＤとして、ＭＭＥ  ＵＥ  Ｓ１  ＡＰ  ＩＤ１、ＧＵＭＭＥＩとしてＧＵＭＭＥＩ１、グローバルｅＮＢ  ＩＤとしてグローバルｅＮＢ  ＩＤ１、トラッキングエリアＩＤとしてトラッキングエリアＩＤ１、Ｅ−ＲＡＢ  ＩＤとしてＥ−ＲＡＢ  ＩＤ１、ＵＥ  ＩＤとしてＵＥ  ＩＤ１、トランスポートアドレスとして、Ｃｏｒｒｅｌａｔｉｏｎ  ＩＤ１とＬＧＷ  ＩＰアドレス１を管理する。
【０２５４】
また、ＭＭＥ３０は、図７におけるＭＭＥ通信路コンテキスト３４２で示すように、ＡＰＮとしてＡＰＮ１、ＰＤＮタイプとしてＰＤＮタイプ１、ＩＰアドレスとしてＩＰアドレス１、ＳＩＰＴＯの許可として、ＳＩＰＴＯとＳＩＰＴＯ＠ＬＮを許可、ＬＨＮ  ＩＤとしてＬＨＮ  ＩＤ１、ＰＤＮ  ＧＷアドレス（Ｃ−ｐｌａｎｅ）としてＬＧＷアドレス１、ＰＤＮ  ＧＷ  ＴＥＩＤ（Ｃ−ｐｌａｎｅ）としてＣｏｒｒｅｌａｔｉｏｎ  ＩＤ１、デフォルトベアラとしてＥＰＳベアラＩＤ１、ＥＰＳベアラＩＤとしてＥＰＳベアラＩＤ５、ＰＧＷ  ＩＰアドレス（Ｕ−ｐｌａｎｅ）としてＬＧＷ  ＩＰアドレス１、ＰＧＷ  ＴＥＩＤ（Ｕ−ｐｌａｎｅ）としてＣｏｒｒｅｌａｔｉｏｎ  ＩＤ１、ＥＰＳベアラＱｏＳとしてＥＰＳベアラＱｏＳ１を管理する。
【０２５５】
[１．３．２  サービス要求手続き]
続いて、アタッチ手続きでＵＥ１０とＬＧＷ４０が確立した第一のＰＤＮコネクションを利用したデータの送受信を再開するために、ＵＥ１０はサービス要求手続きを行う。ここで、ＵＥ１０は、第一のＰＤＮコネクションにおいて、データの送受信を完了した場合、接続状態からアイドル状態へ遷移する。また、ＵＥ１０はサービス要求手続きを行うことで、アイドル状態から接続状態へ遷移し、第一のＰＤＮコネクションによりデータの送受信を開始することができる。ここで、ＵＥ１０は、アイドル状態から接続状態へ遷移するために、サービス要求メッセージを基地局装置に送信してサービス要求手続きを開始して良い。
【０２５６】
なお、本発明は、サービス要求手続きによる、第一のＰＤＮコネクションによりデータの送受信を開始するのではなく、第一のＰＤＮコネクションが、ＵＥ１０と、最適でないゲートウェイであるＬＧＷ４０におけるＰＤＮコネクションであることを検出し、ＵＥ１０と、最適なゲートウェイであるＰＧＷ６０へ第一のＰＤＮコネクションを変更し、データの送受信を開始することである。
【０２５７】
また、本発明は、第一のＰＤＮコネクションを切断した後、第二のＰＤＮコネクションを確立するのではなく、最適なゲートウェイへ第一のＰＤＮコネクションを変更することである。
【０２５８】
また、本発明は、第一のＰＤＮコネクションを切断した後、第二のＰＤＮコネクションを確立することと、第一のＰＤＮコネクションを最適なゲートウェイへ第一のＰＤＮコネクションを変更することを、選択することができる。
【０２５９】
ここで、ＵＥ１０は、サービス要求手続きではなく、トラッキングエリア更新手続きであってよい。
【０２６０】
なお、トラッキングエリア更新手続きは、第一のＰＤＮコネクションによりデータの送受信を開始するのではなく、ＵＥ１０の位置をコアネットワーク７へ更新するための手続きである。
【０２６１】
トラッキングエリア更新手続きは、サービス要求手続きと同様に、第一のＰＤＮコネクションが、ＵＥ１０と、最適でないゲートウェイであるＬＧＷ４０におけるＰＤＮコネクションであることを検出し、ＵＥ１０と、最適なゲートウェイであるＰＧＷ６０へ第一のＰＤＮコネクションを変更することができる。
【０２６２】
また、トラッキングエリア更新手続きは、サービス要求手続きと同様に、第一のＰＤＮコネクションを切断した後、第二のＰＤＮコネクションを確立するのではなく、最適なゲートウェイへ第一のＰＤＮコネクションを変更することができる。
【０２６３】
また、トラッキングエリア更新手続きは、サービス要求手続きと同様に、第一のＰＤＮコネクションを切断した後、第二のＰＤＮコネクションを確立することと、第一のＰＤＮコネクションを最適なゲートウェイへ第一のＰＤＮコネクションを変更することを、選択することができる。
【０２６４】
図１０を用いて、ＵＥ１０におけるサービス要求手続きを説明する。
【０２６５】
まず、ＵＥ１０は、ｅＮＢ２０にサービス要求を送信する（Ｓ１００２）。ここで、ＵＥ１０は、サービス要求を、ｅＮＢ２０へ送信するＲＲＣメッセージに含めて送信して良い。なお、ＵＥ１０が送信するサービス要求（Ｓ１００２）は、トラッキングエリア更新要求であってよい。ここで、トラッキングエリア更新要求には、ＵＥの位置を示す情報を含まれて良い。ここで、ＵＥの位置を示す情報はトラッキングエリアＩＤであってよい。
【０２６６】
次に、ｅＮＢ２０はサービス要求を受信し、サービス要求をコアネットワーク７内の装置であるＭＭＥ３０に転送する（Ｓ１００４）。ここで、ｅＮＢ２０は、サービス要求を、ＭＭＥ３０へ送信する初期ＵＥメッセージに含めて送信して良い。また、初期ＵＥメッセージに、ｅＮＢ２０が管理するＳＩＰＴＯ  ＬＧＷトランスポートアドレス、ＬＨＮ  ＩＤを含めて良い。ここで、ｅＮＢ２０が、ＬＧＷ４０を管理していない場合、ＳＩＰＴＯ  ＬＧＷトランスポートアドレス（ＬＧＷ４０のＬＧＷアドレス）、ＬＨＮ  ＩＤを含めなくてよい。
【０２６７】
なお、ｅＮＢ２０が送信するサービス要求（Ｓ１００４）は、トラッキングエリア更新要求であってよい。ここで、トラッキングエリア更新要求には、ＵＥの位置を示す情報を含まれて良い。
【０２６８】
ＭＭＥ３０はＵＥ１０またはｅＮＢ２０からサービス要求を受信する。ここで、ＭＭＥ３０はＰＤＮコネクション変更検出処理を行う（Ｓ１００６）。ここで、ＭＭＥ３０は、ＵＥ１０から送信されたサービス要求に基づいて、サービス要求手続きを継続するかを決定する。
【０２６９】
ここで、ＭＭＥ３０は、サービス要求手続きを継続するかを、第一のＰＤＮコネクションが有効であることを検出することにより決定して良い。
【０２７０】
また、ＭＭＥ３０はｅＮＢ２０からサービス要求ではなく、トラッキングエリア更新要求を受信し、ＰＤＮコネクション変更検出処理を行って良い。また、ＭＭＥ３０は、トラッキングエリア更新手続きを継続するかを、第一のＰＤＮコネクションが有効であることを検出することにより決定して良い。
【０２７１】
ここで、第一のＰＤＮコネクションが有効であるとは、ＵＥ１０が接続する基地局装置を変更していないことや、ＵＥ１０が接続する基地局装置を変更していたとしても、ＬＧＷ４０がオフロードのための最適なゲートウェイ装置であることに基づいて、第一のＰＤＮコネクションが有効であると検出してもよい。
【０２７２】
より具体的には、第一のＰＤＮコネクションが有効であるかは、ｅＮＢ２０Ｂから送信された初期ＵＥメッセージに含まれるＬＨＮ  ＩＤやＳＩＰＴＯ  ＬＧＷトランスポートアドレス（ＬＧＷ４０のＬＧＷアドレス）により検出して良い。
【０２７３】
また、ＭＭＥ３０は、ＭＭＥ３０が管理するＭＭＥ通信路コンテキスト３４２において管理されているＬＨＮ  ＩＤやＰＧＷ  ＩＰアドレス（Ｕ−ｐｌａｎｅ）におけるＬＧＷ  ＩＰアドレスにより検出して良い。
【０２７４】
また、ＭＭＥ３０は、ｅＮＢ２０から送信される初期ＵＥメッセージに含まれるＬＨＮ  ＩＤやＳＩＰＴＯ  ＬＧＷトランスポートアドレス（ＬＧＷ４０のＬＧＷアドレス）と、ＭＭＥ通信路コンテキスト３４２において管理されているＬＨＮ  ＩＤやＰＧＷ  ＩＰアドレス（Ｕ−ｐｌａｎｅ）におけるＬＧＷ  ＩＰアドレスを比較して、第一のＰＤＮコネクションが有効であることを検出して良い。
【０２７５】
ＭＭＥ３０は第一のＰＤＮコネクションが有効であることを検出した場合、サービス要求手続き（Ｓ１００８）を継続して良い。ここで、ＭＭＥ３０はトラッキングエリア更新手続きを継続することを決定して良い。
【０２７６】
ここで、ＭＭＥ３０は、第一のＰＤＮコネクションが有効であることを検出しなかった場合、第一のＰＤＮコネクションの切断手続きを行うか、第一のＰＤＮコネクションの変更手続きを行うことを決定して良い。例えば、ＭＭＥ３０は、ＬＧＷ４０がオフロードのための最適なゲートウェイはないと検出した場合や、ＬＧＷ４０とは異なる最適なゲートウェイ装置を検出した場合や、ＵＥ１０が接続する基地局装置がＬＧＷを端点としたＳＩＰＴＯ用のＰＤＮコネクションの確立が許されていないなどの要因に基づいて、第一のＰＤＮコネクションが有効でないと検出してもよい。
【０２７７】
さらに、ＭＭＥ３０による第一のＰＤＮコネクションの切断手続きを実行するか、第一のＰＤＮコネクションの変更手続きを実行するかの決定は、ＰＤＮコネクションに応じて決定してもよい。より具体的には、ＰＤＮコネクションの確立時に用いられたＡＰＮの許可情報に基づいて決定されてもよい。より具体的には、ＭＭＥ通信路コンテキスト３４２において管理されているＡＰＮと関連付けられるＳＩＰＴＯの許可により決定されて良い。
【０２７８】
例えば、ＭＭＥ３０が、ＭＭＥ通信路コンテキスト３４２において管理されているＡＰＮがＡＰＮ１であって、ＳＩＰＴＯの許可がＳＩＰＴＯとＳＩＰＴＯ＠ＬＮを許可することを示す情報が含まれている場合、第一のＰＤＮコネクションの切断手続きを行うことを決定して良い。このように、第一のＰＤＮコネクションがＡＰＮ１を用いて確立したＰＤＮコネクションであることにより、切断手続きを実行してもよい。
【０２７９】
もしくは、第一のＰＤＮコネクションがどのＡＰＮを用いて確立したかに関わらず、通信事業者のポリシーなど、事業者の決定に基づいて第一のＰＤＮコネクションの切断手続きを実行してもよい。例えば、通信事業者は、ＵＥ１０が確立するＰＤＮコネクションが複数ある場合、ＰＤＮコネクション毎に切断手続きをするか、切り替え手続きを実行するかを予め決定しておいてもよい。
【０２８０】
ＭＭＥ３０は、第一のＰＤＮコネクションの切断手続きを行う場合、ＭＭＥ主導が主導して切断手続き（Ｓ１０１０）を開始して良い。
【０２８１】
なお、ＭＭＥ主導による切断手続きにおいて、ＭＭＥ３０はＵＥ１０に第一のＰＤＮコネクションを再確立することを示す情報を含めて良い。また、ＵＥ１０は、ＭＭＥ主導による切断手続きにおいて、ＭＭＥ３０から第一のＰＤＮコネクションを再確立することを示す情報を検出した場合、ＵＥ主導によるＰＤＮ接続手続き（Ｓ１０１２）によるＰＤＮコネクション確立手続きを開始しても良い。
【０２８２】
一方、ＭＭＥ３０が、ＭＭＥ通信路コンテキスト３４２において管理されているＡＰＮがＡＰＮ２であって、ＳＩＰＴＯの許可がＣＳＩＰＴＯを許可することを示す情報が含まれている場合、第一のＰＤＮコネクションの変更手続きを行うことを決定して良い。このように、第一のＰＤＮコネクションがＡＰＮ２を用いて確立したＰＤＮコネクションであることにより、ＰＤＮコネクション変更手続きを実行してもよい。ＰＤＮコネクション変更手続きの詳細は後述する。
【０２８３】
もしくは、第一のＰＤＮコネクションがどのＡＰＮを用いて確立したかに関わらず、通信事業者のポリシーなど、事業者の決定に基づいて第一のＰＤＮコネクションの変更手続きを実行してもよい。例えば、通信事業者は、ＵＥ１０が確立するＰＤＮコネクションが複数ある場合、ＰＤＮコネクション毎にＰＤＮコネクションの変更手続きをするか、切り替え手続きを実行するかを予め決定しておいてもよい。
【０２８４】
ＭＭＥ３０は、第一のＰＤＮコネクションの変更手続きを行う場合、ＬＧＷ−ＳＧＷ間のセッション削除手続き（Ｓ１０１４）と、セッション生成手続き（Ｓ１０１６）を行うことを決定して良い。
【０２８５】
つまり、第一のＰＤＮコネクションの通信路を、あるゲートウェイ装置（またはあるゲートウェイ装置に対する通信路）から異なるゲートウェイ装置（または異なるゲートウェイ装置に対する通信路）に変更する制御手続きを開始してよい。
【０２８６】
なお、以下の説明では、セッション削除手続きを実行後、セッション生成手続きを実行する例を説明するが、順序は前後してもよい。つまり、セッション生成手続きを実行後、セッション削除手続きを実行してもよい。セッション生成手続きを実行後、セッション削除手続きを実行した場合には、セッションの削除時には置き換えられるセッションは確立された状態にあるため、遅延のすくない切り替えが可能である。なお、順序が入れ替わった場合でも、具体的な各手続きの内容は同様であって良い。
【０２８７】
[１．３．２．１．１  サービス要求手続きの継続]
ＭＭＥ３０が、ＰＤＮコネクション変更検出処理（Ｓ１００６）において、第一のＰＤＮコネクションが有効であることを検出し、サービス要求手続きを継続することを決定した場合について説明する。図１１を用いて、従来のサービス要求手続きの続きを説明する。なお、ＭＭＥ３０は、サービス要求手続きではなく、トラッキングエリア更新手続きを行うことを決定した場合については、後述する。
【０２８８】
図１１では、ＵＥ１０は、アタッチ手続きを行ったｅＮＢ２０Ａから移動しない場合において、サービス要求手続きを継続する手続きについて説明するが、第一のＰＤＮコネクションが有効であれば、ＵＥ１０は他のｅＮＢ２０へ移動してもサービス要求手続きを開始して良い。
【０２８９】
サービス要求手続きを継続する手続きを行うことにより、第一のＰＤＮコネクションでユーザデータを送受信することができる。
【０２９０】
第一のＰＤＮコネクションが有効であることを検出したＭＭＥ３０はｅＮＢ２０Ａへ初期コンテキスト設定要求を送信する（Ｓ１１０２）。初期コンテキスト設定要求には、ＳＧＷアドレス、ＳＧＷ  ＴＥＩＤ、ＥＰＳベアラＱｏＳ、ＳＩＰＴＯ  Ｃｏｒｒｅｌａｔｉｏｎ  ＩＤを含めて良い。
【０２９１】
ｅＮＢ２０Ａは初期コンテキスト設定要求を受信する。ｅＮＢ２０Ａは、初期コンテキスト設定要求に含まれる、ＳＧＷアドレス、ＳＧＷ  ＴＥＩＤ、ＥＰＳベアラＱｏＳ、ＳＩＰＴＯ  Ｃｏｒｒｅｌａｔｉｏｎ  ＩＤを管理して良い。
【０２９２】
次に、ｅＮＢ２０Ａは、ＵＥ１０と無線ベアラを確立する（Ｓ１１０４）。ｅＮＢ２０Ａは、ＥＰＳベアラＱｏＳに基づいて、無線ベアラを確立して良い。さらに、ＥＰＳベアラＱｏＳに基づいて、無線ベアラを確立するための無線パラメータを生成して良い。
【０２９３】
無線ベアラを確立したＵＥ１０はｅＮＢ２０Ａへ上りリンクデータを送信する。なお、ｅＮＢ２０Ａは、ＵＥ１０からの上りリンクデータをＬＧＷ４０へ転送する。ＬＧＷ４０は、ｅＮＢ２０からの上りリンクデータをＰＤＮ９０へ転送する。
【０２９４】
無線ベアラを確立したｅＮＢ２０Ａは、初期コンテキスト設定完了をＭＭＥ３０へ送信する。初期コンテキスト設定完了には、ｅＮＢアドレス、受託されたＥＰＳベアラのリスト、拒絶されたＥＰＳベアラのリスト、ＳＧＷ  ＴＥＩＤを含めて良い。ここで、ｅＮＢ２０Ａは、受託されたＥＰＳベアラのリストに、少なくとも第一のＰＤＮコネクションを識別する識別情報を含めて良い。
【０２９５】
ＭＭＥ３０は、ｅＮＢ２０Ａから初期コンテキスト設定完了を受信する。ここで、拒絶されたＥＰＳベアラのリストが含まれている場合、対応するＰＤＮコネクションに関する情報を削除して良い。
【０２９６】
次に、ＭＭＥ３０は、ベアラ変更要求を送信する（Ｓ１１０６）。ＭＭＥ３０は、ベアラ変更要求に、ｅＮＢアドレス、Ｓ１  ＴＥＩＤを含めて良い。なお、ベアラ変更要求に含むｅＮＢアドレス、Ｓ１  ＴＥＩＤは、ＭＭＥ３０が第一のＰＤＮコネクションと関連付けられる情報要素であって良い。
【０２９７】
ＳＧＷ５０は、ＭＭＥ３０からベアラ変更要求を受信する。ＳＧＷ５０は、ベアラ変更要求に含まれる、ｅＮＢアドレス、Ｓ１  ＴＥＩＤにより、ｅＮＢアドレス、Ｓ１  ＴＥＩＤに対応する第一のＰＤＮコネクションにおけるＵＥ１０宛の下りリンクデータを送信することができる。
【０２９８】
また、ＳＧＷ５０は、ＭＭＥ３０へベアラ変更要求の応答として、ベアラ変更応答を送信する（Ｓ１１１０）。
【０２９９】
以上のサービス要求手続きにより、ＵＥ１０とＬＧＷ４０間における第一のＰＤＮコネクションにおいて、データを送受信することができる。
【０３００】
[１．３．２．１．２  トラッキングエリア手続きの継続]
ＭＭＥ３０が、ＰＤＮコネクション変更検出処理（Ｓ１００６）において、第一のＰＤＮコネクションが有効であることを検出し、トラッキングエリア更新手続きを継続することを決定した場合について説明する。図１７を用いて、従来のサービス要求手続きの続きを説明する。
【０３０１】
図１７では、ＵＥ１０は、アタッチ手続きを行ったｅＮＢ２０Ａから移動しない場合において、トラッキングエリア手続きを継続する手続きについて説明するが、第一のＰＤＮコネクションが有効であれば、ＵＥ１０は他のｅＮＢ２０へ移動してもサービス要求手続きを開始して良い。
【０３０２】
第一のＰＤＮコネクションが有効であることを検出したＭＭＥ３０は、ＵＥ１０へトラッキングエリア更新受託を送信する（Ｓ１２１０）。トラッキングエリア更新受託には、ＵＥの位置を示す情報が含まれてよい。
【０３０３】
なお、ＭＭＥ３０は、第一のＰＤＮコネクションが有効であること検出した場合であっても、トラッキングエリア更新受託を送信する前に、ＳＧＷ５０へセッション生成要求（１２０２）を送信して良い。また、ＳＧＷ５０は、ＬＧＷ４０へベアラ変更要求を送信して良い。また、ＬＧＷ４０はＳＧＷ５０へベアラ変更応答を送信して良い（Ｓ１２０６）。ＳＧＷ５０は、ＭＭＥ３０へセッション生成応答を送信して良い（Ｓ１２０８）。
【０３０４】
以上のトラッキングエリア更新手続きにより、ＵＥ１０とＬＧＷ４０間における第一のＰＤＮコネクションを維持することができる。
【０３０５】
[１．３．２．２  ＰＤＮコネクションの切断手続きと確立手続き]
ＭＭＥ３０が、ベアラ変更検出処理（Ｓ１００６）において、第一のＰＤＮコネクションにおいて、サービス要求手続きを継続することを決定せず、ＰＤＮコネクションを切断することを決定した場合の従来手続きについて説明する。なお、ＭＭＥ３０は、ＰＤＮコネクションを切断することを決定した場合、ＭＭＥ主導による切断手続きを行う。また、ＭＭＥ３０は、ＭＭＥ主導による切断手続き中、ＵＥ１０にＰＤＮコネクションを再確立することを示す情報を通知して良い。また、ＵＥ１０は、ＭＭＥ３０からＰＤＮコネクションを再確立することを示す情報を受信した場合、ＵＥ主導によるＰＤＮ接続手続きを開始して良い。
【０３０６】
[１．３．２．２．１  ＭＭＥ主導による切断手続き]
図１３を用いて、ＭＭＥ主導による切断手続きを説明する。ＭＭＥ主導による切断手続きでは、第一のＰＤＮコネクションが切断される。なお、ＭＭＥ３０は、ＭＭＥ主導による切断手続きにおいて、ＵＥ１０へＰＤＮコネクションを再確立することを示す情報が通知されてよい。
【０３０７】
まず、ＭＭＥ３０はＰＤＮ切断トリガー検出処理を行う（Ｓ１００６）。ここで、ＰＤＮ切断トリガー検出処理は、ＭＭＥ主導による切断手続きを行うことを決定することである。ＰＤＮ切断トリガー検出処理は、ＰＤＮコネクション変更検出処理で既に説明したため、詳細な説明は省略する。
【０３０８】
ＭＭＥ３０はＰＤＮ切断トリガー検出処理に基づいて、サービス拒絶をＵＥ１０へ送信して良い（Ｓ１３０２）。ここで、サービス拒絶は、ＵＥ１０が送信したサービス要求に対する否定応答であって良い。また、サービス拒絶は、サービス要求を拒絶することを示すメッセージであってよい。
【０３０９】
なお、ＭＭＥ３０はサービス拒絶に、有効なＥＰＳベアラコンテキストがないことを示す情報を含めて良い。
【０３１０】
ここで、ＵＥ１０はＭＭＥ３０からサービス拒絶を受信し、第一のＰＤＮコネクションを切断することを検出して良い。第一のＰＤＮコネクションを切断することを検出したＵＥ１０は、第一のＰＤＮコネクションに関する情報を削除して良い。
【０３１１】
また、ＭＭＥ３０は、ＰＤＮコネクションを再確立することを示す情報を含めてサービス拒絶メッセージをＵＥ１０に送信してもよい。ＵＥ１０はサービス拒絶メッセージを受信し、サービス拒絶メッセージの受信及び／又はＰＤＮコネクションを再確立することを示す情報に基づいて、ＵＥ主導によるＰＤＮ接続手続きを実行して第二のＰＤＮコネクションを確立してもよい。
【０３１２】
さらに、ＵＥ１０は第一のＰＤＮコネクションを切断した場合、後述するＵＥ主導によるＰＤＮ接続手続きを開始して良い（Ｓ１３２４）。ＵＥ１０は、ＡＰＮ１を利用して、ＵＥ主導によるＰＤＮ接続手続きにより、第二のＰＤＮコネクションを確立して良い。
【０３１３】
ここで、トラッキングエリア更新拒絶は、ＵＥ１０が送信したトラッキングエリア更新要求に対する否定応答であって良い。
【０３１４】
つまり、ＭＭＥ３０はＰＤＮ切断トリガー検出処理に基づいて、トラッキングエリア更新拒絶をＵＥ１０へ送信して良い（Ｓ１３０２）。ここで、トラッキングエリア更新拒絶は、ＵＥ１０が送信したサービス要求に対する否定応答であって良い。
【０３１５】
また、ＭＭＥ３０はトラッキングエリア更新拒絶に、有効なＥＰＳベアラコンテキストがないことを示す情報を含めて良い。ここで、ＵＥ１０はＭＭＥ３０からトラッキングエリア更新拒絶を受信し、第一のＰＤＮコネクションを切断することを検出して良い。第一のＰＤＮコネクションを切断することを検出したＵＥ１０は、第一のＰＤＮコネクションに関する情報を削除して良い。
【０３１６】
また、ＭＭＥ３０は、ＰＤＮコネクションを再確立することを示す情報を含めてトラッキングエリア更新拒絶メッセージをＵＥ１０に送信してもよい。ＵＥ１０はトラッキングエリア更新拒絶メッセージを受信し、トラッキングエリア更新拒絶メッセージの受信及び／又はＰＤＮコネクションを再確立することを示す情報に基づいて、ＵＥ主導によるＰＤＮ接続手続きを実行して第二のＰＤＮコネクションを確立してもよい。
【０３１７】
さらに、ＵＥ１０は第一のＰＤＮコネクションを切断した場合、後述するＵＥ主導によるＰＤＮ接続手続きを開始して良い（Ｓ１３２４）。ＵＥ１０は、ＵＥ主導によるＰＤＮ接続手続きにより、第二のＰＤＮコネクションを確立して良い。
【０３１８】
また、ＭＭＥ３０はＰＤＮ切断トリガー検出処理に基づいて、セッション削除要求をＳＧＷ５０へ送信してもよい（Ｓ１３０４）。ＭＭＥ３０は、ＥＰＳベアラを識別する情報（ＥＰＳベアラＩＤやＬＢＩなど）を含めて良い。ＥＰＳベアラを識別する情報を含むことにより、変更するＰＤＮコネクションの対象である第一のＰＤＮコネクションを識別する識別情報を含めて良い。
【０３１９】
ＳＧＷ５０は、セッション削除要求を受信し、セッション削除要求に含まれる、第一のＰＤＮコネクションを識別する識別情報を検出する。ＳＧＷ５０は第一のＰＤＮコネクションを削除することを検出する。
【０３２０】
ＳＧＷ５０は、ＬＧＷ４０に、セッション削除要求を送信する（Ｓ１３０６）。ここで、ＳＧＷ５０は、ＥＰＳベアラを識別する情報（ＥＰＳベアラＩＤやＬＢＩなど）を含めて良い。
【０３２１】
ＬＧＷ４０は、セッション削除要求を受信し、セッション削除要求に含まれる、第一のＰＤＮコネクションを識別する識別情報を検出する。ＬＧＷ４０は第一のＰＤＮコネクションを削除することを検出する。
【０３２２】
セッション削除要求を受信したＬＧＷ４０は、ＰＤＮコンテキスト解放処理を行ってよい。ここで、ＰＤＮコンテキスト解放処理は、ＬＧＷ４０におけるＰＤＮコネクションに関する情報を削除することである。
【０３２３】
次に、ＬＧＷ４０は、ＳＧＷ５０へセッション削除応答を送信する（Ｓ１３０８）。ここで、ＬＧＷ４０は、セッション削除応答に第一のＰＤＮコネクションを識別する情報を含めて良い。
【０３２４】
ＳＧＷ５０は、ＬＧＷ４０からセッション削除応答を受信し、ＳＧＷ５０において管理している第一のＰＤＮコネクションに関する情報を削除して良い。
【０３２５】
第一のＰＤＮコネクションに関する情報を削除したＳＧＷ５０は、ＭＭＥ３０へセッション削除応答を送信する（Ｓ１３１０）。ここで、ＳＧＷ５０は、セッション削除応答に第一のＰＤＮコネクションを識別する情報を含めて良い。
【０３２６】
ＭＭＥ３０は、ＳＧＷ５０からセッション削除応答を受信する。ＭＭＥ３０は、セッション削除応答に含まれる第一のＰＤＮコネクションを識別する情報を検出して良い。ＭＭＥ３０は、第一のＰＤＮコネクションを識別する情報を検出することにより、ＬＧＷ４０、ＳＧＷ５０において、第一のＰＤＮコネクションを削除したことを検出する。
【０３２７】
ここで、ＭＭＥ３０は、セッション削除応答を受信し、第一のＰＤＮコネクションに関する情報を削除して良い。
【０３２８】
また、ＭＭＥ３０は、ＰＤＮ切断トリガー検出処理（Ｓ１００６）を検出することにより、第一のＰＤＮコネクションを削除することを検出して良い。
【０３２９】
一方、ＭＭＥ３０は、サービス拒絶をＵＥ１０に送信していない（Ｓ１３０４）場合、ｅＮＢ２０Ｂへデアクティベートベアラ要求を送信して良い（Ｓ１３１２）。ここで、ＭＭＥ３０は切断する第一のＰＤＮコネクションを識別する識別情報を含めて良い。例えば、ＥＰＳベアラＩＤを含めて良い。
【０３３０】
また、ＭＭＥ３０は、デアクティベートベアラ要求に、リアクティベーション値を含めて良い。ＭＭＥ３０は、リアクティベーション値を含めることにより、ＵＥ１０に、第一のＰＤＮコネクションを削除し、第二のＰＤＮコネクションを確立することを示してよい。このように、ＭＭＥ３０は、ＰＤＮコネクションを再確立することを示す情報を含めてデアクティベートベアラ要求メッセージをｅＮＢ２０Ｂに送信してもよい。
【０３３１】
ここで、デアクティベートベアラ要求は、ｅＮＢ２０Ｂ宛と、ＵＥ１０宛にそれぞれ送信されてよい。デアクティベートベアラ要求は、異なるメッセージによって、送信されてよい。例えば、ＭＭＥ３０は、ｅＮＢ２０Ｂ宛のデアクティベートベアラ要求はＳ１−ＡＰメッセージで送信し、ＵＥ１０宛のデアクティベートベアラ要求はＮＡＳメッセージで送信して良い。なお、Ｓ１−ＡＰメッセージは、ＭＭＥ３０とｅＮＢ２０Ｂ間で制御情報を送受信するために規定されているメッセージフォーマットである。また、ＮＡＳメッセージは、ＵＥ１０とＭＭＥ３０間で制御情報を送受信するために規定されているメッセージフォーマットである。
【０３３２】
ｅＮＢ２０Ｂは、ＵＥ１０とｅＮＢ２０Ｂとの間の無線ベアラが確立されているなど、ＵＥ１０に無線リソースを割り当てている場合には、デアクティベートベアラ要求の受信に基づいて、無線ベアラを解放することを決定してもよい。より具体的には、ｅＮＢ２０Ｂは、デアクティベートベアラ要求を受信し、デアクティベートベアラ要求に含まれる、第一のＰＤＮコネクションを識別する識別情報を利用して、ＵＥ１０との無線ベアラを解放することを決定して良い。
【０３３３】
以下、無線ベアラの解放手順を説明する。
【０３３４】
ｅＮＢ２０Ｂは、第一のＰＤＮコネクションにおける無線ベアラを解放するために、ＲＲＣ接続再設定を送信する（Ｓ１３１４）。ここで、ｅＮＢ２０Ｂは、ＲＲＣ接続再設定に、ＵＥ宛のデアクティベートベアラ要求を含めて良い。
【０３３５】
このように、ｅＮＢ２０Ｂは、ＰＤＮコネクションを再確立することを示す情報を含めてＲＲＣ接続再設定をＵＥ１０に送信してもよい。なお、ｅＮＢ２０Ｂは，ＭＭＥ３０が送信するＰＤＮコネクションを再確立することを示す情報をＵＥ１０に送信してもよい。ＵＥ１０はＲＲＣ接続再設定及び／又はデアクティベートベアラ要求を受信し、ＲＲＣ接続再設定及び／又はデアクティベートベアラ要求及び／又はＰＤＮコネクションを再確立することを示す情報に基づいて、ＵＥ主導によるＰＤＮ接続手続きを実行して第二のＰＤＮコネクションを確立してもよい。
【０３３６】
ＵＥ１０は、ｅＮＢ２０ＢからＲＲＣ接続再設定を受信する。ＵＥ１０は、ｅＮＢ２０ＢからのＲＲＣ接続再設定により、無線ベアラを解放する。また、ＵＥ１０は、ＲＲＣ接続再設定に含まれる、デアクティベートベアラ要求を検出して良い。デアクティベートベアラ要求を受信したＵＥ１０は、第一のＰＤＮコネクションを削除して良い。このとき、ＵＥ１０は、第一のＰＤＮコネクションに関する情報を削除して良い。
【０３３７】
さらに、デアクティベートベアラ要求に含まれるリアクティベーション値を検出し、第一のＰＤＮコネクションを削除するだけでなく、第二のＰＤＮコネクションを確立することを検出して良い。
【０３３８】
また、無線ベアラを解放したＵＥ１０は、ＲＲＣ接続再設定に対する応答として、ＲＲＣ接続再設定完了を送信する（Ｓ１３１６）。
【０３３９】
また、ＵＥ１０は、直接転送をｅＮＢ２０Ｂへ送信する（Ｓ１３２０）。ここで、ＵＥ１０は、直接転送に、デアクティベートＥＰＳベアラコンテキストアクセプトを含めて良い。
【０３４０】
ｅＮＢ２０Ｂは直接転送を受信し、デアクティベートＥＰＳベアラコンテキストアクセプトをＭＭＥ３０へ転送する（Ｓ１３２２）。
【０３４１】
なお、ＵＥ１０がＲＲＣ接続再設定完了（Ｓ１３１６）、直接転送（Ｓ１３２０）を送信しなかった場合、ｅＮＢ２０Ｂはデアクティベートベアラ応答（Ｓ１３１８）、デアクティベートＥＰＳベアラコンテキストアクセプト（Ｓ１３２２）を送信しなくてよい。
【０３４２】
また、ｅＮＢ２０Ｂが、ＵＥ１０へＲＲＣ接続再設定（Ｓ１３１４）を送信しなかった場合、ＵＥ１０はＲＲＣ接続再設定完了（Ｓ１３１６）、直接転送（Ｓ１３２０）を送信しなくてよい。
【０３４３】
また、ＭＭＥ３０がデアクティベートベアラ要求（Ｓ１３１２）を送信しなかった場合、ｅＮＢ２０Ｂは、ＵＥ１０へＲＲＣ接続再設定（Ｓ１３１４）を送信しなくてよい。
【０３４４】
以上で無線ベアラの解放手順を完了する。
【０３４５】
以上の手続きにより、ＵＥ１０は、第一のＰＤＮコネクションを解放し、第一のＰＤＮコネクションに関する情報を削除することができる。また、ｅＮＢ２０Ｂは、第一のＰＤＮコネクションを解放し、第一のＰＤＮコネクションに関する情報を削除することができる。ＭＭＥ３０は、第一のＰＤＮコネクションを解放し、第一のＰＤＮコネクションに関する情報を削除することができる。
【０３４６】
[１．３．２．２．２  ＵＥ主導によるＰＤＮ接続手続き]
ＰＤＮコネクションの切断に伴い、新たなＰＤＮコネクションを確立すると検出した場合、ＵＥ１０はＵＥ主導によるＰＤＮ接続手続きを開始して良い。ＵＥ１０は、ＵＥ主導によるＰＤＮ接続手続きにより、第二のＰＤＮコネクションを確立することができる。
【０３４７】
なお、ＵＥ１０は、ＵＥ主導によるＰＤＮ接続手続きを行うことの決定を、デアクティベートベアラ要求に含まれる、リアクティベーション値によって決定して良い。つまり、第一のＰＤＮコネクションを削除するだけでなく、第二のＰＤＮコネクションを確立することにより決定して良い。
【０３４８】
また、ＵＥ１０は、第一のＰＤＮコネクションを削除して、第二のＰＤＮコネクションを確立する必要があることを検出して、ＵＥ主導によるＰＤＮ接続手続きを行うことを決定して良い。
【０３４９】
図１４を用いて、ＵＥ主導によるＰＤＮ接続手続きを説明する。まず、ＵＥ１０は、ＭＭＥ３０へＰＤＮ接続要求を送信する（Ｓ１４０２）。
【０３５０】
ＵＥ１０は、ＰＤＮ接続要求に、第一のＰＤＮコネクションを確立した場合において含めたＡＰＮ、ＰＤＮタイプを含めて送信してよい。
【０３５１】
ここで、ＵＥ１０は第一のＰＤＮコネクションの確立に用いたＡＰＮを用いて第二のＰＤＮコネクションの確立を要求する例を説明したが、異なるＡＰＮを用いて第二のＰＤＮコネクションの確立を要求してもよい。
【０３５２】
例えば、ＵＥ１０は、ＡＰＮ１を用いて第二のＰＤＮコネクションの確立を要求し、ＳＩＰＴＯ用のＰＤＮコネクションであり、且つ、異なるゲートウェイを端点としたＰＤＮコネクションへの切り替えは許可されないＰＤＮコネクションを確立してもよい。
【０３５３】
また、ＵＥ１０は、ＡＰＮ２を用いて第二のＰＤＮコネクションの確立を要求し、ＳＩＰＴＯ用のＰＤＮコネクションであり、且つ、異なるゲートウェイを端点としたＰＤＮコネクションへの切り替えが許可されるＰＤＮコネクションを確立してもよい。
【０３５４】
なお、ＵＥ１０が送信するＰＤＮ接続要求はｅＮＢ２０Ｂ経由で送信される。ここで、ｅＮＢ２０Ｂは、ＭＭＥ３０へ送信するＰＤＮ接続要求に、ＬＧＷ４０など、ｅＮＢ２０Ｂが管理する近隣ゲートウェイの識別情報を含めて良い。また、ｅＮＢ２０ＢはＭＭＥ３０Ｂへ送信するＰＤＮ接続要求に、ＬＧＷ４０のネットワークを示すＬＨＮ  ＩＤを含めて良い。
【０３５５】
ここで、ｅＮＢ２０Ｂは、ＬＧＷ４０を管理していない場合、近隣ゲートウェイの識別情報を含めなくてよい。また、ｅＮＢ２０Ｂは、ＬＧＷ４０を管理していない場合、ＰＤＮ接続要求に、ＬＧＷ４０のネットワークを示すＬＨＮ  ＩＤを含めなくてよい。
【０３５６】
また、ｅＮＢ２０Ｂは、ＰＤＮ接続要求を用いるのではなく、予めこうした情報をＭＭＥ３０へ通知しておいてもよい。
【０３５７】
例えば、ｅＮＢ２０ＢはＭＭＥ３０ＢへＰＤＮ接続要求メッセージとは別に、初期ＵＥメッセージや上りリンクＮＡＳトランスポートメッセージに含めて、ＬＨＮ  ＩＤを通知しても良い。また、ｅＮＢ２０ＢはＭＭＥ３０へＰＤＮ接続要求メッセージとは別に、初期ＵＥメッセージや上りリンクＮＡＳトランスポートメッセージに含めて、ＬＧＷ４０ＢのＬＧＷアドレスなど、近隣ゲートウェイを識別する情報を通知してもよい。
【０３５８】
ＭＭＥ３０はＵＥ１０またはｅＮＢ２０からＰＤＮ接続要求を受信する。ＭＭＥ３０は、ＰＤＮ接続要求に含まれるＡＰＮにより、ＰＤＮコネクションを確立するためのＧＷ選択をしてもよい。ここで、ＧＷ選択とは、ＵＥ１０が確立する第二のＰＤＮコネクションの端点となるゲートウェイ装置を選択することである。
【０３５９】
なお、ＭＭＥ３０は、ＰＤＮ接続要求の受信に基づいて、第二のＰＤＮコネクションの端点となるゲートウェイを選択する。
【０３６０】
ここで、ＭＭＥ３０は、ＰＧＷ６０を選択する。なお、ＭＭＥ３０は、ｅＮＢ２０Ｂの近傍にゲートウェイがないことを検出して、ＰＧＷ６０を選択して良い。
【０３６１】
また、ＭＭＥ３０はＨＳＳ７０に問い合わせを行うことにより、ゲートウェイを選択してもよい。ＭＭＥ３０は、ＡＰＮをＨＳＳ７０に送信し、ＰＧＷ６０の識別情報を受け取ってよい。
【０３６２】
次に、ＭＭＥ３０はＳＧＷ４０へセッション生成要求を送信する（Ｓ１４０４）。ここで、ＭＭＥ３０はセッション生成要求を送信するＳＧＷ４０をＳＧＷ選択機能により、あらかじめ選択しておいて良い。ＳＧＷ選択機能では、ＵＥの位置情報を利用して、ＳＧＷ５０を選択して良い。また、ＳＧＷ５０の選択するために、移動通信事業者が規定するオペレータポリシーを利用しても良い。
【０３６３】
また、ＭＭＥ３０は、セッション生成要求に、ＰＧＷアドレス、ＡＰＮ、ＰＤＮタイプ、ＥＰＳベアラＩＤを含めて良い。
【０３６４】
ここで、ＰＤＮ  ＧＷアドレスはＭＭＥ３０がＧＷ選択で選択したゲートウェイの識別情報であって良い。具体的には、ＬＧＷ４０を識別する識別情報やＰＧＷ６０を識別する識別情報が含まれてよい。ここでは、ＰＧＷ６０を選択し、ＰＧＷ６０を識別する識別情報を含める。
【０３６５】
ＭＭＥ３０は、ＡＰＮとしてＡＰＮ２を含めることとして説明する。なお、ＡＰＮ２は、ＳＩＰＴＯのＰＤＮコネクションであって、より最適なゲートウェイを用いた新たなＰＤＮコネクションを確立することを示していてよい。
【０３６６】
ＰＤＮタイプは、ＭＭＥ３０がＵＥ１０のユーザとの契約情報などにより、決定されて良い。また、ＭＭＥ３０は、ＵＥ１０から送信されたアタッチ要求に含まれたＰＤＮタイプを認証することにより、ＰＤＮタイプを決定して良い。
【０３６７】
ＥＰＳベアラＩＤは、ＭＭＥ３０がＵＥ１０に割り当てるベアラ識別情報であってよい。なお、ＥＰＳベアラＩＤはデフォルトベアラを識別する識別情報であってよい。
【０３６８】
ＳＧＷ５０はＰＧＷ６０へセッション生成要求を送信する（Ｓ１４０６）。ここで、ＳＧＷ５０は、セッション生成要求を送信するＰＧＷ６０を、ＭＭＥ３０からＳＧＷ５０に送信されたセッション生成要求に含まれるＰＤＮ  ＧＷアドレスの識別情報により決定して良い。また、ＳＧＷ５０は、セッション生成要求に、ＡＰＮ、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＰＤＮタイプ、ＥＰＳベアラＩＤを含めて良い。
【０３６９】
ＡＰＮ、ＰＤＮタイプ、ＥＰＳベアラＩＤは、それぞれＭＭＥ３０から送信されたセッション生成要求に含まれるＡＰＮ、ＰＤＮタイプ、ＰＤＮアドレス、ＥＰＳベアラＩＤを利用して良い。
【０３７０】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＳＧＷ５０において、あらかじめ管理されている情報であって良い。
【０３７１】
セッション生成要求を受信したＰＧＷ６０はＩＰアドレス割り当て処理を行う（Ｓ１４０７）。ここで、ＰＧＷ６０は、第３のサーバ装置（ＤＨＣＰやステートレスアドレス設定など）により、ＩＰアドレスの割り当てを委託している場合、第３のサーバ装置から割り当てを示す情報を示してよい。
【０３７２】
また、ＰＧＷ６０はセッション確立手続きを行って良い。ここで、ＰＧＷ６０は、セッション確立手続きにおいて、デフォルトのＱｏＳで通信路を確立しても良いし、デフォルトＱｏＳとは異なるＥＰＳベアラＱｏＳで通信路を確立しても良い。
【０３７３】
ＰＧＷ６０はＳＧＷ５０へセッション生成応答を送信する（Ｓ１４０８）。ＬＧＷ４０は、セッション生成応答に、ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）、ＰＤＮタイプ、ＰＤＮアドレス、ＥＰＳベアラＩＤ、ＥＰＳベアラＱｏＳを含めて良い。
【０３７４】
ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）は、ＰＧＷ６０があらかじめ管理している情報であってよい。ここで、ＰＧＷアドレス（Ｕ−ｐｌａｎｅ）は、ＰＧＷ６０を識別する識別情報であって良い。また、ＰＧＷ  ＴＥＩＤ（Ｕ−ｐｌａｎｅ）、ＰＧＷ  ＴＥＩＤ（Ｃ−ｐｌａｎｅ）は、それぞれＰＧＷ  ＩＤであってよい。ＰＧＷ  ＩＤは、ＰＧＷ６０におけるトンネル通信路の識別情報である。
【０３７５】
ＰＤＮタイプはＳＧＷ５０から送信されたセッション生成要求（Ｓ１４０８）に含まれるＰＤＮタイプであってよい。
【０３７６】
ＰＤＮアドレスは、ＰＧＷ６０がＵＥ１０に割り当てたＩＰアドレスであって良い。ここで、第３のサーバ装置により、ＩＰアドレスの割り当てを委託する場合、第３のサーバ装置から割り当てを示す情報を含めて良い。
【０３７７】
ＥＰＳベアラＩＤ、ＥＰＳベアラＱｏＳは、デフォルトベアラとは異なるＱｏＳが確立される場合に関する情報要素であって良い。
【０３７８】
さらに、ＳＧＷ５０はＭＭＥ３０へセッション生成応答を送信する（Ｓ１４１０）。ここで、ＳＧＷ５０は、セッション生成応答に、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを含めて良い。
【０３７９】
ここで、ＰＤＮタイプ、ＰＤＮアドレス、ＥＰＳベアラＩＤ、ＥＰＳベアラＱｏＳ、ＰＧＷアドレス（Ｕ−ｐｌａｎｅ）、ＰＧＷ  ＴＥＩＤは、ＰＧＷ６０から送信されたセッション生成要求（Ｓ１４０８）に含まれる情報要素であってよい。
【０３８０】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＳＧＷ５０で管理される情報要素であって良い。
【０３８１】
ＭＭＥ３０は、セッション生成応答を受信する。ＭＭＥ３０はセッション生成応答に含まれる、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを、ＡＰＮ、ＳＩＰＴＯの許可情報とともに管理して良い。
【０３８２】
ＭＭＥ３０は図７で示すＭＭＥ通信路コンテキスト３４２におけるＵＥの移動後の有効なＰＤＮコネクション毎に管理される情報要素と、ＰＤＮコネクション内でＥＰＳベアラ毎に管理される情報要素を管理することができる。
【０３８３】
以上により、ＭＭＥ３０は、第二のＰＤＮコネクションに関する情報を管理することができる。
【０３８４】
次に、ＭＭＥ３０は、ｅＮＢ２０Ｂへベアラ設定要求/ＰＤＮ接続受託を送信する（Ｓ１４１２）。なお、ＭＭＥ３０はベアラ設定要求/ＰＤＮ接続受託に、新しく確立する第
二のＰＤＮコネクションに関する情報を含めて通知する。
【０３８５】
ベアラ生成要求には、ＥＰＳベアラＱｏＳ、ＰＤＮ接続受託、ＳＧＷ  ＴＥＩＤ（Ｕ−ｐｌａｎｅ）、ＳＧＷアドレス（Ｕ−ｐｌａｎｅ）を含めて良い。またＰＤＮ接続受託には、ＡＰＮ、ＰＤＮタイプ、ＰＤＮアドレス、ＥＰＳベアラＩＤを含めて良い。
【０３８６】
ｅＮＢ２０Ｂはベアラ設定要求/ＰＤＮ接続受託を受信する。ｅＮＢ２０Ｂはベアラ生成要求に含まれる、ＥＰＳベアラＩＤ、ＥＰＳベアラＱｏＳに基づいて、ＵＥ１０との無線ベアラを確立することを決定する。ここで、ｅＮＢ２０Ａは、ＥＰＳベアラＩＤ、ＥＰＳベアラＱｏＳに基づいて、Ｅ−ＲＡＢ  ＩＤを決定して良い。
【０３８７】
また、ｅＮＢ２０Ａはベアラ変更要求に含まれる、ＳＧＷ  ＴＥＩＤ（Ｕ−ｐｌａｎｅ）、ＳＧＷアドレス（Ｕ−ｐｌａｎｅ）を管理して良い。
【０３８８】
以上により、ｅＮＢ２０Ｂは、図５（ｂ）移動後で示す、ｅＮＢ通信路コンテキスト２４２における情報要素を管理することができる。
【０３８９】
次に、ｅＮＢ２０Ｂは、ＵＥ１０へＲＲＣ接続再設定を送信する（Ｓ１４１４）。なお、ｅＮＢ２０ＢはＵＥ１０へＲＲＣ接続再設定にＰＤＮ接続受託を含める。ここで、ｅＮＢ２０ＢはＵＥ１０へＲＲＣ接続再設定通知とは別にＰＤＮ接続受託を含めて良い。つまり、ｅＮＢ２０ＢはＰＤＮ接続受託を転送することにより、新しく確立する第二のＰＤＮコネクションに関する情報を通知する。
【０３９０】
ＵＥ１０はｅＮＢ２０ＢからＲＲＣ接続再設定とＰＤＮ接続受託を受信する。ここで、ＵＥ１０はｅＮＢ２０ＢからＰＤＮ接続受託に含まれる新しく確立する第二のＰＤＮコネクションに関する情報を検知し、ＵＥ１０において管理する。
【０３９１】
なお、第二のＰＤＮコネクションに関する情報は、ＡＰＮ、ＰＤＮタイプ、ＰＤＮアドレス、ＥＰＳベアラＩＤ、ＥＰＳベアラＱｏＳであって良い。
【０３９２】
次に、ＵＥ１０はＩＰアドレスの取得処理を行う（Ｓ１４１５）。ここで、ＵＥ１０は、ＰＤＮ接続受託に含まれるＰＤＮアドレスをＩＰアドレスとして取得して良い。
【０３９３】
また、ＵＥ１０は、ＰＤＮ接続受託に含まれるＰＤＮアドレスにＤＨＣＰによるＩＰアドレスを取得することを示す情報が含まれている場合には、ＤＨＣＰサーバから、ＩＰアドレスを取得して良い。ここで、ＤＨＣＰサーバは、コアネットワーク７とは異なる外部サーバであっても良いし、ＰＧＷ６０であっても良い。
【０３９４】
また、ＵＥ１０は、ＰＤＮ接続受託に含まれるＰＤＮアドレスにステートレスアドレス自動設定によりＩＰアドレスを取得することを示す情報が含まれている場合には、ＵＥ１０は、ルータ装置から、ルータ広告（ＲＡ）を受信して、ルータ広告に基づいてＩＰアドレスを取得しても良い。ここで、ルータ装置はコアネットワーク７とは異なる外部サーバであっても良いし、ＰＧＷ６０であっても良い。
【０３９５】
ＵＥ１０は、上記の方法により、ＩＰアドレスを取得し、ＵＥ１０において第二のＰＤＮコネクションとして管理する。ＵＥ１０は、図３（ｂ）移動後で示す、ＵＥ通信路コンテキスト１４２において、第二のＰＤＮコネクションに関する情報を管理することができ、第二のＰＤＮコネクションにおいて上りリンクデータを送信することができる。
【０３９６】
また、ＵＥ１０は、ｅＮＢ２０ＢへＲＲＣ接続再設定完了を送信する（Ｓ１４１６）。ｅＮＢ２０Ｂは、ＲＲＣ接続再設定（Ｓ１４１４）に対する応答としてＲＲＣ接続再設定完了を受信し、ベアラ設定応答をＭＭＥ３０へ送信する（Ｓ１４１８）。
【０３９７】
また、ＵＥ１０はｅＮＢ２０Ｂへ直接転送を送信する（Ｓ１４２０）。ここで、直接転送には、ＰＤＮ接続完了を含めて良い。ＰＤＮ接続完了には、ＥＰＳベアラＩＤを含めて良い。
【０３９８】
ｅＮＢ２０ＢはＵＥ１０から直接転送を受信し、直接転送に含まれるＰＤＮ接続完了をＭＭＥ３０へ転送する（Ｓ１４２２）。ベアラ設定応答と、ＰＤＮ接続完了を受信したＭＭＥ３０は、ＳＧＷ５０へベアラ変更要求を送信する（Ｓ１４２４）。
【０３９９】
さらに、ＳＧＷ５０は、ベアラ変更要求の受信に基づいて、ＰＧＷ６０にベアラ変更要求を送信する（Ｓ１４２６）。
【０４００】
ＰＧＷ６０は、ベアラ変更要求を受信し、ベアラ変更要求に対する応答として、ベアラ変更応答をＳＧＷ５０に送信する（Ｓ１４２８）。
【０４０１】
さらに、ＳＧＷ５０は、ＭＭＥ３０の送信するベアラ変更要求の応答として、ＭＭＥ３０へベアラ変更応答を送信する（Ｓ１４３０）。
【０４０２】
以上の手続きにより、ＵＥ１０及びＰＧＷ６０は、ＵＥ１０とＰＧＷ６０間に第二のＰＤＮコネクションを確立することができる。つまり、ＵＥ１０は、第二のＰＤＮコネクションに関する情報として、図３（ｂ）移動前で示すＵＥ通信路コンテキスト１４２において、ＡＰＮ、割り当てられるＰＤＮタイプ、ＩＰアドレス、デフォルトベアラ、ＥＰＳベアラＩＤ、ＥＰＳベアラＱｏＳを管理することができる。
【０４０３】
また、ｅＮＢ２０Ｂは、第二のＰＤＮコネクションに関する情報として、図５で示すｅＮＢ通信路コンテキスト２４２においてＭＭＥ  ＵＥ  Ｓ１  ＡＰ  ＩＤ、ＧＵＭＭＥＩ、グローバルｅＮＢ  ＩＤ、トラッキングエリアＩＤ、Ｅ−ＲＡＢ  ＩＤ、ＵＥ  ＩＤ、トランスポートアドレスを管理することができる。
【０４０４】
さらに、ＭＭＥ３０は、第二のＰＤＮコネクションに関する情報として、図７で示すＭＭＥ通信路コンテキスト３４２において、ＡＰＮ、ＰＤＮタイプ、ＩＰアドレス、ＳＩＰＴＯの許可（情報）、ＰＤＮ  ＧＷアドレス（Ｃ−ｐｌａｎｅ）、ＰＤＮ  ＧＷ  ＴＥＩＤ（Ｃ−ｐｌａｎｅ）、デフォルトベアラ、ＥＰＳベアラＩＤ、ＳＧＷ  ＩＰアドレス（Ｓ１−ｕ）、ＳＧＷ  ＴＥＩＤ（Ｓ１−ｕ）、ＰＧＷ  ＩＰアドレス（Ｕ−ｐｌａｎｅ）、ＰＧＷ  ＴＥＩＤ（Ｕ−ｐｌａｎｅ）、ＥＰＳベアラＱｏＳを管理することができる。
【０４０５】
以上により、ＵＥ１０は、第二のＰＤＮコネクションを用いてＰＧＷ６０経由のデータの送受信を行うことができる。
【０４０６】
なお、ＵＥ１０は、アタッチ要求（Ｓ１４０２）にＡＰＮとして、ＡＰＮ１を含めて、アタッチ手続きを完了し、第二のＰＤＮコネクションを確立した場合、図３におけるパターン１（ｂ）移動後におけるＵＥ通信路コンテキスト１４２で示すように、ＡＰＮとしてＡＰＮ１、割り当てられるＰＤＮタイプとしてＰＤＮタイプ１、ＩＰアドレスとしてＩＰアドレス３、デフォルトベアラとしてＥＰＳベアラＩＤ３、ＥＰＳベアラＩＤとしてＥＰＳベアラＩＤ７、ＥＰＳベアラＱｏＳとしてＥＰＳベアラＱｏＳ３を管理する。
【０４０７】
このとき、ｅＮＢ２０は、図５におけるｅＮＢ通信路コンテキスト２４２で示すように、ＭＭＥ  ＵＥ  Ｓ１  ＡＰ  ＩＤとして、ＭＭＥ  ＵＥ  Ｓ１  ＡＰ  ＩＤ１、ＧＵＭＭＥＩとしてＧＵＭＭＥＩ１、グローバルｅＮＢ  ＩＤとして、グローバルｅＮＢ  ＩＤ２、トラッキングエリアＩＤとしてトラッキングエリアＩＤ１、Ｅ−ＲＡＢ  ＩＤとしてＥ−ＲＡＢ  ＩＤ２、ＵＥ  ＩＤとしてＵＥ  ＩＤ１、トランスポートアドレスとして、ＳＧＷ  ＴＥＩＤ１とＳＧＷ  ＩＰアドレス１を管理する。
【０４０８】
また、ＭＭＥ３０は、図７におけるパターン１（ｂ）移動後におけるＭＭＥ通信路コンテキスト３４２で示すように、ＡＰＮとしてＡＰＮ１、ＰＤＮタイプとしてＰＤＮタイプ１、ＩＰアドレスとしてＩＰアドレス３、ＳＩＰＴＯの許可として、ＳＩＰＴＯとＳＩＰＴＯ＠ＬＮを許可、ＬＨＮ  ＩＤとしてブランク、ＰＤＮ  ＧＷアドレス（Ｃ−ｐｌａｎｅ）としてＰＧＷアドレス１、ＰＤＮ  ＧＷ  ＴＥＩＤ（Ｃ−ｐｌａｎｅ）としてＰＧＷ  ＴＥＩＤ１、デフォルトベアラとしてＥＰＳベアラＩＤ３、ＥＰＳベアラＩＤとしてＥＰＳベアラＩＤ７、ＰＧＷ  ＩＰアドレス（Ｕ−ｐｌａｎｅ）としてＰＧＷ  ＩＰアドレス１、ＰＧＷ  ＴＥＩＤ（Ｕ−ｐｌａｎｅ）としてＰＧＷ  ＴＥＩＤ１、ＥＰＳベアラＱｏＳとしてＥＰＳベアラＱｏＳ２を管理する。
【０４０９】
[１．３．２．３  ＰＤＮコネクション変更手続き]
ＭＭＥ３０が、ベアラ変更検出処理（Ｓ１００６）において、第一のＰＤＮコネクションが有効であることを検出せず、ＰＤＮコネクションを変更することを決定した場合について説明する。なお、ＰＤＮコネクション変更手続きでは、ＵＥ１０は第一のＰＤＮコネクションを削除することなく、ＰＤＮコネクション変更手続き前後で維持する。したがって、ＵＥ１０は、ＰＤＮコネクション変更手続き前後で、第一のＰＤＮコネクションを用いてデータ送受信を継続する。
【０４１０】
なお、ＰＤＮコネクション変更手続きでは、コアネットワーク７内のセッションを変更する。言い換えると、第一のＰＤＮコネクションに対応づけて確立したコアネットワーク７内のベアラを変更する。
【０４１１】
より具体的には、ＰＤＮコネクション変更手続きでは、ＳＧＷ５０とＬＧＷ４０との間のセッションを削除し、ＳＧＷ５０とＰＧＷ６０との間に新たなセセッションを確立して変更する。より具体的には、ＰＤＮコネクション変更手続きでは、ＳＧＷ５０とＬＧＷ４０との間に確立したベアラを削除し、ＳＧＷ５０とＰＧＷ６０との間に新たにベアラを確立して変更する。
【０４１２】
もしくは、ｅＮＢ２０とＬＧＷ４０とがベアラを確立するなど、直接接続性を確立している場合には、ＰＤＮコネクション変更手続きは、ｅＮＢ２０とＬＧＷ４０との間のセッションを削除し、ｅＮＢ２０とＳＧＷ５０との間のセッションと、ＳＧＷ５０とＰＧＷ６０との間のセッションを、新たに確立して変更する。より具体的には、ｅＮＢ２０とＬＧＷ４０との間のベアラを削除し、ｅＮＢ２０とＳＧＷ５０との間のベアラと、ＳＧＷ５０とＰＧＷ６０との間のベアラを、新たなに確立して変更する。
【０４１３】
このように、ベアラ変更手続きでは、第一のＰＤＮコネクションに対応して構成するベアラを最適に変更する為の通信制御を実行する。その際、第一のＰＤＮコネクションの端点となるゲートウェイはＬＧＷ４０からＰＧＷ６０に変更されてよい。なお、ベアラ変更手続きにおいて、ＵＥ１０が取得するＩＰアドレスは変更されてもよい。
【０４１４】
より詳細には、ＰＤＮコネクションの変更手続きでは、ＬＧＷ−ＳＧＷ間のセッション削除手続きと、セッション生成手続きとを実行してもよい。
【０４１５】
[１．３．２．３．１  ＬＧＷ−ＳＧＷ間のセッション削除手続き]
図１５を用いて、ＬＧＷ−ＳＧＷ間のセッション削除手続きを説明する。ＬＧＷ−ＳＧＷ間のセッション削除手続きでは、第一のＰＤＮコネクションにおいて最適なゲートウェイではないＬＧＷ４０およびＬＧＷ４０へのベアラを削除する。
【０４１６】
まず、ＭＭＥ３０はＰＤＮコネクション変更トリガー検出処理を行う（Ｓ１００６）。ここで、ＰＤＮコネクション変更トリガーの検出処理は、ＰＤＮコネクション変更手続きを行うことを決定することである。ＰＤＮコネクション変更トリガーの検出処理は、ＰＤＮコネクション変更検出処理で既に説明したため、詳細な説明は省略する。
【０４１７】
ＰＤＮコネクション変更手続きを行うことを決定したＭＭＥ３０は、セッション削除要求をＳＧＷ５０へ送信する（Ｓ１５０４）。ここでＭＭＥ３０は、セッション削除要求に、インディケータ１を含めて良い。ＭＭＥ３０は、ＥＰＳベアラを識別する情報（ＥＰＳベアラＩＤやＬＢＩなど）を含めて良い。ＥＰＳベアラを識別する情報を含むことにより、変更するＰＤＮコネクションの対象である第一のＰＤＮコネクションを識別する識別情報を含めて良い。
【０４１８】
また、インディケータ１は、ＰＤＮコネクションを削除するのではなく、ＰＤＮコネクションを変更することを示す情報であってよい。
【０４１９】
ＳＧＷ５０は、セッション削除要求を受信し、セッション削除要求に含まれる、第一のＰＤＮコネクションを識別する識別情報を検出する。ＳＧＷ５０は第一の第一のＰＤＮコネクションを削除することを検出する。
【０４２０】
また、ＳＧＷ５０は、セッション削除要求に含まれるインディケータ１を検出して良い。ＳＧＷ５０は、第一のＰＤＮコネクションを識別する識別情報とインディケータ１を検出することにより、第一のＰＤＮコネクションを削除するのではなく、第一のＰＤＮコネクションを変更することを検出して良い。
【０４２１】
ＳＧＷ５０は、ＬＧＷ４０に、セッション削除要求を送信する（Ｓ１５０６）。ここで、ＳＧＷ５０は、ＥＰＳベアラを識別する情報（ＥＰＳベアラＩＤやＬＢＩなど）を含めて良い。また、ＳＧＷ５０は、セッション削除要求に、インディケータ１を含め良い。
【０４２２】
ＬＧＷ４０は、セッション削除要求を受信し、セッション削除要求に含まれる、第一のＰＤＮコネクションを識別する識別情報を検出する。ＬＧＷ４０は第一のＰＤＮコネクションを削除することを検出する。
【０４２３】
また、ＬＧＷ４０は、セッション削除要求に含まれるインディケータ１を検出して良い。ＬＧＷ４０は、第一のＰＤＮコネクションを識別する識別情報とインディケータ１を検出することにより、第一のＰＤＮコネクションを削除するのではなく、第一のＰＤＮコネクションを変更することを検出して良い。
【０４２４】
セッション削除要求を受信したＬＧＷ４０は、ＰＤＮコンテキスト解放処理を行う（Ｓ１５０８）。ここで、ＰＤＮコンテキスト解放処理は、ＬＧＷ４０におけるＰＤＮコネクションに関する情報を削除することである。
【０４２５】
ＰＤＮコンテキスト解放処理を完了したＬＧＷ４０は、ＳＧＷ５０へセッション削除応答を送信する（Ｓ１５１０）。ここで、ＬＧＷ４０は、セッション削除応答に第一のＰＤＮコネクションを識別する情報を含めて良い。また、ＬＧＷ４０は、セッション削除応答にインディケータ１を含めて良い。
【０４２６】
ＳＧＷ５０は、ＬＧＷ４０からセッション削除応答を受信し、ＳＧＷ５０において管理している第一のＰＤＮコネクションに関する情報を削除して良い。
【０４２７】
第一のＰＤＮコネクションに関する情報を削除したＳＧＷ５０は、ＭＭＥ３０へセッション削除応答を送信する（Ｓ１５１２）。ここで、ＳＧＷ５０は、セッション削除応答に第一のＰＤＮコネクションを識別する情報を含めて良い。また、ＳＧＷ５０は、セッション削除応答にインディケータ１を含めて良い。
【０４２８】
ＭＭＥ３０は、ＳＧＷ５０からセッション削除応答を受信する。ＭＭＥ３０は、セッション削除応答に含まれる第一のＰＤＮコネクションを識別する情報を検出して良い。ＭＭＥ３０は、第一のＰＤＮコネクションを識別する情報を検出することにより、少なくともＬＧＷ４０において、第一のＰＤＮコネクションを削除したことを検出する。
【０４２９】
ここで、ＭＭＥ３０は、セッション削除応答を受信し、第一のＰＤＮコネクションにおけるＬＧＷ４０を識別する識別情報を削除しても良い。ＬＧＷ４０を識別する識別情報は、Ｃｏｒｒｅｌａｔｉｏｎ  ＩＤやＬＧＷ  ＩＰアドレスのことである。
【０４３０】
また、ＭＭＥ３０は、ＳＧＷ４０において、第一のＰＤＮコネクションを削除したことを検出しても良い。
【０４３１】
また、ＭＭＥ３０は、セッション削除応答に含まれるインディケータ１を検出して良い。ＭＭＥ３０は、インディケータ１を検出することにより、第一のＰＤＮコネクションを削除するのではなく、第一のＰＤＮコネクションを変更することを検出して良い。
【０４３２】
また、ＭＭＥ３０は、ＰＤＮコネクション変更トリガー検出処理（Ｓ１５０２）を検出することにより、第一のＰＤＮコネクションを削除するのではなく、第一のＰＤＮコネクションを変更することを検出して良い。
【０４３３】
ＭＭＥ３０は、セッション生成手続きを行うことを決定して良い（Ｓ１５１４）。セッション生成手続きを行うことの決定は、セッション削除応答に含まれるインディケータ１によりＭＭＥ３０によって決定されて良い。また、ＭＭＥ３０は、ＰＤＮコネクション変更トリガー検出処理（Ｓ１５０２）において、ＰＤＮコネクションを変更することを決定して、ＭＭＥ３０によって決定されて良い。
【０４３４】
[１．３．２．３．２．１  セッション生成手続き１]
次に、ＭＭＥ３０におけるセッション生成手続き１について説明する。ＬＧＷ−ＳＧＷ間のセッション削除手続き１では、第一のＰＤＮコネクションにおいて最適なゲートウェイではないＬＧＷ４０およびＬＧＷ４０へのベアラを削除したが、セッション生成手続き１では、第一のＰＤＮコネクションにおいて、ｅＮＢ２０とＳＧＷ５０のベアラ、ＳＧＷ５０とＰＧＷ６０のベアラを確立する。
【０４３５】
図１６を用いて、セッション生成手続き１を説明する。ＭＭＥ３０は、ＳＧＷ５０にセッション生成要求を送信する（Ｓ１６０２）。ここで、ＭＭＥ３０は、ＳＧＷ４０をＳＧＷ選択機能により、あらかじめ選択しておいて良い。ＳＧＷ選択機能では、ＵＥの位置情報を利用して、ＳＧＷ５０を選択して良い。また、ＳＧＷ５０の選択するために、移動通信事業者が規定するオペレータポリシーを利用しても良い。ここでは、ＳＧＷ５０を選択したが、他のＳＧＷであってよい。本実施形態では、ＳＧＷ５０を選択したこととして説明する。
【０４３６】
また、ＭＭＥ３０は、セッション生成要求に、ＭＭＥ通信路コンテキスト３４２に含まれるＡＰＮを識別する識別情報を含めて良い。ここで、ＭＭＥ３０は、ＡＰＮとしてＡＰＮ２を含めることとして説明する。
【０４３７】
ＭＭＥ３０は、ＡＰＮ２を含めることにより、ＳＩＰＴＯのＰＤＮコネクションであって、より最適なゲートウェイを用いた新たなＰＤＮコネクションを確立することを示してよい。
【０４３８】
また、ＭＭＥ３０は、セッション生成要求に、ＰＧＷアドレス、ＡＰＮ、ＰＤＮタイプ、ＥＰＳベアラＩＤを含めて良い。
【０４３９】
ここで、ＰＤＮ  ＧＷアドレスはＭＭＥ３０がＧＷ選択機能を利用して選択したゲートウェイの識別情報であって良い。ここで、ＭＭＥ３０は、ＨＳＳ７０に問い合わせを行うことにより、ゲートウェイを選択してもよい。ＭＭＥ３０は、ＡＰＮと位置情報をＨＳＳ７０に送信し、ＰＧＷ６０の識別情報を受け取ってよい。
【０４４０】
具体的には、ＬＧＷ４０を識別する識別情報やＰＧＷ６０を識別する識別情報が含まれてよい。ここでは、ＰＧＷ６０を選択し、ＰＧＷ６０を識別する識別情報を含める。
【０４４１】
ＰＤＮタイプは、ＭＭＥ３０がＭＭＥ通信路コンテキスト３４２に含まれるＰＤＮタイプであってよい。また、ＰＤＮタイプは、ＵＥ１０のユーザとの契約情報などにより、決定されて良い。
【０４４２】
ＥＰＳベアラＩＤは、ＭＭＥ３０がＭＭＥ通信路コンテキスト３４２に含まれるＥＰＳベアラＩＤであって良い。また、ＥＰＳベアラＩＤはＵＥ１０に割り当てるベアラ識別情報であってよい。
【０４４３】
また、ＭＭＥ３０は、セッション生成要求に、ＭＭＥ通信路コンテキスト３４２に含まれるＰＤＮアドレスを含めて良い。ＰＤＮアドレスを含めることにより、ＩＰアドレスの再取得が必要であることを示す識別情報を含めて良い。また、ＰＤＮアドレスを含めることにより、ＰＧＷ６０に、ＵＥ１０に割り当てられるＩＰアドレスを指定して良い。これにより、ＭＭＥ３０は、セッション切り替え手続き前後でＵＥ１０がＩＰアドレスを変更することなく通信を継続するために、セッション切り替え手続き以前にＵＥ１０が使用しているＩＰアドレスを指定しても良い。
【０４４４】
または、ＭＭＥ３０は、セッション生成要求に、ＩＰアドレスの割り当てを要求する識別情報を含めても良い。ＩＰアドレスの割り当てを要求する識別情報を含めることにより、ＰＧＷ６０に、ＵＥ１０に新たにＩＰアドレスを割り当てることを要求しても良い。もしくは、ＭＭＥ３０は、セッション生成要求にＩＰアドレスの割り当てを要求する識別情報及び／又はＰＤＮアドレスを含めないことにより、ＰＧＷ６０に、ＵＥ１０に新たにＩＰアドレスを割り当てることを要求しても良い。
【０４４５】
また、ＭＭＥ３０は、セッション生成要求に、ＰＧＷ６０を識別する識別情報を含んでよい。ここで、ＭＭＥ３０はＧＷ選択して良い。ＧＷ選択により、変更する第一のＰＤＮコネクションの端点となるゲートウェイ装置を選択する。ＭＭＥ３０は、ＧＷ選択により、ＰＧＷ６０を選択する。
【０４４６】
なお、ＭＭＥ３０は、ｅＮＢ２０Ｂの近傍に配置するＬＧＷが存在しない場合には、コアネットワークに含まれるＰＧＷ６０を選択してもよい。したがって、ＭＭＥ３０は、ｅＮＢ２０Ｂの近傍に配置するＬＧＷを検出可能な場合には、検出したＬＧＷを選択してもよい。さらに、ＬＧＷは、ＬＧＷ４０とは異なるローカルゲートウェイであってよい。
【０４４７】
ここで、ＭＭＥ３０がＬＧＷ４０とは異なるローカルゲートウェイを選択した場合の処理は、ＰＧＷ６０を選択した処理において、ＰＧＷ６０をローカルゲートウェイに置き換えた処理及び／又は手順でよい。そのため、詳細な説明は省略する。  次に、ＳＧＷ５０は、ＰＧＷ６０に、セッション生成要求を送信する（Ｓ１６０４）。ここで、ＳＧＷ５０は、セッション生成要求を送信するＰＧＷ６０を、ＭＭＥ３０からＳＧＷ５０に送信されたセッション生成要求に含まれるＰＤＮ  ＧＷアドレスの識別情報により決定して良い。また、ＳＧＷ５０は、セッション生成要求に、ＡＰＮ、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＰＤＮタイプ、ＥＰＳベアラＩＤを含めて良い。
【０４４８】
ＡＰＮ、ＰＤＮタイプ、ＥＰＳベアラＩＤは、それぞれＭＭＥ３０から送信されたセッション生成要求に含まれるＡＰＮ、ＰＤＮタイプ、ＥＰＳベアラＩＤを利用して良い。
【０４４９】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＳＧＷ５０において、あらかじめ管理されている情報であって良い。
【０４５０】
また、ＳＧＷ５０は、受信したセッション生成要求にＰＤＮアドレス及び／又はＩＰアドレスの割り当てを要求する識別情報が含まれている場合には、取得したＰＤＮアドレス及び／又はＩＰアドレスの割り当てを要求する識別情報を含めてセッション生成要求をＰＧＷ６０に送信してもよい。
【０４５１】
次に、ＰＧＷ６０はセッション生成要求を受信する。ＰＧＷ６０は、セッション生成要求の受信に基づいて、ＩＰアドレス割り当て処理を実行しても良い（Ｓ１６０６）。
【０４５２】
ここで、ＰＧＷ６０は、セッション生成要求に含まれるＰＤＮアドレスを取得した場合には、ＰＤＮアドレスをＵＥ１０に割り当てても良い。
【０４５３】
セッション生成要求に含まれるＩＰアドレスの割り当てを要求する識別情報を取得した場合には、ＰＧＷ６０はＵＥ１０に新たにＩＰアドレスを割り当てても良い。
【０４５４】
もしくは、セッション生成要求にＩＰアドレスの割り当てを要求する識別情報及び／又はＰＤＮアドレスが含くまれず、ＩＰアドレスの割り当てを要求する識別情報及び／又はＰＤＮアドレスが含めないことにより、ＭＭＥ３０がＰＧＷ６０にＵＥ１０に新たにＩＰアドレスを割り当てることを要求する場合には、ＰＧＷ６０はＵＥ１０に新たにＩＰアドレスを割り当てても良い。
【０４５５】
具体的には、ＰＧＷ６０はＤＨＣＰもしくはステートレスアドレスを用いた手続きに基づいて新たにＩＰアドレスを割り当ててもよい。
【０４５６】
ここで、ＰＧＷ６０は、第３のサーバ装置（ＤＨＣＰやステートレスアドレス設定など）により、ＩＰアドレスの割り当てを委託している場合、コアネットワークとは異なる外部ネットワークのＤＨＣＰサーバなど、第３のサーバ装置から割り当てを示す情報を示してよい。
【０４５７】
また、ＰＧＷ６０はセッション確立手続きを行って良い。ここで、ＰＧＷ６０は、セッション確立手続きにおいて、デフォルトＱｏＳで通信路を確立しても良いし、デフォルトＱｏＳとは異なるＥＰＳベアラＱｏＳで通信路を確立しても良い。
【０４５８】
ＰＧＷ６０はＳＧＷ５０へセッション生成応答を送信する（Ｓ１６０８）。ＰＧＷ６０は、セッション生成応答に、ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）、ＰＤＮタイプ、ＰＤＮアドレス、ＥＰＳベアラＩＤ、ＥＰＳベアラＱｏＳを含めて良い。
【０４５９】
ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）は、ＰＧＷ６０があらかじめ管理している情報であってよい。ここで、ＰＧＷアドレス（Ｕ−ｐｌａｎｅ）は、ＰＧＷ６０を識別する識別情報であって良い。
【０４６０】
ＰＤＮタイプはＳＧＷ５０から送信されたセッション生成要求（Ｓ１６０４）に含まれるＰＤＮタイプであってよい。
【０４６１】
ＰＤＮアドレスは、ＰＧＷ６０がＵＥ１０に割り当てたＩＰアドレスであって良い。ここで、第３のサーバ装置により、ＩＰアドレスの割り当てを委託する場合、第３のサーバ装置から割り当てを示す情報を含めて良い。また、ＰＤＮアドレスは、ＳＧＷ５０から送信されたセッション生成要求にＰＤＮアドレスであってよい。
【０４６２】
ＥＰＳベアラＩＤ、ＥＰＳベアラＱｏＳは、デフォルトベアラとは異なるＱｏＳが確立される場合に関する情報要素であって良い。
【０４６３】
さらに、ＳＧＷ５０はＭＭＥ３０へセッション生成応答を送信する（Ｓ１６１０）。ここで、ＳＧＷ５０は、セッション生成応答に、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを含めて良い。
【０４６４】
ここで、ＰＤＮタイプ、ＰＤＮアドレス、ＥＰＳベアラＩＤ、ＥＰＳベアラＱｏＳ、ＰＧＷアドレス（Ｕ−ｐｌａｎｅ）、ＰＧＷ  ＴＥＩＤは、ＰＧＷ６０から送信されたセッション生成要求（Ｓ１６０８）に含まれる情報要素であってよい。
【０４６５】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＳＧＷ５０で管理される情報要素であって良い。
【０４６６】
ＭＭＥ３０は、セッション生成応答を受信する。ＭＭＥ３０はセッション生成応答に含まれる、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを、ＡＰＮ、ＳＩＰＴＯの許可情報、ＬＨＮ  ＩＤとともに管理して良い。
【０４６７】
ＭＭＥ３０は図７で示すＭＭＥ通信路コンテキスト３４２におけるＵＥの移動後の有効なＰＤＮコネクション毎に管理される情報要素と、ＰＤＮコネクション内でＥＰＳベアラ毎に管理される情報要素を管理することができる。
【０４６８】
つまり、ＭＭＥ３０は、ＭＭＥ通信路コンテキスト３４２において、ＩＰアドレス：ＩＰアドレス２からＩＰアドレス４に変更し、ＬＨＮ  ＩＤ：ＬＨＮ  ＩＤ１からブランクに変更し、ＰＤＮ  ＧＷアドレス（Ｃ−ｐｌａｎｅ）：ＬＧＷアドレス１からＰＧＷアドレス１に変更し、ＰＤＮ  ＧＷ  ＴＥＩＤ：Ｃｏｒｒｅｌａｔｉｏｎ  ＩＤ１からＰＧＷ  ＴＥＩＤ１に変更し、ＳＧＷ  ＩＰアドレス（Ｓ１−ｕ）：ブランクからＳＧＷ  ＩＰアドレス１に変更し、ＳＧＷ  ＴＥＩＤ（Ｓ１−ｕ）：ブランクからＳＧＷ  ＴＥＩＤ１に変更し、ＰＧＷ  ＩＰアドレス（Ｕ−ｐｌａｎｅ）：ＬＧＷ  ＩＰアドレス１からＰＧＷ  ＩＰアドレス１に変更し、ＰＧＷ  ＴＥＩＤ（Ｕ−ｐｌａｎｅ）：Ｃｏｒｒｅｌａｔｉｏｎ  ＩＤ１からＰＧＷ  ＴＥＩＤ１に変更する。  以上により、ＭＭＥ３０は、第一のＰＤＮコネクションに関する情報を更新することができる。なお、上記では、ＭＭＥ３０は、ＩＰアドレスをＩＰアドレス２からＩＰアドレス４に変更したが、ＳＧＷ５０からＩＰアドレスを受信しなかった場合、および／または、ＳＧＷ５０からＩＰアドレスとしてＩＰアドレス２を受信した場合、ＩＰアドレスは変更しなくてよい。
【０４６９】
次に、ＭＭＥ３０は、ｅＮＢ２０Ｂへベアラ変更要求/セッション管理要求を送信する（Ｓ１６１２）。ここで、ＭＭＥ３０は、セッション管理要求に、ＥＰＳベアラに関する情報やＩＰアドレスに関する情報を含めて良い。ＥＰＳベアラに関する情報とは、ＥＰＳベアラＩＤやＥＰＳベアラＱｏＳに関する情報である。また、ＩＰアドレスに関する情報は、ＩＰアドレスや、ＰＤＮタイプであってよい。
【０４７０】
なお、ＭＭＥ３０は、ＰＧＷ６０によって新たにＩＰアドレスが割り当てられた場合には、ＩＰアドレスの変更に基づいて、ＩＰアドレスに関する情報をセッション管理要求に含めて送信してもよい。
【０４７１】
また、セッション管理要求には、インディケータ２を含めて良い。インディケータ２は、第一のＰＤＮコネクションを変更することを示す情報であってよい。ここで、第一のＰＤＮコネクションを変更することを示す情報は、ＡＰＮが含まれてもよい。及び／又は、インディケータ２は、第一のＰＤＮコネクションのＩＰアドレスを変更することを通知する情報であってもよい。及び／又は、インディケータ２は、第一のＰＤＮコネクションのＩＰアドレスを再取得することを要求する情報であってもよい。
【０４７２】
なお、ＭＭＥ３０は、ＩＰアドレスに関する情報をセッション管理要求に含めない場合に、インディケータ２をセッション管理要求に含めて送信してもよい。及び／又は、ＭＭＥ３０は、ＰＧＷ６０によって新たにＩＰアドレスが割り当てられた場合には、インディケータ２をセッション管理要求に含めて送信してもよい。
【０４７３】
また、ＭＭＥ３０はベアラ変更要求に、ＥＰＳベアラＩＤ、ＥＰＳベアラＱｏＳを含めて良い。さらに、ＭＭＥ３０は、ベアラ変更要求に、ＳＧＷ  ＴＥＩＤ、ＳＧＷ  ＩＰアドレス１を含めて良い。
【０４７４】
ｅＮＢ２０Ｂは、ベアラ変更要求/セッション管理要求を受信する。ｅＮＢ２０Ｂはベアラ変更要求に含まれる、ＥＰＳベアラＩＤ、ＥＰＳベアラＱｏＳに基づいて、ＵＥ１０との無線ベアラを変更することを決定する。ここで、ｅＮＢ２０Ｂは、ＥＰＳベアラＩＤ、ＥＰＳベアラＱｏＳに基づいて、Ｅ−ＲＡＢ  ＩＤを変更して良い。
【０４７５】
また、ｅＮＢ２０Ｂはベアラ変更要求に含まれる、ＳＧＷ  ＴＥＩＤ、ＳＧＷ  ＩＰアドレス１により、トランスポートアドレスを、Ｃｏｒｒｅｌａｔｉｏｎ  ＩＤ１、ＬＧＷ  ＩＰアドレスから、ＳＧＷ  ＴＥＩＤ、ＳＧＷ  ＩＰアドレス１へ変更して良い。
【０４７６】
以上により、ｅＮＢ２０Ｂは、図５（ｂ）移動後で示す、ｅＮＢ通信路コンテキスト２４２における情報要素を管理することができる。
【０４７７】
次に、ｅＮＢ２０ＢはＵＥ１０に、ＲＲＣ接続再設定を送信する。なお、ｅＮＢ２０ＢはＵＥ１０へＲＲＣ接続再設定通知にセッション管理要求を含めて送信してもよい。ここで、ｅＮＢ２０はＵＥ１０へＲＲＣ接続再設定通知とは別にセッション管理要求を含めて良い。つまり、ｅＮＢ２０Ｂはセッション管理要求を転送することにより、変更する第一のＰＤＮコネクションに関する情報を通知する。
【０４７８】
ｅＮＢ２０Ｂは、セッション管理要求及び／又はＲＲＣ接続再設定通知に、ＥＰＳベアラに関する情報やＩＰアドレスに関する情報を含めて良い。ＥＰＳベアラに関する情報とは、ＥＰＳベアラＩＤやＥＰＳベアラＱｏＳに関する情報である。また、ＩＰアドレスに関する情報は、ＩＰアドレスや、ＰＤＮタイプであってよい。
【０４７９】
なお、ｅＮＢ２０Ｂは、ＰＧＷ６０によって新たにＩＰアドレスが割り当てられた場合、及び／又はＭＭＥ３０が送信するセッション管理要求及び／又はＲＲＣ接続再設定通知にＵＥ１０に新たに割り当てるＩＰアドレスが含まれている場合には、ＩＰアドレスの変更に基づいて、ＩＰアドレスに関する情報をセッション管理要求及び／又はＲＲＣ接続再設定通知に含めて送信してもよい。
【０４８０】
また、セッション管理要求及び／又はＲＲＣ接続再設定通知には、インディケータ２を含めて良い。インディケータ２は、第一のＰＤＮコネクションを変更することを示す情報であってよい。ここで、第一のＰＤＮコネクションを変更することを示す情報は、ＡＰＮが含まれてもよい。及び／又は、インディケータ２は、第一のＰＤＮコネクションのＩＰアドレスを変更することを通知する情報であってもよい。及び／又は、インディケータ２は、第一のＰＤＮコネクションのＩＰアドレスを再取得することを要求する情報であってもよい。
【０４８１】
なお、ｅＮＢ２０Ｂは、ＩＰアドレスに関する情報をセッション管理要求及び／又はＲＲＣ接続再設定通知に含めない場合に、ｅＮＢ２０Ｂは、インディケータ２をセッション管理要求及び／又はＲＲＣ接続再設定通知に含めて送信してもよい。及び／又は、ＭＭＥ３０は、ＰＧＷ６０によって新たにＩＰアドレスが割り当てられた場合には、インディケータ２をセッション管理要求及び／又はＲＲＣ接続再設定通知に含めて送信してもよい。及び／又は、ＭＭＥ３０がセッション管理要求及び／又はＲＲＣ接続再設定通知にインディケータ２を含めて送信した場合に、受信したインディケータ２をセッション管理要求及び／又はＲＲＣ接続再設定通知に含めて送信してもよい。ＵＥ１０はｅＮＢ２０ＢからＲＲＣ接続再設定及び／又はセッション管理要求を受信する。
【０４８２】
ＵＥ１０は、ｅＮＢ２０Ｂから送信されたＲＲＣ接続再設定及び／又はセッション管理要求に含まれる、第一のＰＤＮコネクションに関する情報を検知し、ＵＥ１０において第一のＰＤＮコネクションに関する情報を変更してよい。
【０４８３】
ここで、第一のＰＤＮコネクションに関する情報は、インディケータ２に含まれてよい。なお、第一のＰＤＮコネクションに関する情報は、ＰＤＮタイプ、ＰＤＮアドレス、ＥＰＳベアラＩＤ、ＥＰＳベアラＱｏＳであって良い。
【０４８４】
次に、ＵＥ１０は、ＲＲＣ接続再設定及び／又はセッション管理要求の受信に基づいて、第一のＰＤＮコネクションを用いた通信に使用するＩＰアドレスを更新してもよい。
【０４８５】
ＵＥ１０は、ＲＲＣコネクション接続設定及び／又はセッション管理要求に含まれるＩＰアドレスを受信した場合には、ＵＥ通信路コンテキスト１４２に第一のＰＤＮコネクションに対応づけて記憶しているＩＰアドレスを、受信したＩＰアドレスに更新してもよい。さらに、ＵＥ１０は、受信したＩＰアドレスを使用して、第一のＰＤＮコネクションを用いたユーザデータの送受信を開始してもよい（Ｓ１６１６）。
【０４８６】
また、ＵＥ１０は、セッション管理要求及び／又はＲＲＣ接続再設定通知に含まれるインディケータ２を受信した場合には、ＩＰアドレスの取得処理を実行してもよい。
【０４８７】
より具体的なＩＰアドレス取得処理は、ＤＨＣＰによる取得手続きであってよい。ＵＥ１０は、ＤＨＣＰサーバにＤＨＣＰディスカバーメッセージ及び／又はＤＨＣＰ要求メッセージを送信し、ＤＨＣＰサーバから応答とともにＩＰアドレス及び／又はＩＰプレフィックスを受信してもよい。なお、受信するＩＰアドレスは、ＩＰｖ４アドレスであってもよいし、ＩＰｖ６アドレスであってもよい。また、６4ビットのＩＰプレフィックスを受信した場合には、ＵＥ１０は、受信したＩＰプレフィックスを上位ビットとし、下位６４ビットを生成してＩＰｖ６アドレスを構成してもよい。
【０４８８】
なお、ＤＨＣＰサーバは、コアネットワーク７の外部に構成する外部サーバであっても良いし、ＰＧＷ６０であっても良い。
【０４８９】
また、具体的なＩＰアドレス取得処理は、ステートレスアドレス自動設定手順に基づいて実行してもよい。ＵＥ１０は、ルータ広告（ＲＡ：Router Advertisement）を受信するために、ルータ要請メッセージ（ＲＳ: Router solicitation）をデフォルトルータに送信してもよい。
【０４９０】
さらに、ＵＥ１０は、ＩＰアドレス及び／又はＩＰプレフィックスを含むルータ広告をデフォルトルータから受信してもよい。また、６4ビットのＩＰプレフィックスを受信した場合には、ＵＥ１０は、受信したＩＰプレフィックスを上位ビットとし、下位６４ビットを生成してＩＰｖ６アドレスを構成してもよい。
【０４９１】
なお、デフォルトルータは、ＳＧＷ５０であってもよいし、ＰＧＷ６０であっても良い。
【０４９２】
また、ＵＥ１０は、ＤＨＣＰに基づく取得手続きを行うか、ステートレスアドレス自動設定手順に基づいて取得手続きを行うかは、受信したセッション管理要求及び／又はＲＲＣ接続再設定通知に基づいて決定しても良い。  例えば、セッション管理要求及び／又はＲＲＣ接続再設定通知に含まれるＩＰアドレスにＤＨＣＰによるＩＰアドレスを取得することを示す情報が含まれている場合には、ＵＥ１０はＤＨＣＰに基づく取得手続きを行い、セッション管理要求及び／又はＲＲＣ接続再設定通知に含まれるＰＤＮアドレスにステートレスアドレス自動設定によりＩＰアドレスを取得することを示す情報が含まれている場合には、ステートレスアドレス自動設定手順に基づいて取得手続きを実行してもよい。
【０４９３】
なお、ＵＥ１０は、ＲＲＣ接続再設定及び／又はセッション管理要求の受信に基づいて、ＩＰアドレスもしくはインディケータ２を取得しなかった場合には、第一のＰＤＮコネクションに対応するＩＰアドレスを削除することなく使用し続けても良い。  上記の方法により、ＵＥ１０は、ＵＥ通信路コンテキスト１４２の第一のＰＤＮコネクションに関連付けられた情報を用いて、第一のＰＤＮコネクションを用いた通信を行うことができる。
【０４９４】
ただし、ＩＰアドレスを変更する場合には、ＵＥ１０は、図３（ａ）のＩＰアドレスの情報を更新する。なお、ＵＥ１０は、ＩＰアドレス以外の項目は変更することなく使用し続けても良い。しかしながら、ｅＮＢ２０がＲＲＣ接続再設定に含めて新たなＥＰＳベアラＩＤを送信した場合には、第一のＰＤＮコネクションに関連付けられたＥＰＳベアラＩＤを受信したＥＰＳベアラＩＤに更新する。
【０４９５】
また、ＵＥ１０は、ＲＲＣ接続再設定完了を送信する（Ｓ１６１８）。ｅＮＢ２０Ｂは、ＲＲＣ接続再設定（Ｓ１６１４）に対する応答としてＲＲＣ接続再設定完了を受信し、ベアラ変更応答をＭＭＥ３０へ送信する（Ｓ１６２０）。
【０４９６】
また、ＵＥ１０はｅＮＢ２０Ｂへ直接転送を送信する（Ｓ１６２２）。ここで、直接転送には、セッション管理応答を含めて良い。セッション管理応答には、ＥＰＳベアラＩＤを含めて良い。
【０４９７】
ｅＮＢ２０ＢはＵＥ１０から直接転送を受信し、直接転送に含まれるセッション管理応答をＭＭＥ３０へ転送する（Ｓ１６２４）。ベアラ変更応答と、セッション管理応答を受信したＭＭＥ３０は、ＳＧＷ５０へベアラ変更要求を送信する（Ｓ１６２６）。ＳＧＷ５０は、ＭＭＥ３０からベアラ変更要求を受信し、ＭＭＥ３０へベアラ変更応答を送信する（Ｓ１６２８）。
【０４９８】
以上の手続きにより、ＵＥ１０とＰＧＷ６０間における第一のＰＤＮコネクションのセッションを変更することができる。手続きに伴い、ＵＥ１０は、第一のＰＤＮコネクションに関する情報として、図３（ａ）で示すＵＥ通信路コンテキスト１４２において、ＡＰＮ、割り当てられるＰＤＮタイプ、ＩＰアドレス、デフォルトベアラ、ＥＰＳベアラＩＤ、ＥＰＳベアラＱｏＳを管理することができる。
【０４９９】
また、ｅＮＢ２０Ｂは、第一のＰＤＮコネクションに関する情報として、図５で示すｅＮＢ通信路コンテキスト２４２においてＭＭＥ  ＵＥ  Ｓ１  ＡＰ  ＩＤ、ＧＵＭＭＥＩ、グローバルｅＮＢ  ＩＤ、トラッキングエリアＩＤ、Ｅ−ＲＡＢ  ＩＤ、ＵＥ  ＩＤ、トランスポートアドレスを管理することができる。
【０５００】
さらに、ＭＭＥ３０は、第一のＰＤＮコネクションに関する情報として、図７で示すＭＭＥ通信路コンテキスト３４２において、ＡＰＮ、ＰＤＮタイプ、ＩＰアドレス、ＳＩＰＴＯの許可（情報）、ＬＨＮ  ＩＤ、ＰＤＮ  ＧＷアドレス（Ｃ−ｐｌａｎｅ）、ＰＤＮ  ＧＷ  ＴＥＩＤ（Ｃ−ｐｌａｎｅ）、デフォルトベアラ、ＥＰＳベアラＩＤ、ＳＧＷ  ＩＰアドレス（Ｓ１−ｕ）、ＳＧＷ  ＴＥＩＤ（Ｓ１−ｕ）、ＰＧＷ  ＩＰアドレス（Ｕ−ｐｌａｎｅ）、ＰＧＷ  ＴＥＩＤ（Ｕ−ｐｌａｎｅ）、ＥＰＳベアラＱｏＳを管理することができる。
【０５０１】
以上により、ＵＥ１０は、第一のＰＤＮコネクションの一部のセッション及び／又は一部のベアラを変更し、ＰＧＷ６０経由のデータの送受信を行うことができる。
【０５０２】
つまり、サービス要求手続きに基づいて、第一のＰＤＮコネクションの通信路を、ゲートウェイ装置であるＬＧＷ４０から、ＬＧＷ４０とは異なるゲートウェイ装置であるＰＧＷ６０に変更し、第一のＰＤＮコネクションを用いて通信を行うことができる。
【０５０３】
なお、上記手続きを完了することにより、ＵＥ１０は、図３におけるパターン２（ｂ）移動後におけるＵＥ通信路コンテキスト１４２で示すように、ＡＰＮとしてＡＰＮ２、割り当てられるＰＤＮタイプとしてＰＤＮタイプ２、ＩＰアドレスとしてＩＰアドレス４、デフォルトベアラとしてＥＰＳベアラＩＤ２、ＥＰＳベアラＩＤとしてＥＰＳベアラＩＤ６、ＥＰＳベアラＱｏＳとしてＥＰＳベアラＱｏＳ２を管理することができる。
【０５０４】
このとき、ｅＮＢ２０Ｂは、図５（ｂ）移動後におけるｅＮＢ通信路コンテキスト２４２で示すように、ＭＭＥ  ＵＥ  Ｓ１  ＡＰ  ＩＤとして、ＭＭＥ  ＵＥ  Ｓ１  ＡＰ  ＩＤ１、ＧＵＭＭＥＩとしてＧＵＭＭＥＩ１、グローバルｅＮＢ  ＩＤ２、トラッキングエリアＩＤとしてトラッキングエリアＩＤ１、Ｅ−ＲＡＢ  ＩＤとしてＥ−ＲＡＢ  ＩＤ２、ＵＥ  ＩＤとしてＵＥ  ＩＤ１、トランスポートアドレスとして、ＳＧＷ  ＴＥＩＤ１とＳＧＷ  ＩＰアドレス１を管理することができる。
【０５０５】
また、ＭＭＥ３０は、図７におけるパターン２（ｂ）移動後におけるＭＭＥ通信路コンテキスト３４２で示すように、ＡＰＮとしてＡＰＮ２、ＰＤＮタイプとしてＰＤＮタイプ２、ＩＰアドレスとしてＩＰアドレス４、ＳＩＰＴＯの許可として、ＣＳＩＰＴＯを許可、ＬＨＮ  ＩＤとしてブランク、ＰＤＮ  ＧＷアドレス（Ｃ−ｐｌａｎｅ）としてＰＧＷアドレス１、ＰＤＮ  ＧＷ  ＴＥＩＤ（Ｃ−ｐｌａｎｅ）としてＰＧＷ  ＴＥＩＤ１、デフォルトベアラとしてＥＰＳベアラＩＤ２、ＥＰＳベアラＩＤとしてＥＰＳベアラＩＤ６、ＰＧＷ  ＩＰアドレス（Ｕ−ｐｌａｎｅ）としてＰＧＷ  ＩＰアドレス１、ＰＧＷ  ＴＥＩＤ（Ｕ−ｐｌａｎｅ）としてＰＧＷ  ＴＥＩＤ１、ＥＰＳベアラＱｏＳとしてＥＰＳベアラＱｏＳ２を管理することができる。
【０５０６】
以上の手続きにより、ＵＥ１０は、切り替え手続き後、第一のＰＤＮコネクションを用いて通信を行うことができる。切り替え手続きは、第一のＰＤＮコネクションのＰＤＮコネクションの端点となるゲートウェイ装置を変更する。さらに、第一のＰＤＮコネクションのベアラが変更する。それに伴い、ＵＥ１０は、第一のＰＤＮコネクションを用いた通信を行うためのＩＰアドレスを変更してもよい。
【０５０７】
[１．３．２．３．２．２  セッション生成手続き２]
次に、ＭＭＥ３０におけるセッション生成手続き２について説明する。セッション生成手続き１では、サービス要求手続きに基づいて、データの送受信を開始したが、セッション生成手続き２では、トラッキングエリア要求手続きに基づいて、第一のＰＤＮコネクションにおいて、ｅＮＢ２０とＳＧＷ５０のベアラ、ＳＧＷ５０とＰＧＷ６０のベアラを確立する。
【０５０８】
図１７を用いて、セッション生成手続き２を説明する。まず、ＭＭＥ３０は、ＳＧＷ５０にセッション生成要求を送信する（Ｓ１６０２）。次に、ＳＧＷ５０は、ＰＧＷ６０へセッション生成要求を送信する（Ｓ１６０４）。ＰＧＷ６０はアドレス割り当て処理を行う（Ｓ１６０６）。ＰＧＷ６０はＳＧＷ５０へセッション生成応答を送信する（Ｓ１６０８）。さらに、ＳＧＷ５０はＭＭＥ３０へセッション生成応答を送信する（Ｓ１６１０）。ここで、セッション生成要求（Ｓ１６０２）からセッション生成応答（Ｓ１６１０）は、セッション生成手続き１で説明したため、その詳細な説明は省略する。ここで、ＳＧＷ５０が送信するセッション生成要求はベアラ変更要求であってよい。また、ＰＧＷ６０が送信するセッション生成要求は、ベアラ変更応答であってよい。
【０５０９】
次に、ＭＭＥ３０はトラッキングエリア更新受託をＵＥ１０に送信して良い。トラッキングエリア更新受託には、ＵＥの位置を示す情報を含まれて良い。ここで、ＵＥの位置を示す情報はトラッキングエリアＩＤであってよい。
【０５１０】
ここで、ＭＭＥ３０は、トラッキングエリア更新要求に、ＥＰＳベアラに関する情報やＩＰアドレスに関する情報を含めて良い。ＥＰＳベアラに関する情報とは、ＥＰＳベアラＩＤやＥＰＳベアラＱｏＳに関する情報である。また、ＩＰアドレスに関する情報は、ＩＰアドレスや、ＰＤＮタイプであってよい。
【０５１１】
なお、ＭＭＥ３０は、ＰＧＷ６０によって新たにＩＰアドレスが割り当てられた場合には、ＩＰアドレスの変更に基づいて、ＩＰアドレスに関する情報をセッション管理要求に含めて送信してもよい。
【０５１２】
また、トラッキングエリア更新要求には、インディケータ２を含めて良い。インディケータ２は、第一のＰＤＮコネクションを変更することを示す情報であってよい。ここで、第一のＰＤＮコネクションを変更することを示す情報は、ＡＰＮが含まれてもよい。及び／又は、インディケータ２は、第一のＰＤＮコネクションのＩＰアドレスを変更することを通知する情報であってもよい。及び／又は、インディケータ２は、第一のＰＤＮコネクションのＩＰアドレスを再取得することを要求する情報であってもよい。
【０５１３】
なお、ＭＭＥ３０は、ＩＰアドレスに関する情報をトラッキングエリア更新要求に含めない場合に、インディケータ２をトラッキングエリア更新要求に含めて送信してもよい。及び／又は、ＭＭＥ３０は、ＰＧＷ６０によって新たにＩＰアドレスが割り当てられた場合には、インディケータ２をトラッキングエリア更新要求に含めて送信してもよい。
【０５１４】
ＵＥ１０は、ＭＭＥ３０から送信されたトラッキングエリア更新要求に含まれる、第一のＰＤＮコネクションに関する情報を検知し、ＵＥ１０において第一のＰＤＮコネクションに関する情報を変更してよい。
【０５１５】
ここで、第一のＰＤＮコネクションに関する情報は、インディケータ２に含まれてよい。なお、第一のＰＤＮコネクションに関する情報は、ＰＤＮタイプ、ＰＤＮアドレス、ＥＰＳベアラＩＤ、ＥＰＳベアラＱｏＳであって良い。
【０５１６】
次に、ＵＥ１０は、トラッキングエリア更新要求の受信に基づいて、第一のＰＤＮコネクションを用いた通信に使用するＩＰアドレスを更新してもよい。
【０５１７】
ＵＥ１０は、トラッキングエリア更新要求に含まれるＩＰアドレスを受信した場合には、ＵＥ通信路コンテキスト１４２に第一のＰＤＮコネクションに対応づけて記憶しているＩＰアドレスを、受信したＩＰアドレスに更新してもよい。
【０５１８】
また、ＵＥ１０は、トラッキングエリア更新要求に含まれるインディケータ２を受信した場合には、ＩＰアドレスの取得処理を実行してもよい。
【０５１９】
より具体的なＩＰアドレス取得処理は、ＤＨＣＰによる取得手続きであってよい。ＵＥ１０は、ＤＨＣＰサーバにＤＨＣＰディスカバーメッセージ及び／又はＤＨＣＰ要求メッセージを送信し、ＤＨＣＰサーバから応答とともにＩＰアドレス及び／又はＩＰプレフィックスを受信してもよい。なお、受信するＩＰアドレスは、ＩＰｖ４アドレスであってもよいし、ＩＰｖ６アドレスであってもよい。また、６４ビットのＩＰプレフィックスを受信した場合には、ＵＥ１０は、受信したＩＰプレフィックスを上位ビットとし、下位６４ビットを生成してＩＰｖ６アドレスを構成してもよい。
【０５２０】
なお、ＤＨＣＰサーバは、コアネットワーク７の外部に構成する外部サーバであっても良いし、ＰＧＷ６０であっても良い。
【０５２１】
また、具体的なＩＰアドレス取得処理は、ステートレスアドレス自動設定手順に基づいて実行してもよい。ＵＥ１０は、ルータ広告（ＲＡ：Router Advertisement）を受信するために、ルータ要請メッセージ（ＲＳ: Router solicitation）をデフォルトルータに送信してもよい。
【０５２２】
さらに、ＵＥ１０は、ＩＰアドレス及び／又はＩＰプレフィックスを含むルータ広告をデフォルトルータから受信してもよい。また、６4ビットのＩＰプレフィックスを受信した場合には、ＵＥ１０は、受信したＩＰプレフィックスを上位ビットとし、下位６４ビットを生成してＩＰｖ６アドレスを構成してもよい。
【０５２３】
なお、デフォルトルータは、ＳＧＷ５０であってもよいし、ＰＧＷ６０であっても良い。
【０５２４】
また、ＵＥ１０は、ＤＨＣＰに基づく取得手続きを行うか、ステートレスアドレス自動設定手順に基づいて取得手続きを行うかは、受信したトラッキングエリア更新要求に基づいて決定しても良い。例えば、トラッキングエリア更新要求に含まれるＩＰアドレスにＤＨＣＰによるＩＰアドレスを取得することを示す情報が含まれている場合には、ＵＥ１０はＤＨＣＰに基づく取得手続きを行い、トラッキングエリア更新要求に含まれるＰＤＮアドレスにステートレスアドレス自動設定によりＩＰアドレスを取得することを示す情報が含まれている場合には、ステートレスアドレス自動設定手順に基づいて取得手続きを実行してもよい。
【０５２５】
なお、ＵＥ１０は、トラッキングエリア更新要求の受信に基づいて、ＩＰアドレスもしくはインディケータ２を取得しなかった場合には、第一のＰＤＮコネクションに対応するＩＰアドレスを削除することなく使用し続けても良い。
【０５２６】
上記の方法により、ＵＥ１０は、ＵＥ通信路コンテキスト１４２の第一のＰＤＮコネクションに関連付けられた情報を用いて、第一のＰＤＮコネクションを用いた通信を行うことができる。
【０５２７】
ただし、ＩＰアドレスを変更する場合には、ＵＥ１０は、図３（ａ）のＩＰアドレスの情報を更新する。なお、ＵＥ１０は、ＩＰアドレス以外の項目は変更することなく使用し続けても良い。しかしながら、ＭＭＥ３０がトラッキングエリア更新要求に含めて新たなＥＰＳベアラＩＤを送信した場合には、第一のＰＤＮコネクションに関連付けられたＥＰＳベアラＩＤを受信したＥＰＳベアラＩＤに更新する。
【０５２８】
以上の手続きにより、ＵＥ１０とＰＧＷ６０間における第一のＰＤＮコネクションのセッションを変更することができる。手続きに伴い、ＵＥ１０は、第一のＰＤＮコネクションに関する情報として、図３（ａ）で示すＵＥ通信路コンテキスト１４２において、ＡＰＮ、割り当てられるＰＤＮタイプ、ＩＰアドレス、デフォルトベアラ、ＥＰＳベアラＩＤ、ＥＰＳベアラＱｏＳを管理することができる。
【０５２９】
また、ＭＭＥ３０は、第一のＰＤＮコネクションに関する情報として、図７で示すＭＭＥ通信路コンテキスト３４２において、ＡＰＮ、ＰＤＮタイプ、ＩＰアドレス、ＳＩＰＴＯの許可（情報）、ＬＨＮ  ＩＤ、ＰＤＮ  ＧＷアドレス（Ｃ−ｐｌａｎｅ）、ＰＤＮ  ＧＷ  ＴＥＩＤ（Ｃ−ｐｌａｎｅ）、デフォルトベアラ、ＥＰＳベアラＩＤ、ＳＧＷ  ＩＰアドレス（Ｓ１−ｕ）、ＳＧＷ  ＴＥＩＤ（Ｓ１−ｕ）、ＰＧＷ  ＩＰアドレス（Ｕ−ｐｌａｎｅ）、ＰＧＷ  ＴＥＩＤ（Ｕ−ｐｌａｎｅ）、ＥＰＳベアラＱｏＳを管理することができる。
【０５３０】
以上により、ＵＥ１０は、第一のＰＤＮコネクションの一部のセッション及び／又は一部のベアラを変更することができる。
【０５３１】
なお、上記手続きを完了することにより、ＵＥ１０は、図３におけるパターン２（ｂ）移動後におけるＵＥ通信路コンテキスト１４２で示すように、ＡＰＮとしてＡＰＮ２、割り当てられるＰＤＮタイプとしてＰＤＮタイプ２、ＩＰアドレスとしてＩＰアドレス４、デフォルトベアラとしてＥＰＳベアラＩＤ２、ＥＰＳベアラＩＤとしてＥＰＳベアラＩＤ６、ＥＰＳベアラＱｏＳとしてＥＰＳベアラＱｏＳ２を管理することができる。
【０５３２】
また、ＭＭＥ３０は、図７におけるパターン２（ｂ）移動後におけるＭＭＥ通信路コンテキスト３４２で示すように、ＡＰＮとしてＡＰＮ２、ＰＤＮタイプとしてＰＤＮタイプ２、ＩＰアドレスとしてＩＰアドレス４、ＳＩＰＴＯの許可として、ＣＳＩＰＴＯを許可、ＬＨＮ  ＩＤとしてブランク、ＰＤＮ  ＧＷアドレス（Ｃ−ｐｌａｎｅ）としてＰＧＷアドレス１、ＰＤＮ  ＧＷ  ＴＥＩＤ（Ｃ−ｐｌａｎｅ）としてＰＧＷ  ＴＥＩＤ１、デフォルトベアラとしてＥＰＳベアラＩＤ２、ＥＰＳベアラＩＤとしてＥＰＳベアラＩＤ６、ＰＧＷ  ＩＰアドレス（Ｕ−ｐｌａｎｅ）としてＰＧＷ  ＩＰアドレス１、ＰＧＷ  ＴＥＩＤ（Ｕ−ｐｌａｎｅ）としてＰＧＷ  ＴＥＩＤ１、ＥＰＳベアラＱｏＳとしてＥＰＳベアラＱｏＳ２を管理することができる。
【０５３３】
以上の手続きにより、ＵＥ１０は、切り替え手続き後、第一のＰＤＮコネクションを用いて通信を行うことができる。切り替え手続きは、第一のＰＤＮコネクションのＰＤＮコネクションの端点となるゲートウェイ装置を変更する。さらに、第一のＰＤＮコネクションのベアラを変更する。それに伴い、ＵＥ１０は、第一のＰＤＮコネクションを用いた通信を行うためのＩＰアドレスを変更してもよい。
【０５３４】
［２  変形例］
このように、ＵＥ１０をはじめとする各装置における記憶情報および処理は、これまで説明した実施形態で説明した方法を適用できるため、詳細な説明は省略する。
【０５３５】
以上、実施形態およびそれに関わる複数の変形例を説明してきたが、各変形例はそれぞれ独立して実施形態に適用されて良い。また、この発明の実施形態について図面を参照して詳述してきたが、具体的な構成はこの実施形態に限られるものではなく、この発明の要旨を逸脱しない範囲の設計等も特許請求の範囲に含まれる。
【０５３６】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０５３７】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであって良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０５３８】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０５３９】
また、上述した実施形態における各装置の一部又は全部を典型的には集積回路であるＬＳＩ（Large Scale Integration）として実現して良い。各装置の各機能ブロックは個別にチップ化して良いし、一部、または全部を集積してチップ化して良い。また、集積回路化の手法はＬＳＩに限らず専用回路、または汎用プロセッサで実現して良い。また、半導体技術の進歩によりＬＳＩに代替する集積回路化の技術が出現した場合、当該技術による集積回路を用いることも可能であることは勿論である。
【符号の説明】
【０５４０】
１  移動通信システム
５  ＩＰ移動通信ネットワーク
７  コアネットワーク
９  ＬＴＥアクセスネットワーク
１０  ＵＥ
２０  ｅＮＢ
３０  ＭＭＥ
４０  ＬＧＷ
５０  ＳＧＷ
６０  ＰＧＷ
７０  ＨＳＳ
８０  ＰＣＲＦ
９０  ＰＤＮ
【図１】
2016076287.tif 000003
【図２】
2016076287.tif 000004
【図３】
2016076287.tif 000005
【図４】
2016076287.tif 000006
【図５】
2016076287.tif 000007
【図６】
2016076287.tif 000008
【図７】
2016076287.tif 000009
【図８】
2016076287.tif 000010
【図９】
2016076287.tif 000011
【図１０】
2016076287.tif 000012
【図１１】
2016076287.tif 000013
【図１２】
2016076287.tif 000014
【図１３】
2016076287.tif 000015
【図１４】
2016076287.tif 000016
【図１５】
2016076287.tif 000017
【図１６】
2016076287.tif 000018
【図１７】
2016076287.tif 000019
【図１８】
2016076287.tif 000020
【国際調査報告】
2016076287.tif 000021
2016076287.tif 000022
2016076287.tif 000023
2016076287.tif 000024